(57)【要約】  複数の異なる屋内領域の少なくとも１つに関して、移動局に対して、ポジション・アシスタンス・データなどを提供するために多様なデバイス内にインプリメントされ得る、方法および装置が提供される。
2013540375.tif 000002
【特許請求の範囲】
【請求項１】
移動局において、
貯蔵（repository）デバイスに対して少なくとも１つの屋内領域に関するポジション・アシスタンス・データ（position assistance data）に関する要求を送信することと、
前記貯蔵デバイスから前記ポジション・アシスタンス・データを受信することであって、前記ポジション・アシスタンス・データは、少なくとも一部では、前記少なくとも１つの屋内領域の少なくとも一部に関する符号化されたメタデータ、および、電子マップもしくはアクセス・ポイント・ロケータの少なくとも１つに相当するものを備える、受信することと、
前記移動局の位置を推定する際に使用するための少なくとも１つの機能に対して、前記符号化されたメタデータの少なくとも一部を提供することと、
を備える方法。
【請求項２】
ポジション・アシスタンス・データに関する前記要求は貯蔵デバイス識別子を備える、請求項１に記載の方法。
【請求項３】
前記移動局において、
ディレクトリ・デバイスに対して貯蔵デバイス識別子に関する要求を送信することであって、貯蔵デバイス識別子に関する前記要求が前記移動局の少なくとも第１推定位置を示している、送信することと、
前記ディレクトリ・デバイスから前記貯蔵デバイスに関する前記貯蔵デバイス識別子を受信することであって、前記貯蔵デバイス識別子は、前記貯蔵デバイスと前記第１推定位置に相当する前記少なくとも１つの屋内領域とを識別する、受信することと、
をさらに備える、請求項１に記載の方法。
【請求項４】
前記移動局において、
解読鍵を受信すること、をさらに備え、
前記符号化されたメタデータを復号することは、前記解読鍵を用いて前記符号化されたメタデータの少なくとも一部を解読することをさらに備える、
請求項１に記載の方法。
【請求項５】
前記符号化されたメタデータの少なくとも一部は、ディレクトリ・デバイス、前記貯蔵デバイス、もしくはマップ推論デバイス、の少なくとも１つを経由して提供される分析器能力によって、少なくとも一部では、確立される、請求項１に記載の方法。
【請求項６】
前記符号化されたメタデータの少なくとも一部は、前記移動局がポジション・アシスタンス・データに関する前記要求を送信するよりも前に、少なくとも一部では確立され、前記貯蔵デバイスにおいて格納される、請求項1に記載の方法。
【請求項７】
前記符号化されたメタデータの少なくとも一部は、ポジション・アシスタンス・データに関する前記要求に応じて、少なくとも一部では、確立される、請求項１に記載の方法。
【請求項８】
前記移動局において、
前記群衆ソーシング・デバイスに対して前記少なくとも１つの屋内領域に関する収集されたデータを集める（gather）こと、および、送信すること、もしくは、
前記群衆ソーシング・デバイスから前記少なくとも１つの屋内領域に関する追加メタデータを受信すること、および、前記少なくとも１つの機能に対して前記追加メタデータの少なくとも一部を提供すること、
のうち少なくとも１つによって、群衆ソーシング・デバイスとインターフェースをとることを、さらに備える、請求項１に記載の方法。
【請求項９】
前記移動局において、
局所デバイスから前記少なくとも１つの屋内領域に関する局所メタデータを受信することと、
前記少なくとも１つの機能に対して前記局所メタデータの少なくとも一部を提供することと、
をさらに備える、請求項１に記載の方法。
【請求項１０】
前記少なくとも１つの機能は、ポジショニング機能、ナビゲーション機能、もしくは、位置ベースのサービス機能、のうち少なくとも１つを備える、請求項１に記載の方法。
【請求項１１】
移動局内で使用するための装置であって、
貯蔵デバイスに対して少なくとも１つの屋内領域に関するポジション・アシスタンス・データに関する要求を送信するための手段と、
前記貯蔵デバイスから前記ポジション・アシスタンス・データを受信するための手段であって、前記ポジション・アシスタンス・データは、少なくとも一部では、前記少なくとも１つの屋内領域の少なくとも一部に関する符号化されたメタデータ、および、電子マップもしくはアクセス・ポイント・ロケータの少なくとも１つに相当するものを備える、受信するための手段と、
前記移動局の位置を推定する際に、使用するための少なくとも１つの機能に対して、前記符号化されたメタデータの少なくとも一部を提供するための手段と、
を備える装置。
【請求項１２】
ディレクトリ・デバイスに対して貯蔵デバイス識別子に関する要求を送信するための手段であって、前記貯蔵デバイス識別子に関する前記要求が前記移動局の少なくとも第１推定位置を示している、送信するための手段と、
前記ディレクトリ・デバイスから前記貯蔵デバイスに関する前記貯蔵デバイス識別子を受信するための手段であって、前記貯蔵デバイス識別子は、前記貯蔵デバイスと前記第１推定位置に相当する前記少なくとも１つの屋内領域とを識別し、かつ、ポジション・アシスタンス・データに関する前記要求は前記貯蔵デバイス識別子を備える、受信するための手段と、
をさらに備える、請求項１１に記載の装置。
【請求項１３】
解読鍵を取得するための手段と、
前記解読鍵を用いて、前記符号化されたメタデータの少なくとも一部を解読するための手段と、
をさらに備える、請求項１１に記載の装置。
【請求項１４】
前記符号化されたメタデータは、分析器能力によって、少なくとも一部では、確立されている、請求項１１に記載の装置。
【請求項１５】
前記群衆ソーシング・デバイスに対して前記少なくとも１つの屋内領域に関する収集されたデータを送信するための手段、もしくは、
前記群衆ソーシング・デバイスから前記少なくとも１つの屋内領域に関する追加メタデータを受信するための手段、および、前記少なくとも１つの機能をサポートするために前記追加メタデータの少なくとも一部を提供するための手段、
のうちの少なくとも１つ、をさらに備える、請求項１１に記載の装置。
【請求項１６】
局所デバイスから前記少なくとも１つの屋内領域に関する局所メタデータを受信するための手段と、
前記少なくとも１つの機能に対して前記局所メタデータの少なくとも一部を提供するための手段と、
をさらに備える、請求項１に記載の装置。
【請求項１７】
移動局であって、
ネットワーク・インターフェースと、
貯蔵デバイスに対して少なくとも１つの屋内領域に関するポジション・アシスタンス・データに関する要求の送信を開始し、
前記ネットワーク・インターフェースを経由して前記貯蔵デバイスから前記ポジション・アシスタンス・データを取得することであって、前記ポジション・アシスタンス・データは、少なくとも一部では、前記少なくとも１つの屋内領域の少なくとも一部に関する符号化されたメタデータ、および、電子マップもしくはアクセス・ポイント・ロケータの少なくとも１つに相当するもの、を備える、取得し、
前記移動局の位置を推定する際に使用するための少なくとも１つの機能に対して前記符号化されたメタデータの少なくとも一部を提供する、
処理ユニットと、
を備える移動局。
【請求項１８】
前記処理ユニットは、さらに、
前記ネットワーク・インターフェースを経由してディレクトリ・デバイスに対して貯蔵デバイス識別子に関する要求の送信を開始することであって、前記貯蔵デバイス識別子に関する前記要求は前記移動局の少なくとも第１推定位置を示す、開始し、
前記ネットワーク・インターフェースを経由して前記ディレクトリ・デバイスから前記貯蔵デバイスに関する前記貯蔵デバイス識別子を取得することであって、前記貯蔵デバイス識別子は、前記貯蔵デバイス、および、前記第１推定位置に相当する前記少なくとも１つの屋内領域を識別し、かつ、ポジション・アシスタンス・データに関する前記要求は前記貯蔵デバイス識別子を備える、取得する、
請求項１７に記載の移動局。
【請求項１９】
前記処理ユニットはさらに、
解読鍵を取得し、
前記解読鍵を使用して前記符号化されたメタデータの少なくとも一部を解読する、
請求項１７に記載の移動局。
【請求項２０】
前記解読鍵は、前記ネットワーク・インターフェースを経由して、ディレクトリ・デバイスから取得される、請求項１９に記載の移動局。 
【請求項２１】
前記符号化されたメタデータは、分析器能力によって、少なくとも一部では、確立されている、請求項１７に記載の移動局。
【請求項２２】
前記符号化されたメタデータは、ポジション・アシスタンス・データに関する前記要求の送信よりも前に、少なくとも一部では、確立されている、請求項１７に記載の移動局。
【請求項２３】
前記符号化されたメタデータは、ポジション・アシスタンス・データに関する前記要求に応じて、少なくとも一部では、確立されている、請求項１７に記載の移動局。
【請求項２４】
前記処理ユニットは、さらに、
前記群衆ソーシング・デバイスに対して前記少なくとも１つの屋内領域に関する収集されたデータの送信を開始すること、もしくは、
前記群衆ソーシング・デバイスから前記少なくとも１つの屋内領域に関する追加メタデータを取得すること、および、前記少なくとも１つの機能に対して前記追加メタデータの少なくとも一部を提供すること、
のうちの少なくとも１つによって、群衆ソーシング・デバイスと、前記ネットワーク・インターフェースを経由してインターフェースをとる、請求項１７に記載の移動局。
【請求項２５】
前記処理ユニットは、さらに、
前記ネットワーク・インターフェースを経由して、局所デバイスから前記少なくとも１つの屋内領域に関する局所メタデータを取得し、
前記少なくとも１つの機能をサポートするために前記局所メタデータの少なくとも一部を使用する、
請求項１７に記載の移動局。
【請求項２６】
前記少なくとも１つの機能は、ポジショニング機能、ナビゲーション機能、もしくは、位置ベースのサービス機能、のうち少なくとも１つを備える、請求項１７に記載の移動局。
【請求項２７】
貯蔵デバイスに対して少なくとも１つの屋内領域に関するポジション・アシスタンス・データに関する要求の送信を開始し、
前記貯蔵デバイスから前記ポジション・アシスタンス・データを取得することであって、前記ポジション・アシスタンス・データは、少なくとも一部では、前記少なくとも１つの屋内領域の少なくとも一部に関する符号化されたメタデータ、および、電子マップもしくはアクセス・ポイント・ロケータの少なくとも１つに相当するもの、を備える、取得し、
前記移動局の位置を推定する際に使用するための少なくとも１つの機能に対して前記符号化されたメタデータの少なくとも一部を提供する、
ように移動局内で処理ユニットによって実行可能な、そこに格納されたコンピュータ・インプリメント可能命令を有する非一時的な（non-transitory）コンピュータ可読媒体を備える、アーティクル。
【請求項２８】
前記コンピュータ・インプリメント可能命令は、
ディレクトリ・デバイスに対して貯蔵デバイス識別子に関する要求の送信を開始することであって、前記貯蔵デバイス識別子に関する前記要求は前記移動局の少なくとも１つの第１推定位置を示す、開始し、
前記ディレクトリ・デバイスから前記貯蔵デバイスに関する前記貯蔵デバイス識別子を取得することであって、前記貯蔵デバイス識別子は、前記貯蔵デバイスと前記第１推定位置に相当する前記少なくとも１つの屋内領域とを識別し、かつ、ポジション・アシスタンス・データに関する前記要求は前記貯蔵デバイス識別子を備える、取得する、
ように前記処理ユニットによってさらに実行可能である、請求項２７に記載のアーティクル。
【請求項２９】
前記コンピュータ・インプリメント可能命令は、
解読鍵を取得し、
前記解読鍵を用いて前記符号化されたメタデータの少なくとも一部を解読する、
ように、前記処理ユニットによってさらに実行可能である、請求項２７に記載のアーティクル。
【請求項３０】
前記符号化されたメタデータは、分析器能力によって、少なくとも一部では、確立されている、請求項２７に記載のアーティクル。
【請求項３１】
前記コンピュータ・インプリメント可能命令は、
群衆ソーシング・デバイスから前記少なくとも１つの屋内領域に関する追加メタデータを取得し、
前記少なくとも１つの機能をサポートするために前記追加メタデータの少なくとも一部を提供する、
ように前記処理ユニットによってさらに実行可能である、請求項２７に記載のアーティクル。
【請求項３２】
前記コンピュータ・インプリメント可能命令は、
局所デバイスから前記少なくとも１つの屋内領域に関する局所メタデータを取得し、
前記少なくとも１つの機能に対して前記局所メタデータの少なくとも一部を提供する、
ように前記処理ユニットによってさらに実行可能である、請求項２７に記載のアーティクル。
【請求項３３】
マップ推論デバイスのコンピューティング・プラットホームにおいて、
少なくとも１つの屋内領域の少なくとも一部に関して、電子マップもしくはアクセス・ポイント・ロケータの少なくとも１つを取得することと、
少なくとも一部では、前記電子マップもしくは前記アクセス・ポイント・ロケータの少なくとも１つに基づいて、前記少なくとも１つの屋内領域の少なくとも前記一部に関する符号化されたメタデータを確立することと、
貯蔵デバイスに対して前記符号化されたメタデータを送信することであって、前記貯蔵デバイスは、移動局から受信されたポジション・アシスタンス・データに関する要求に応じて、前記移動局に対して前記符号化されたメタデータの少なくとも一部を提供する、送信することと、
を備えた方法。
【請求項３４】
前記マップ推論デバイスにおいて、
暗号化鍵を用いて前記符号化されたメタデータを暗号化することと、
前記移動局に対して前記暗号化鍵に相当する解読鍵を送信することと、
をさらに備える、請求項３３に記載の方法。
【請求項３５】
前記符号化されたメタデータの少なくとも一部は、前記貯蔵デバイスから受信された要求に応じて、少なくとも一部では、確立される、請求項３３に記載の方法。
【請求項３６】
前記符号化されたメタデータの少なくとも一部は、ポジショニング機能、ナビゲーション機能、もしくは、位置ベースのサービス機能、のうちの少なくとも１つで、前記移動局内で使用するためである、請求項３３に記載の方法。
【請求項３７】
マップ推論デバイスにおいて使用するための装置であって、
少なくとも１つの屋内領域の少なくとも一部に関して、電子マップもしくはアクセス・ポイント・ロケータの少なくとも１つを取得するための手段と、
少なくとも一部では、前記電子マップもしくは前記アクセス・ポイント・ロケータの少なくとも１つに基づいて、前記少なくとも１つの屋内領域の少なくとも前記一部に関する符号化されたメタデータを確立するための手段と、
貯蔵デバイスに対して前記符号化されたメタデータを送信するための手段であって、前記貯蔵デバイスは、移動局から受信されたポジション・アシスタンス・データに関する要求に応じて、前記移動局に対して前記符号化されたメタデータの少なくとも一部を提供する、送信するための手段と、
を備えた装置。
【請求項３８】
前記マップ推論デバイスにおいて、
暗号化鍵を用いて前記符号化されたメタデータを暗号化するための手段と、
前記移動局に対して前記暗号化鍵に相当する解読鍵を送信するための手段と、
をさらに備える、請求項３７に記載の装置。
【請求項３９】
符号化されたメタデータを確立するための前記手段は、前記貯蔵デバイスから受信された要求に応じて、前記符号化されたメタデータの少なくとも一部を確立する、請求項３７に記載の装置。
【請求項４０】
符号化されたメタデータを確立するための前記手段は、ポジショニング機能、ナビゲーション機能、もしくは、位置ベースのサービス機能、のうちの少なくとも１つで、前記移動局によって使用するための前記符号化されたメタデータを確立する、請求項３７に記載の装置。
【請求項４１】
マップ推論デバイスにおいて使用するためのコンピューティング・プラットホームであって、
ネットワーク・インターフェースと、
前記ネットワーク・インターフェースを経由して、少なくとも１つの屋内領域の少なくとも一部に関して、電子マップもしくはアクセス・ポイント・ロケータの少なくとも１つを取得し、
少なくとも一部では、前記電子マップもしくは前記アクセス・ポイント・ロケータの少なくとも１つに基づいて、前記少なくとも１つの屋内領域の少なくとも前記一部に関する符号化されたメタデータを確立し、
貯蔵デバイスに対して前記符号化されたメタデータの送信を開始することであって、前記貯蔵デバイスは、移動局から受信されたポジション・アシスタンス・データに関する要求に応じて、前記移動局に対して前記符号化されたメタデータの少なくとも一部を提供する、開始する、
処理ユニットと、
を備えたコンピューティング・プラットホーム。
【請求項４２】
前記処理ユニットはさらに、
暗号化鍵を用いて前記符号化されたメタデータを暗号化し、
前記移動局に対して前記暗号化鍵に相当する解読鍵の送信を開始する、
請求項４１に記載のコンピューティング・プラットホーム。
【請求項４３】
前記処理ユニットは、前記ネットワーク・インターフェースを経由して前記貯蔵デバイスから受信された要求に応じて、前記符号化されたメタデータを確立する、請求項４１に記載のコンピューティング・プラットホーム。
【請求項４４】
前記処理ユニットは、ポジショニング機能、ナビゲーション機能、もしくは、ロケーション・ベースのサービス機能、のうちの少なくとも１つで前記移動局によって使用するための前記符号化されたメタデータを確立する、請求項４１に記載のコンピューティング・プラットホーム。
【請求項４５】
少なくとも１つの屋内領域の少なくとも一部に関して、電子マップもしくはアクセス・ポイント・ロケータの少なくとも１つを取得し、
少なくとも一部では、前記電子マップもしくは前記アクセス・ポイント・ロケータの少なくとも１つに基づいて、前記少なくとも１つの屋内領域の少なくとも前記一部に関する符号化されたメタデータを確立し、
貯蔵デバイスに対して前記符号化されたメタデータの送信を開始することであって、前記貯蔵デバイスは、移動局から受信されたポジション・アシスタンス・データに関する要求に応じて、前記移動局に対して前記符号化されたメタデータの少なくとも一部を提供する、開始する、
ように、ディレクトリ・デバイス内の処理ユニットによって実行可能であるコンピュータ・インプリメント可能命令をそこに格納している非一時的なコンピュータ可読媒体、
を備えるアーティクル。
【請求項４６】
前記コンピュータ・インプリメント可能命令は、
暗号化鍵を用いて前記符号化されたメタデータを暗号化し、
前記移動局に対して前記暗号化鍵に相当する解読鍵の送信を開始する、
ように前記処理ユニットによってさらに実行可能である、請求項４５に記載のアーティクル。
【請求項４７】
前記コンピュータ・インプリメント可能命令は、
前記貯蔵デバイスから受信された要求に応じて、前記符号化されたメタデータを確立する、
ように前記処理ユニットによってさらに実行可能である、請求項４５に記載のアーティクル。
【請求項４８】
前記コンピュータ・インプリメント可能命令は、
ポジショニング機能、ナビゲーション機能、もしくは位置ベースのサービス機能、のうち少なくとも１つで前記移動局によって使用するための前記符号化されたメタデータを確立する、
ように前記処理ユニットによってさらに実行可能である、請求項４５に記載のアーティクル。
【請求項４９】
ディレクトリ・デバイスにおいて、
少なくとも１つの屋内領域の少なくとも一部に関して、電子マップもしくはアクセス・ポイント・ロケータの少なくとも１つを取得することと、
少なくとも一部では、前記電子マップもしくは前記アクセス・ポイント・ロケータの少なくとも１つに基づいて、前記少なくとも１つの屋内領域の少なくとも前記一部に関して符号化されたメタデータを確立することと、
貯蔵デバイスに対して前記符号化されたメタデータを送信することと、
移動局から貯蔵デバイス識別子に関する要求を受信することであって、前記貯蔵デバイス識別子に関する前記要求は、前記移動局の少なくとも第１推定位置を示す、受信することと、
前記第１推定位置が前記少なくとも１つの屋内領域の前記少なくとも前記一部に相当する決定することに応答して、前記移動局に対して前記貯蔵デバイスに関する貯蔵デバイス識別子を送信することと、
を備えた方法。
【請求項５０】
前記ディレクトリ・デバイスにおいて、
前記第１推定位置が、前記少なくとも１つの屋内領域の前記少なくとも前記部分に相当するという決定に応答して、前記移動局に対して、前記電子マップ、前記アクセス・ポイント・ロケータ、もしくは前記符号化されたメタデータのうちの、少なくとも１つに関する少なくとも１つの識別子、をさらに送信すること、
をさらに備える、請求項４９に記載の方法。
【請求項５１】
前記ディレクトリ・デバイスにおいて、
暗号化鍵を用いて前記符号化されたメタデータを暗号化することと、
前記移動局に対して、前記暗号化鍵に相当する解読鍵を送信することと、
をさらに備える、請求項４９に記載の方法。
【請求項５２】
前記ディレクトリ・デバイスにおいて、
群衆ソーシング・デバイスから前記少なくとも１つの屋内領域に関する追加メタデータを取得することをさらに備え、
前記符号化されたメタデータを確立することは、前記追加メタデータの少なくとも一部に、少なくとも一部では、基づいて前記符号化されたメタデータを確立することをさらに備える、
請求項４９に記載の方法。
【請求項５３】
前記符号化されたメタデータの少なくとも一部は、少なくとも一部では、前記移動局から前記貯蔵デバイス識別子に関する前記要求を受信するよりも前に確立される、請求項４９に記載の方法。
【請求項５４】
前記符号化されたメタデータの少なくとも一部は、少なくとも一部では、前記移動局からの前記貯蔵デバイス識別子に関する前記要求もしくは前記貯蔵デバイスから受信された要求のうちの少なくとも１つに応じて確立される、請求項４９に記載の方法。
【請求項５５】
前記符号化されたメタデータの少なくとも一部は、ポジショニング機能、ナビゲーション機能、もしくは位置ベースのサービス機能、のうちの少なくとも１つで前記移動局によって使用するためである、請求項４９に記載の方法。
【請求項５６】
ディレクトリ・デバイス内で使用するための装置であって、
少なくとも１つの屋内領域の少なくとも一部に関して、電子マップもしくはアクセス・ポイント・ロケータの少なくとも１つを取得するための手段と、
少なくとも一部では、前記電子マップもしくは前記アクセス・ポイント・ロケータの少なくとも１つに基づいて、前記少なくとも１つの屋内領域の少なくとも前記一部に関して符号化されたメタデータを確立するための手段と、
貯蔵デバイスに対して前記符号化されたメタデータを送信するための手段と、
移動局から貯蔵デバイス識別子に関する要求を受信するための手段であって、前記貯蔵デバイス識別子に関する前記要求は、前記移動局の少なくとも第１推定位置を示す、受信するための手段と、
前記第１推定位置が前記少なくとも１つの屋内領域の前記少なくとも前記一部に相当するという決定に応答して、前記移動局に対して前記貯蔵デバイスに関する貯蔵デバイス識別子を送信するための手段と、
を備えた装置。
【請求項５７】
前記第１推定位置が前記少なくとも１つの屋内領域の前記少なくとも前記一部に相当するという決定に応答して、前記電子マップ、前記アクセス・ポイント・ロケータ、もしくは前記符号化されたメタデータのうちの少なくとも１つに関する少なくとも１つの識別子を前記移動局に対して送信するための手段、をさらに備える、請求項５６に記載の装置。
【請求項５８】
暗号化鍵を用いて前記符号化されたメタデータを暗号化するための手段と、
前記移動局に対して前記暗号化鍵に相当する解読鍵を送信するための手段と、
をさらに備える、請求項５６に記載の装置。
【請求項５９】
群衆ソーシング・デバイスから前記少なくとも１つの屋内領域に関する追加メタデータを取得するための手段と、
さらに、少なくとも一部では、前記追加メタデータの少なくとも一部に基づいて、前記符号化されたメタデータを確立するための手段と、
をさらに備える、請求項５６に記載の装置。
【請求項６０】
前記符号化されたメタデータを確立するための前記手段は、前記貯蔵デバイス識別子に関する前記要求が前記移動局から受信されているよりも前に、前記符号化されたメタデータを確立する、請求項５６に記載の装置。
【請求項６１】
前記符号化されたメタデータを確立するための前記手段は、前記移動局からの前記貯蔵デバイス識別子に関する前記要求か、あるいは前記貯蔵デバイスから受信される要求、のうちの少なくとも１つを受信することに応答して、少なくとも一部では、前記符号化されたメタデータを確立する、請求項５６に記載の装置。
【請求項６２】
ディレクトリ・デバイスにおいて、
ネットワーク・インターフェースと、
前記ネットワーク・インターフェースを経由して、少なくとも１つの屋内領域の少なくとも一部に関して、電子マップもしくはアクセス・ポイント・ロケータの少なくとも１つを、取得し、
少なくとも一部では、前記電子マップもしくは前記アクセス・ポイント・ロケータの少なくとも１つに基づいて、前記少なくとも１つの屋内領域の少なくとも前記一部に関する符号化されたメタデータを確立し、
前記ネットワーク・インターフェースを経由して貯蔵デバイスに対して前記符号化されたメタデータの送信を開始し、
前記ネットワーク・インターフェースを経由して移動局から貯蔵デバイス識別子に関する要求を取得することであって、前記貯蔵デバイス識別子に関する前記要求は、前記移動局の少なくとも第１推定位置を示す、取得し、
前記第１推定位置は前記少なくとも１つの屋内領域の前記少なくとも前記一部に相当するという決定に応答して、前記ネットワーク・インターフェースを経由して、前記移動局に対して前記貯蔵デバイスに関する貯蔵デバイス識別子の送信を開始するための、
処理ユニットと、
を備えるコンピューティング・プラットホーム。
【請求項６３】
前記処理ユニットは、さらに、前記第１推定位置が前記少なくとも１つの屋内領域の前記少なくとも前記一部に相当するという決定に応答して、前記ネットワーク・インターフェースを経由して前記移動局に対して、前記電子マップ、前記アクセス・ポイント・ロケータ、もしくは前記符号化されたメタデータのうちの少なくとも１つに関する少なくとも１つの識別子の送信を開始する、請求項６２に記載のコンピューティング・プラットホーム。
【請求項６４】
前記処理ユニットは、さらに、
暗号化鍵を用いて前記符号化されたメタデータを暗号化し、
前記ネットワーク・インターフェースを経由して前記移動局に対して前記暗号化鍵に相当する解読鍵の送信を開始する、
請求項６２に記載のコンピューティング・プラットホーム。
【請求項６５】
前記処理ユニットは、さらに、
前記ネットワーク・インターフェースを経由して群衆ソーシング・デバイスから前記少なくとも１つの屋内領域に関する追加メタデータを取得し、
少なくとも一部では、さらに、前記追加メタデータの少なくとも一部に基づいて前記符号化されたメタデータを確立する、
請求項６２に記載のコンピューティング・プラットホーム。
【請求項６６】
前記処理ユニットは、さらに、前記移動局から受信されている前記貯蔵デバイス識別子に関する前記要求よりも前に、前記符号化されたメタデータを確立する、請求項６２に記載のコンピューティング・プラットホーム。
【請求項６７】
前記処理ユニットは、さらに、少なくとも一部では、前記移動局からの前記貯蔵デバイス識別子に関する前記要求、もしくは、前記ネットワーク・インターフェースを経由して前記貯蔵デバイスからの要求、のうちの少なくとも１つを受信することに応答して、前記符号化されたメタデータを確立する、請求項６２に記載のコンピューティング・プラットホーム。
【請求項６８】
前記符号化されたメタデータの少なくとも一部をさらに確立するための前記処理ユニットは、ポジショニング機能、ナビゲーション機能、もしくは、位置ベースのサービス機能、のうちの少なくとも１つで、前記移動局によって使用するためである、請求項６２に記載のコンピューティング・プラットホーム。
【請求項６９】
少なくとも１つの屋内領域の少なくとも一部に関して、電子マップもしくはアクセス・ポイント・ロケータの少なくとも１つを取得し、
少なくとも一部では、前記電子マップもしくは前記アクセス・ポイント・ロケータの少なくとも１つに基づいて、前記少なくとも１つの屋内領域の少なくとも前記一部に関して符号化されたメタデータを確立し、
貯蔵デバイスに対して前記符号化されたメタデータの送信を開始し、
移動局から貯蔵デバイス識別子に関する要求を取得することであって、前記貯蔵デバイス識別子に関する前記要求は、前記移動局の少なくとも第１推定位置を示す、取得し、
前記第１推定位置は前記少なくとも１つの屋内領域の前記少なくとも前記一部に相当するという決定に応答して、前記移動局に対して前記貯蔵デバイスに関する貯蔵デバイス識別子の送信を開始する、
ように、ディレクトリ・デバイス内で処理ユニットによって実行可能であるコンピュータ・インプリメント可能命令がそこに格納されている非一時的なコンピュータ可読媒体、
を備えるアーティクル。
【請求項７０】
前記コンピュータ・インプリメント可能命令は、
前記第１推定位置が前記少なくとも１つの屋内領域の前記少なくとも前記一部に相当するという決定に応答して、前記電子マップ、前記アクセス・ポイント・ロケータ、もしくは前記符号化されたメタデータのうちの少なくとも１つに関する少なくとも１つの識別子の送信を、前記移動局に対して、開始する、
ように前記処理ユニットによってさらに実行可能である、請求項６９に記載のアーティクル。
【請求項７１】
前記コンピュータ・インプリメント可能命令は、
暗号化鍵を使用して前記符号化されたメタデータを暗号化し、
前記移動局に対して前記暗号化鍵に相当する解読鍵の送信を開始する、
ように前記処理ユニットによってさらに実行可能である、請求項６９に記載のアーティクル。
【請求項７２】
前記コンピュータ・インプリメント可能命令は、
群衆ソーシング・デバイスから前記少なくとも１つの屋内領域に関する追加メタデータを取得し、
少なくとも一部では、前記追加メタデータの少なくとも一部にさらに基づいて、前記符号化されたメタデータを確立する、
ように前記処理ユニットによってさらに実行可能である、請求項６９に記載のアーティクル。
【請求項７３】
前記コンピュータ・インプリメント可能命令は、
前記移動局から前記貯蔵デバイス識別子に関する前記要求を取得するよりも前に、前記符号化されたメタデータを確立する、
ように前記処理ユニットによってさらに実行可能である、請求項６９に記載のアーティクル。
【請求項７４】
前記コンピュータ・インプリメント可能命令は、前記移動局からの前記貯蔵デバイス識別子に関する前記要求か、あるいは、前記貯蔵デバイスから受信された要求、のうちの少なくとも１つに応じて、前記符号化されたメタデータの少なくとも一部を確立する、
ように前記処理ユニットによってさらに実行可能である、請求項６９に記載のアーティクル。
【請求項７５】
貯蔵デバイスにおいて、
電子マップもしくはアクセス・ポイント・ロケータの少なくとも１つに相当する少なくとも１つの屋内領域の少なくとも一部に関する符号化されたメタデータを取得することと、
移動局から、少なくとも１つの屋内領域に関するポジション・アシスタンス・データに関する要求を受信することと、
前記移動局に対して、前記ポジション・アシスタンス・データの少なくとも一部を送信することであって、前記ポジション・アシスタンス・データは、少なくとも一部では、前記符号化されたメタデータ、および、前記符号化されたメタデータに相当する前記電子マップもしくは前記アクセス・ポイント・ロケータの少なくとも１つの少なくとも一部を備える、送信することと、
を備える方法。
【請求項７６】
前記符号化されたメタデータを取得することは、前記貯蔵デバイスにおいて、
少なくとも一部では、前記電子マップもしくは前記アクセス・ポイント・ロケータのうちの少なくとも１つに基づいて、前記少なくとも１つの屋内領域の少なくとも前記一部に関して前記符号化されたメタデータの少なくとも一部を確立すること、
をさらに備える、請求項７５に記載の方法。
【請求項７７】
前記貯蔵デバイスにおいて、
群衆ソーシング・デバイスから前記少なくとも１つの屋内領域に関する追加メタデータを取得すること、
をさらに備え、ここで前記符号化されたメタデータの前記少なくとも前記一部を確立することは、少なくとも一部では、前記追加メタデータの少なくとも一部に基づいて前記符号化されたメタデータの前記少なくとも前記一部を確立することをさらに備える、
請求項７６に記載の方法。
【請求項７８】
前記符号化されたメタデータを取得することは、前記貯蔵デバイスにおいて、
ディレクトリ・デバイスから前記符号化されたメタデータの少なくとも一部を受信すること、
をさらに備える、請求項７５に記載の方法。
【請求項７９】
前記符号化されたメタデータの少なくとも一部は、前記ディレクトリ・デバイスによって暗号化されている、請求項７５に記載の方法。
【請求項８０】
前記符号化されたメタデータの少なくとも一部は、ポジション・アシスタンス・データに関する前記要求を受信するよりも前に、少なくとも一部では、確立される、請求項７５に記載の方法。
【請求項８１】
前記符号化されたメタデータの少なくとも一部は、ポジション・アシスタンス・データに関する前記要求に応じて、少なくとも一部では、確立される、請求項７５に記載の方法。
【請求項８２】
前記貯蔵デバイスにおいて、
少なくとも一部では、前記少なくとも１つの屋内領域に関する少なくとも１つの現場図に基づいて、前記電子マップもしくは前記アクセス・ポイント・ロケータのうちの少なくとも１つを確立すること、
をさらに備える、請求項７５に記載の方法。
【請求項８３】
前記符号化されたメタデータの少なくとも一部は、ポジショニング機能、ナビゲーション機能、もしくは位置ベースのサービス機能、のうちの少なくとも１つで、前記移動局内で使用するためである、請求項７５に記載の方法。
【請求項８４】
貯蔵デバイス内で使用するための装置であって、
電子マップもしくはアクセス・ポイント・ロケータの少なくとも１つに相当する少なくとも１つの屋内領域の少なくとも一部に関する符号化されたメタデータを取得するための手段と、
移動局から、少なくとも１つの屋内領域に関するポジション・アシスタンス・データに関する要求を受信するための手段と、
前記移動局に対して、前記ポジション・アシスタンス・データの少なくとも一部を送信するための手段であって、前記ポジション・アシスタンス・データは、少なくとも一部では、前記符号化されたメタデータ、および、前記符号化されたメタデータに相当する前記電子マップもしくは前記アクセス・ポイント・ロケータの少なくとも１つの少なくとも一部を備える、送信するための手段と、
を備える装置。
【請求項８５】
前記符号化されたメタデータを取得するための前記手段は、
少なくとも一部では、前記電子マップもしくは前記アクセス・ポイント・ロケータのうちの少なくとも１つに基づいて前記少なくとも１つの屋内領域の少なくとも前記一部に関する前記符号化されたメタデータの少なくとも一部を確立するための手段、
をさらに備える、請求項８４に記載の装置。
【請求項８６】
群衆ソーシング・デバイスから前記少なくとも１つの屋内領域に関する追加メタデータを取得するための手段、
をさらに備え、ここで前記符号化されたメタデータの前記少なくとも前記一部を確立するための前記手段は、少なくとも一部では、前記追加メタデータの少なくとも一部に基づいて前記符号化されたメタデータの前記少なくとも前記一部を確立するための手段、をさらに備える、
請求項８５に記載の装置。
【請求項８７】
前記符号化されたメタデータの少なくとも前記部分を確立するための前記手段は、少なくとも一部では、ポジション・アシスタンス・データに関する前記要求に応じて、前記符号化されたメタデータの少なくとも前記一部を確立する、請求項８５に記載の装置。
【請求項８８】
少なくとも一部では、前記少なくとも１つの屋内領域に関する少なくとも１つの現場図に基づいて、前記電子マップもしくは前記アクセス・ポイント・ロケータ、のうちの少なくとも１つを確立するための手段、
をさらに備える、請求項８４に記載の装置。
【請求項８９】
貯蔵デバイスにおいて、
ネットワーク・インターフェースと、
電子マップもしくはアクセス・ポイント・ロケータの少なくとも１つに相当する少なくとも１つの屋内領域の少なくとも一部に関する符号化されたメタデータを取得し、
前記ネットワーク・インターフェースを経由して、移動局から、少なくとも１つの屋内領域に関するポジション・アシスタンス・データに関する要求を取得し、
前記ネットワーク・インターフェースを経由して、前記移動局に対して、前記ポジション・アシスタンス・データの少なくとも一部の送信を開始することであって、前記ポジション・アシスタンス・データは、少なくとも一部では、前記符号化されたメタデータ、および、前記符号化されたメタデータに相当する前記電子マップもしくは前記アクセス・ポイント・ロケータの少なくとも１つの少なくとも一部を備え、開始する、
ための処理ユニットと、
を備えるコンピューティング・プラットホーム。
【請求項９０】
前記処理ユニットは、さらに、
少なくとも一部では、前記電子マップもしくは前記アクセス・ポイント・ロケータのうちの少なくとも１つに基づいて、前記少なくとも１つの屋内領域の少なくとも前記一部に関する前記符号化されたメタデータの少なくとも一部を確立する、
請求項８９に記載のコンピューティング・プラットホーム。
【請求項９１】
前記処理ユニットは、さらに、
前記ネットワーク・インターフェースを経由して群衆ソーシング・デバイスから前記少なくとも１つの屋内領域に関する追加メタデータを取得し、
さらに、少なくとも一部では、前記追加メタデータの少なくとも一部に基づいて前記符号化されたメタデータの前記少なくとも前記一部を確立する、
請求項９０に記載のコンピューティング・プラットホーム。
【請求項９２】
前記処理ユニットは、さらに、
少なくとも一部では、ポジション・アシスタンス・データに関する前記要求に応じて、前記符号化されたメタデータの少なくとも前記一部を確立する、
請求項９０に記載のコンピューティング・プラットホーム。
【請求項９３】
前記処理ユニットは、さらに、
少なくとも一部では、前記少なくとも１つの屋内領域に関する少なくとも１つの現場図に基づいて、前記電子マップもしくは前記アクセス・ポイント・ロケータ、のうちの少なくとも１つを確立する、
請求項９０に記載のコンピューティング・プラットホーム。
【請求項９４】
電子マップもしくはアクセス・ポイント・ロケータの少なくとも１つに相当する少なくとも１つの屋内領域の少なくとも一部に関する符号化されたメタデータを取得し、
移動局から、少なくとも１つの屋内領域に関するポジション・アシスタンス・データに関する要求を取得し、
前記移動局に対して、前記ポジション・アシスタンス・データの少なくとも一部の送信を開始することであって、前記ポジション・アシスタンス・データは、少なくとも一部では、前記符号化されたメタデータ、および、前記符号化されたメタデータに相当する前記電子マップもしくは前記アクセス・ポイント・ロケータの少なくとも１つの少なくとも一部を備え、開始する、
ように、貯蔵デバイス内で処理ユニットによって実行可能である、コンピュータ・インプリメント可能命令をそこに格納している、非一時的なコンピュータ可読媒体、
を備えるアーティクル。
【請求項９５】
前記コンピュータ・インプリメント可能命令は、
少なくとも一部では、前記電子マップもしくは前記アクセス・ポイント・ロケータのうちの少なくとも１つに基づいて前記少なくとも１つの屋内領域の少なくとも前記一部に関する前記符号化されたメタデータの少なくとも一部を確立する、
ように前記処理ユニットによってさらに実行可能である、請求項９４に記載のアーティクル。
【請求項９６】
前記コンピュータ・インプリメント可能命令は、
群衆ソーシング・デバイスから前記少なくとも１つの屋内領域に関する追加メタデータを取得し、
少なくとも一部では、さらに前記追加メタデータの少なくとも一部に基づいて前記符号化されたメタデータの前記少なくとも前記一部を確立する、
ように前記処理ユニットによってさらに実行可能である、請求項９５に記載のアーティクル。
【請求項９７】
前記コンピュータ・インプリメント可能命令は、
少なくとも一部では、ポジション・アシスタンス・データに関する前記要求に応じて、前記符号化されたメタデータの少なくとも前記一部を確立する、
ように前記処理ユニットによってさらに実行可能である、請求項９５に記載のアーティクル。
【請求項９８】
前記コンピュータ・インプリメント可能命令は、
少なくとも一部では、前記少なくとも１つの屋内領域に関する少なくとも１つの現場図に基づいて、前記電子マップもしくは前記アクセス・ポイント・ロケータのうちの少なくとも１つを確立する、
ように前記処理ユニットによってさらに実行可能である、請求項９５に記載のアーティクル。
【発明の詳細な説明】
【関連出願】
【０００１】
これは、同一表題を有し２０１１年７月２０日に出願された米国非仮特許出願第１３／１８７，４０５号、および、「INDOOR POSITIONING SERVER ARCHITECTURE」と題を付けられ２０１０年７月２３日に出願された米国仮特許出願第６１／３６７，３４０号、および、「MOBILE-SERVER ARCHITECTURE OPTIONS」と題を付けられ２０１０年７月３０日に出願された米国仮特許出願第６１／３６９，５４８号、に対して優先権を主張するPCT出願であり、これらのうち全てが参照によってここに組み込まれる。
【技術分野】
【０００２】
ここに開示された技術主題は電子デバイスに関連しており、より詳細には、複数の異なる屋内領域の少なくとも１つについて、移動局に対して、ポジション・アシスタンス・データ（position assistance data）および／または類似物を提供するために、コンピューティング・プラットホームおよび／または移動局を備える多様なデバイスにおける使用を目的とした方法および装置に関連している。
【背景技術】
【０００３】
全地球測位システム（GPS：Global Positioning System）は、全世界的衛星航法システム（GNSS：Global Navigation Satellite System）の１つのタイプを表し、これは、衛星測位システム（SPS：satellite positioning system）の他のタイプに加えて、移動局において、より詳細には屋外環境において、信号ベースのポジション・ロケーション能力（例えば、ナビゲーション機能）を提供、もしくはサポートする。しかしながら、いくつかの衛星信号は、屋内環境の中、あるいは他の類似の屋内／屋外混合環境の中で、移動局によって確実に受信され得ず、かつ／または、取得され得ないので、異なる技法がポジション・ロケーション・サービスを有効にするために使用され得る。
【０００４】
例えば、移動局は、既知の位置に配置されている３個以上の地上の送信器（例えば、ワイヤレス・アクセス・ポイント、ビーコン、セル・タワー、など）に対して範囲（range）を測定することによって、ポジション固定を取得することを試み得る。そのような範囲は、例えば、そのような送信器から受信された信号からＭＡＣ  ＩＤアドレスを取得すること、および、例えば、信号強度、往復遅延時間（round trip delay time）などの、そのような送信器から受信された信号の１つまたは複数の特性を測定することによって送信器に対する範囲測定を取得すること、によって測定され得る。
【０００５】
これらのポジション・ロケーションおよびナビゲーション技法、およびその他の類似のポジション・ロケーションおよびナビゲーション技法は、とあるマップされた特徴が提示された場合、ユーザに対してさらに役立つ傾向がある。例えば、マップされた特徴は、建物もしくはその集合体の中で、とある物理的対象、特性、あるいは関心のある点（point of interest）に関連し得るか、もしくはそれらを識別し得る。したがって、とある事例において、屋内ナビゲーション・システムは、例えば、ポジション・アシスタンス・データに関する要求に応じて、特定の屋内領域に入ることによって、移動局へデジタル電子マップを提供し得る。そのようなマップは、ドア、玄関、通路、壁などの屋内の特徴、バスルーム、有料電話、部屋名、店などの関心のある点を示し得る。そのようなデジタル電子マップは、例えば、ＵＲＬの選択を介して、移動局によってアクセス可能となるように、サーバに格納され得る。そのようなマップを取得することおよび表示することによって、移動局は、表示されたマップ上に移動局（およびユーザ）の現在の位置を重ね合わせ、ユーザに追加のコンテキストを提供し得る。
【０００６】
とある事例において、ナビゲーション目的もしくはその他の類似の目的のために移動局へ提供され得、かつ／または移動局によって使用され得るいくつかの情報は、重要な値を有し得、例えば、該情報は知的所有権を備え得るか、もしくは所有能力（proprietary capability）などに関連し得る。いくつかの事例では、いくつかの情報は、機密であり得るか、あるいは、そこにプライバシーまたは秘密が望まれ得る、いくつかの態様に関連し得る。したがって、効率的な方法でそのような情報を提供するだけではなく、多様なデバイスおよび通信リソースによって、送信され、格納され、かつ／または処理されるそのような情報の普及を注意深く制御することも、役立ち得る。
【発明の概要】
【０００７】
方法および装置は、一例として、複数の異なる屋内領域の少なくとも１つに関して、移動局に対してポジション・アシスタンス・データおよび／または類似のものを提供するように、多様なデバイスにおいてインプリメントされ得るように、提供される。
【０００８】
一例のインプリメンテーションに基づいて、方法は、移動局においてインプリメントされ得、貯蔵（repository）デバイスに対して少なくとも１つの屋内領域に関するポジション・アシスタンス・データに関する要求を送信することと、前記貯蔵デバイスから前記ポジション・アシスタンス・データを受信することであって、前記ポジション・アシスタンス・データは、少なくとも一部では、前記少なくとも１つの屋内領域の少なくとも一部に関する符号化されたメタデータ、および、電子マップもしくはアクセス・ポイント・ロケータの少なくとも１つに相当するものを備える、受信することと、前記移動局の位置を推定する際に使用するための少なくとも１つの機能に対して前記符号化されたメタデータの少なくとも一部を提供することと、を備える。とある例のインプリメンテーションでは、ポジション・アシスタンス・データに関する要求が貯蔵デバイス識別子を備え得る。とあるさらなる例のインプリメンテーションでは、そのような方法は移動局においてインプリメントされ得、かつ、ディレクトリ（directory）デバイスに対して貯蔵デバイス識別子に関する要求を送信することであって、前記貯蔵デバイス識別子に関する前記要求が前記移動局の少なくとも第１推定位置を示している、送信することと、前記ディレクトリ・デバイスから前記貯蔵デバイスに関する前記貯蔵デバイス識別子を受信することであって、前記貯蔵デバイス識別子は前記貯蔵デバイスと前記第１推定位置に相当する前記少なくとも１つの屋内領域とを識別する、受信することと、をさらに備える。
【０００９】
別の例のインプリメンテーションに基づいて、装置方法は、移動局内で使用するためにインプリメントされ得、貯蔵デバイスに対して少なくとも１つの屋内領域に関するポジション・アシスタンス・データに関する要求を送信するための手段と、前記貯蔵デバイスから前記ポジション・アシスタンス・データを受信するための手段であって、前記ポジション・アシスタンス・データは、少なくとも一部では、前記少なくとも１つの屋内領域の少なくとも一部に関する符号化されたメタデータ、および、電子マップもしくはアクセス・ポイント・ロケータの少なくとも１つに相当するものを備える、受信するための手段と、前記移動局の位置を推定する際に使用するための少なくとも１つの機能に対して前記符号化されたメタデータの少なくとも一部を提供するための手段と、を備える。とあるさらなる例のインプリメンテーションでは、そのような装置は、ディレクトリ・デバイスに対して貯蔵デバイス識別子に関する要求を送信するための手段であって、前記貯蔵デバイス識別子に関する前記要求が、前記移動局の少なくとも第１推定位置を示している、送信するための手段と、前記ディレクトリ・デバイスから前記貯蔵デバイスに関する前記貯蔵デバイス識別子を受信するための手段であって、前記貯蔵デバイス識別子は、前記貯蔵デバイスと前記第１推定位置に相当する前記少なくとも１つの屋内領域とを識別する、受信するための手段と、をさらに備える。
【００１０】
まだ別の例のインプリメンテーションに基づいて、モバイルは、少なくとも１つのネットワーク・インターフェースと、貯蔵デバイスに対して少なくとも１つの屋内領域に関するポジション・アシスタンス・データに関する要求の送信を開始し、前記ネットワーク・インターフェースを経由して前記貯蔵デバイスから前記ポジション・アシスタンス・データを取得することであって、前記ポジション・アシスタンス・データは、少なくとも一部では、前記少なくとも１つの屋内領域の少なくとも一部に関する符号化されたメタデータ、および、電子マップもしくはアクセス・ポイント・ロケータの少なくとも１つに相当するもの、を備える、取得し、前記移動局の位置を推定する際に使用するための少なくとも１つの機能に対して前記符号化されたメタデータの少なくとも一部を提供する、処理ユニットと、を備え得る。とあるさらなる例のインプリメンテーションでは、１つまたは複数の処理ユニットは、さらに、前記ネットワーク・インターフェースを経由してディレクトリ・デバイスに対して貯蔵デバイス識別子に関する要求の送信を開始することであって、前記貯蔵デバイス識別子に関する前記要求は前記移動局の少なくとも第１推定位置を示す、開始し、前記ネットワーク・インターフェースを経由して前記ディレクトリ・デバイスから前記貯蔵デバイスに関する前記貯蔵デバイス識別子を取得することであって、前記貯蔵デバイス識別子は、前記貯蔵デバイス、および、前記第１推定位置に相当する前記少なくとも１つの屋内領域を識別する、取得する。
【００１１】
また別の例のインプリメンテーションに基づいて、製造品のアーティクル（article）は提供され得、貯蔵デバイスに対して少なくとも１つの屋内領域に関するポジション・アシスタンス・データに関する要求の送信を開始し、前記貯蔵デバイスから前記ポジション・アシスタンス・データを取得することであって、前記ポジション・アシスタンス・データは、少なくとも一部では、前記少なくとも１つの屋内領域の少なくとも一部に関する符号化されたメタデータ、および、電子マップもしくはアクセス・ポイント・ロケータの少なくとも１つに相当するもの、を備える、取得し、前記移動局の位置を推定する際に使用するための少なくとも１つの機能に対して前記符号化されたメタデータの少なくとも一部を提供する、ように移動局内で処理ユニットによって実行可能な、そこに格納されたコンピュータ・インプリメント可能命令を有する少なくとも１つの非一時的なコンピュータ可読媒体を備える。とあるさらなる例のインプリメンテーションでは、とあるコンピュータ・インプリメント可能命令は、ディレクトリ・デバイスに対して貯蔵デバイス識別子に関する要求の送信を開始することであって、前記貯蔵デバイス識別子に関する前記要求は、前記移動局の少なくとも１つの第１推定位置を示す、開始し、前記ディレクトリ・デバイスから前記貯蔵デバイスに関する前記貯蔵デバイス識別子を取得することであって、前記貯蔵デバイス識別子は、前記貯蔵デバイスと前記第１推定位置に相当する前記少なくとも１つの屋内領域とを識別する、取得する、ように前記処理ユニットによってさらに実行可能であり得る。
【００１２】
まだ他の例のインプリメンテーションに基づいて、方法は、マップ推論デバイスの１つまたは複数のコンピューティング・プラットホームにおいてインプリメントされ得る。そのような方法は、少なくとも１つの屋内領域の少なくとも一部に関して電子マップもしくはアクセス・ポイント・ロケータの少なくとも１つを取得することと、少なくとも一部では、前記電子マップもしくは前記アクセス・ポイント・ロケータの少なくとも１つに基づいて、前記少なくとも１つの屋内領域の少なくとも前記一部に関する符号化されたメタデータを確立することと、貯蔵デバイスに対して前記符号化されたメタデータを送信することであって、前記貯蔵デバイスは、移動局から受信されたポジション・アシスタンス・データに関する要求に応じて、前記移動局に対して前記符号化されたメタデータの少なくとも一部を提供する、送信することと、を備え得る。
【００１３】
また他の例のインプリメンテーションに基づいて、装置は、マップ推論デバイスにおいて使用するためにインプリメントされ得、そのような装置は、少なくとも１つの屋内領域の少なくとも一部に関して電子マップもしくはアクセス・ポイント・ロケータの少なくとも１つを取得するための手段と、少なくとも一部では、前記電子マップもしくは前記アクセス・ポイント・ロケータの少なくとも１つに基づいて前記少なくとも１つの屋内領域の少なくとも前記一部に関する符号化されたメタデータを確立するための手段と、貯蔵デバイスに対して前記符号化されたメタデータを送信するための手段であって、前記貯蔵デバイスは、移動局から受信されたポジション・アシスタンス・データに関する要求に応じて、前記移動局に対して前記符号化されたメタデータの少なくとも一部を提供する、送信するための手段と、を備え得る。
【００１４】
別の例のインプリメンテーションに基づいて、１つまたは複数のコンピューティング・プラットホームは、マップ推論デバイスで使用するために提供され得、少なくとも１つのネットワーク・インターフェースと、前記ネットワーク・インターフェースを経由して、少なくとも１つの屋内領域の少なくとも一部に関して、電子マップもしくはアクセス・ポイント・ロケータの少なくとも１つを取得し、少なくとも一部では、前記電子マップもしくは前記アクセス・ポイント・ロケータの少なくとも１つに基づいて、前記少なくとも１つの屋内領域の少なくとも前記一部に関する符号化されたメタデータを確立し、貯蔵デバイスに対して前記ネットワーク・インターフェースを経由して前記符号化されたメタデータの送信を開始することであって、前記貯蔵デバイスは、移動局から受信されたポジション・アシスタンス・データに関する要求に応答して、前記移動局に対して前記符号化されたメタデータの少なくとも一部を提供する、開始する、少なくとも１つの処理ユニットと、を備える。
【００１５】
また別の例のインプリメンテーションに基づいて、製造品のアーティクルは、提供され得、少なくとも１つの屋内領域の少なくとも一部に関して、電子マップもしくはアクセス・ポイント・ロケータの少なくとも１つを取得し、少なくとも一部では、前記電子マップもしくは前記アクセス・ポイント・ロケータの少なくとも１つに基づいて、前記少なくとも１つの屋内領域の少なくとも前記一部に関する符号化されたメタデータを確立し、貯蔵デバイスに対して前記符号化されたメタデータの送信を開始することであって、前記貯蔵デバイスは、移動局から受信されたポジション・アシスタンス・データに関する要求に応じて、前記移動局に対して前記符号化されたメタデータの少なくとも一部を提供する、開始する、ように、ディレクトリ・デバイス内の処理ユニットによって実行可能であるコンピュータ・インプリメント可能命令をそこに格納している少なくとも１つの非一時的なコンピュータ可読媒体、を備える。
【００１６】
また別の例のインプリメンテーションに基づいて、方法は、ディレクトリ・デバイスにおいて、インプリメントされ得、少なくとも１つの屋内領域の少なくとも一部に関して、電子マップもしくはアクセス・ポイント・ロケータの少なくとも１つを取得することと、少なくとも一部では、前記電子マップもしくは前記アクセス・ポイント・ロケータの少なくとも１つに基づいて、前記少なくとも１つの屋内領域の少なくとも前記一部に関して符号化されたメタデータを確立することと、貯蔵デバイスに対して前記符号化されたメタデータを送信することと、移動局から貯蔵デバイス識別子に関する要求を受信することであって、前記貯蔵デバイス識別子に関する前記要求は、前記移動局の少なくとも第１推定位置を示す、受信することと、前記第１推定位置が前記少なくとも１つの屋内領域の前記少なくとも前記一部に相当する決定することに応答して、前記移動局に対して前記貯蔵デバイスに関する貯蔵デバイス識別子を送信することと、を備える。
【００１７】
別の例のインプリメンテーションに基づいて、装置は、ディレクトリ・デバイス内で使用するために提供され得、そのような装置は、少なくとも１つの屋内領域の少なくとも一部に関して、電子マップもしくはアクセス・ポイント・ロケータの少なくとも１つを取得するための手段と、少なくとも一部では、前記電子マップもしくは前記アクセス・ポイント・ロケータの少なくとも１つに基づいて、前記少なくとも１つの屋内領域の少なくとも前記一部に関して符号化されたメタデータを確立するための手段と、貯蔵デバイスに対して前記符号化されたメタデータを送信するための手段と、移動局から貯蔵デバイス識別子に関する要求を受信するための手段であって、前記貯蔵デバイス識別子に関する前記要求は、前記移動局の少なくとも第１推定位置を示す、受信するための手段と、前記第１推定位置が前記少なくとも１つの屋内領域の前記少なくとも前記一部に相当するという決定に応答して、前記移動局に対して前記貯蔵デバイスに関する貯蔵デバイス識別子を送信するための手段と、を備え得る。
【００１８】
まだ他の例のインプリメンテーションに基づいて、少なくとも１つのコンピューティング・プラットホームは、ディレクトリ・デバイスにおいて、インプリメントされ得、ネットワーク・インターフェースと、前記ネットワーク・インターフェースを経由して、少なくとも１つの屋内領域の少なくとも一部に関して、電子マップもしくはアクセス・ポイント・ロケータの少なくとも１つを、取得し、少なくとも一部では、前記電子マップもしくは前記アクセス・ポイント・ロケータの少なくとも１つに基づいて、前記少なくとも１つの屋内領域の少なくとも前記一部に関する符号化されたメタデータを確立し、前記ネットワーク・インターフェースを経由して貯蔵デバイスに対して前記符号化されたメタデータの送信を開始し、前記ネットワーク・インターフェースを経由して移動局から貯蔵デバイス識別子に関する要求を取得することであって、前記貯蔵デバイス識別子に関する前記要求は、前記移動局の少なくとも第１推定位置を示す、取得し、前記第１推定位置は前記少なくとも１つの屋内領域の前記少なくとも前記一部に相当するという決定に応答して、前記ネットワーク・インターフェースを経由して、前記移動局に対して前記貯蔵デバイスに関する貯蔵デバイス識別子の送信を開始するための、処理ユニットと、を備える。
【００１９】
別の例のインプリメンテーションに基づいて、製造品のアーティクルは、提供され得、少なくとも１つの屋内領域の少なくとも一部に関して、電子マップもしくはアクセス・ポイント・ロケータの少なくとも１つを取得し、少なくとも一部では、前記電子マップもしくは前記アクセス・ポイント・ロケータの少なくとも１つに基づいて、前記少なくとも１つの屋内領域の少なくとも前記一部に関して符号化されたメタデータを確立し、前記ネットワーク・インターフェースを経由して貯蔵デバイスに対して前記符号化されたメタデータの送信を開始し、移動局から貯蔵デバイス識別子に関する要求を取得することであって、前記貯蔵デバイス識別子に関する前記要求は、前記移動局の少なくとも第１推定位置を示す、取得し、前記第１推定位置は前記少なくとも１つの屋内領域の前記少なくとも前記一部に相当するという決定に応答して、前記移動局に対して前記貯蔵デバイスに関する貯蔵デバイス識別子の送信を開始する、ように、ディレクトリ・デバイス内で処理ユニットによって実行可能であるコンピュータ・インプリメント可能命令がそこに格納されている少なくとも１つの非一時的なコンピュータ可読媒体、を備える。
【００２０】
また他の例のインプリメンテーションに基づいて、方法は、貯蔵デバイスにおいてインプリメントされ得、電子マップもしくはアクセス・ポイント・ロケータの少なくとも１つに相当する少なくとも１つの屋内領域の少なくとも一部に関する符号化されたメタデータを取得することと、移動局から少なくとも１つの屋内領域に関するポジション・アシスタンス・データに関する要求を受信することと、前記移動局に対して前記ポジション・アシスタンス・データの少なくとも一部を送信することであって、前記ポジション・アシスタンス・データは、少なくとも一部では、前記符号化されたメタデータ、および、前記符号化されたメタデータに相当する前記電子マップもしくは前記アクセス・ポイント・ロケータの少なくとも１つの少なくとも一部を備える、送信することと、を備える。
【００２１】
とある他の例のインプリメンテーションに基づいて、装置は、貯蔵デバイス内で使用するために提供され得、電子マップもしくはアクセス・ポイント・ロケータの少なくとも１つに相当する少なくとも１つの屋内領域の少なくとも一部に関する符号化されたメタデータを取得するための手段と、移動局から少なくとも１つの屋内領域に関するポジション・アシスタンス・データに関する要求を受信するための手段と、前記移動局に対して前記ポジション・アシスタンス・データの少なくとも一部を送信するための手段であって、前記ポジション・アシスタンス・データは、少なくとも一部では、前記符号化されたメタデータ、および、前記符号化されたメタデータに相当する前記電子マップもしくは前記アクセス・ポイント・ロケータの少なくとも１つの少なくとも一部を備える、送信するための手段と、を備える。
【００２２】
まだ他の例のインプリメンテーションに基づいて、少なくとも１つのコンピューティング・プラットホームは、貯蔵デバイスにおいて提供され得、少なくとも１つのネットワーク・インターフェースと、電子マップもしくはアクセス・ポイント・ロケータの少なくとも１つに相当する少なくとも１つの屋内領域の少なくとも一部に関する符号化されたメタデータを取得し、前記ネットワーク・インターフェースを経由して、移動局から、少なくとも１つの屋内領域に関するポジション・アシスタンス・データに関する要求を取得し、前記ネットワーク・インターフェースを経由して、前記移動局に対して、前記ポジション・アシスタンス・データの少なくとも一部の送信を開始することであって、前記ポジション・アシスタンス・データは、少なくとも一部では、前記符号化されたメタデータ、および、前記符号化されたメタデータに相当する前記電子マップもしくは前記アクセス・ポイント・ロケータの少なくとも１つの少なくとも一部を備え、開始する、ための少なくとも１つの処理ユニットと、を備える。
【００２３】
とある他の例のインプリメンテーションに基づいて、製造品のアーティクルは、提供され得、電子マップもしくはアクセス・ポイント・ロケータの少なくとも１つに相当する少なくとも１つの屋内領域の少なくとも一部に関する符号化されたメタデータを取得し、移動局から、少なくとも１つの屋内領域に関するポジション・アシスタンス・データに関する要求を取得し、前記移動局に対して、前記ポジション・アシスタンス・データの少なくとも一部の送信を開始することであって、前記ポジション・アシスタンス・データは、少なくとも一部では、前記符号化されたメタデータ、および、前記符号化されたメタデータに相当する前記電子マップもしくは前記アクセス・ポイント・ロケータの少なくとも１つの少なくとも一部を備え、開始する、ように、貯蔵デバイス内で処理ユニットによって実行可能である、コンピュータ・インプリメント可能命令をそこに格納している、少なくとも１つの非一時的なコンピュータ可読媒体、を備える。
【図面の簡単な説明】
【００２４】
限定されず、かつ網羅的ではない態様が以下の図面に関して説明されており、ここで同様の参照数字（numeral）は、他が明記されない限り、多様な図面を通して同様の部分を参照する。
【図１】図１は、１つのインプリメンテーションに基づいて、複数の異なる屋内領域の少なくとも１つに関して移動局に対してポジション・アシスタンス・データなどを提供する際に使用するための、複数のデバイスおよび１つの移動局を含んだ例の環境を示す概略ブロック図である。
【図２】図２は、１つのインプリメンテーションに基づいて、複数の異なる屋内領域の少なくとも１つに関してポジション・アシスタンス・データなどを取得、および使用する際に使用するための、１例の移動局の、とある特徴を示す概略ブロック図である。
【図３】図３は、１つのインプリメンテーションに基づいて、複数の異なる屋内領域の少なくとも１つに関して移動局に対してポジション・アシスタンス・データなどを確立および／または提供するために、１つまたは複数のデバイス内で使用するための、１例のコンピューティング・プラットホームのとある特徴を示す概略ブロック図である。
【図４】図４は、１つのインプリメンテーションに基づいて、複数の異なる屋内領域の少なくとも１つに関してポジション・アシスタンス・データなどを取得し使用するための、移動局に関する１例のプロセスまたは方法のとある特徴を示すフロー図である。
【図５】図５は、１つのインプリメンテーションに基づいて、複数の異なる屋内領域の少なくとも１つに関して移動局に対してポジション・アシスタンス・データなどを確立し、かつ／または提供するために、ディレクトリ・デバイスにおけるコンピューティング・プラットホームに関する１例のプロセスもしくは方法のとある特徴を示すフロー図である。
【図６】図６は、１つのインプリメンテーションに基づいて、複数の異なる屋内領域の少なくとも１つに関して移動局に対してポジション・アシスタンス・データなどを確立し、かつ／または提供するために、推論デバイスにおけるコンピューティング・プラットホームに関する一例のプロセスもしくは方法のとある特徴を示すフロー図である。
【図７】図７は、１つのインプリメンテーションに基づいて、複数の異なる屋内領域の少なくとも１つに関して移動局に対してポジション・アシスタンス・データなどを確立しかつ／または提供するように、貯蔵デバイスにおけるコンピューティング・プラットホームに関する一例のプロセスもしくは方法のとある特徴を示すフロー図である。
【図８】図８は、１つのインプリメンテーションに基づいて、移動局とマップ推論デバイスを含んだ複数のデバイスとを備える環境の１例にインプリメントされ得る、１例の通信セッションを示す概略ブロック図である。
【図９】図９は、１つのインプリメンテーションに基づいて、マップ抽出段階を経由して電子マップを確立し、分析器能力のマップ推論段階を経由して符号化されたメタデータを確立し、かつ、移動局に対して変換（export）する、かつ／または移動局によって使用されるためにポジション・アシスタンス・データを構成する、ための、例のプロセスもしくは方法のとある特徴を示すフロー図である。
【図１０】図１０は、１つのインプリメンテーションに基づいて、移動局と複数のデバイスとを備える別の例の環境でインプリメントされ得る、例の通信セッションを示す概略ブロック図である。
【図１１】図１１は、１つのインプリメンテーションに基づいて、移動局と複数のデバイスとを備えるまた別の例の環境でインプリメントされ得る、例の通信セッションを示す概略ブロック図である。
【図１２】図１２は、１つのインプリメンテーションに基づいて、移動局と複数のデバイスとを備える、さらに別の例の環境でインプリメントされ得る、例の通信セッションを示す概略ブロック図である。
【詳細な説明】
【００２５】
ここに詳細に記載したとおり、多様な方法及び装置が提供され、これらは、複数の異なる屋内領域の少なくとも１つに関して移動局に対してポジション・アシスタンス・データ（position assistance data）などを提供するように、多様なデバイス内でインプリメントされ得る。
【００２６】
最初の例として、方法は、貯蔵デバイスから複数の異なる屋内領域の少なくとも１つに関してポジション・アシスタンス・データを取得するために、移動局においてインプリメントされ得る。そのような例の方法の一部として、移動局は、屋内領域に関して適用可能なポジション・アシスタンス・データを取得すると、移動局が接触すべき特定の貯蔵デバイスに関して、移動局に知らせ得るディレクトリ・デバイスと最初に接触し得る。例えば、移動局は、ディレクトリ・デバイスに対して、貯蔵デバイス識別子に関する要求を送信し得る。そのような要求は、例えば、移動局の少なくとも第１推定位置が、例として、大まかな位置（rough location）、もしくは概略の位置（general location）で識別、もしくは暗示する（hint）ことを、示し得る。例えば、移動局は、その最新の既知の推定位置、もしくは、その現在位置あるいは周囲を推論もしくは関連し得る、その他の情報を示し得る。
【００２７】
移動局は、次いで、貯蔵デバイスを識別するディレクトリ・デバイスから応答（response）を受信し得る。応答は、また、例えば特定の貯蔵識別子を経由して、かつ／または、その他の追加の識別情報を経由して、第１推定位置に相当する少なくとも１つの屋内領域を識別し得る。例えば、ユニフォーム・リソース・ロケータ（ＵＲＬ）もしくはその他の類似の一意のアドレス／識別子が貯蔵デバイスに提供され得、また、位置コンテキスト識別子（ＬＣＩ）および／またはその他の類似の一意の識別子が屋内領域に関して提供され得る。
【００２８】
移動局は、次いで、貯蔵デバイスに対して、屋内領域に関するポジション・アシスタンス・データに関する要求を送信し得る。したがって、そのような要求と共に、移動局が屋内領域内もしくはその周囲にあり得る間は、移動局は、有用となり得る１つまたは複数の特定のデータ・ファイルを要求し得る。例えば、電子マップもしくはアクセス・ポイント・ロケータに関連したデータは、多様な機能で有用となり得、移動局は、例えば、ポジショニング機能、ナビゲーション機能、位置ベースのサービス機能、などを提供し得る。とある事例では、ポジション・アシスタンス・データに関しては、屋内領域の少なくとも一部に関しては符号化されたメタデータを備えるのが有益となり得、また、例えば、これは、電子マップおよび／またはアクセス・ポイント・ロケータに相当し得る。例えば、符号化されたメタデータは、経路（routing）情報および／または実現可能性情報、関心のある点（ＰＯＩ：point of interest）情報、などを備え得、これは、屋内領域をナビゲートする際に役立ち得る。
【００２９】
それに応じて、とある例のインプリメンテーションでは、移動局は、次いで、貯蔵デバイスから適用可能なポジション・アシスタンス・データを受信し得、ここで、ポジション・アシスタンス・データは、少なくとも一部では、屋内領域の少なくとも一部に関する符号化されたメタデータを備え得る。移動局は、例えば、少なくとも１つの機能で使用されるために、（必要であれば）符号化されたメタデータを、復号もしくは、さもなければ処理し得る。
【００３０】
とある例のインプリメンテーションでは、符号化されたメタデータの全てもしくは一部が、セキュリティ目的のために暗号化され得る。したがって、とある事例では、移動局は、解読鍵を取得し得、かつ、符号化されたメタデータの適用可能な復号を実行し得る。とある事例では、移動局は、ディレクトリ・デバイスから解読鍵を受信し得る。したがって、貯蔵デバイスおよび／または、何か他の中継のリソース／デバイスは、符号化されたメタデータの中の、情報の全てに完全にアクセスし得ない。
【００３１】
とある例のインプリメンテーションでは、符号化されたメタデータの少なくとも一部は、ディレクトリ・デバイスおよび／または貯蔵デバイスを経由して、全てにおいてもしくは一部で、提供され得る分析器能力によって、少なくとも一部では確立され得る。とある事例では、符号化されたメタデータの少なくとも一部は、移動局がポジション・アシスタンス・データに関する要求を送信するよりも前に確立され得、例えば、貯蔵デバイスに格納され得る。とある他の事例では、符号化されたメタデータの少なくとも一部は、例えば、「進行中（on-the-fly）」に生成されたポジション・アシスタンス・データに関する要求に応じて、確立され得る。
【００３２】
とある例のインプリメンテーションでは、移動局は、さらに、例えば、少なくとも一部では、受信されたポジション・アシスタンス・データに基づいて、屋内領域内に、第２推定位置を決定し得る。例えば、ポジショニング機能もしくはナビゲーション機能は、（例えば、アクセス・ポイント・ロケータ内で、）ポジション・アシスタンス・データ内で提供され得るように、信号測定および無線モデルもしくは無線ヒートマップ（heatmap）に基づいて、より正確な位置推定を決定し得る。
【００３３】
とある例のインプリメンテーションでは、移動局は、その他のデバイスとインターフェースをとり得る。例えば、移動局は、群衆ソーシング（crowd-sourcing）・デバイスなどに対して、屋内領域に関連して収集されたデータを送信し得る。例えば、移動局は、群衆ソーシング・デバイスなどから、屋内領域に関する追加メタデータを受信し得、これは、少なくとも１つの機能に対して、また、少なくとも１つの機能で用いられ得る。別の例では、移動局は、局所デバイスなどから屋内領域に関する局所メタデータを受信し得、これは、例えば、ポジショニング機能、ナビゲーション機能、位置ベースのサービス機能、など、少なくとも１つの機能に対して提供され得るか、もしくは少なくとも１つの機能で使用され得る。
【００３４】
別の態様に基づいて、方法は、マップ推論デバイスにおいてインプリメントされ得る。例えば、マップ推論デバイスは、少なくとも１つの屋内領域の少なくとも一部に関連する、電子マップおよび／またはアクセス・ポイント・ロケータを取得し得る。例えば、マップ推論デバイスは、特定のＬＣＩなどに関する特定の貯蔵デバイスから、電子マップおよび／またはアクセス・ポイント・ロケータを取得し得る。マップ推論デバイスは、次いで、例えば、１つまたは複数の既知の分析器能力を用いて、少なくとも一部では、相当する電子マップおよび／またはアクセス・ポイント・ロケータに基づいて、そのような屋内領域の少なくとも一部に関して符号化されたメタデータを確立し得る。マップ推論デバイスは、次いで、適用可能な貯蔵デバイスに対して、結果として生じる符号化されたメタデータを送信し得る。とある事例では、符号化されたメタデータは、例えば貯蔵デバイスにおいて、暗号化され得る。
【００３５】
別の態様に基づいて、方法は、ディレクトリ・デバイスにおいてインプリメントされ得る。例えば、ディレクトリ・デバイスは、少なくとも１つの屋内領域の少なくとも一部に関連する電子マップおよび／またはアクセス・ポイント・ロケータを取得し得る。例えば、ディレクトリ・デバイスは、特定のＬＣＩなどに関する特定の貯蔵デバイスから、電子マップおよび／またはアクセス・ポイント・ロケータを取得し得る。ディレクトリ・デバイスは、次いで、例えば、１つまたは複数の既知の分析器能力を用いて、少なくとも一部では、相当する電子マップおよび／またはアクセス・ポイント・ロケータに基づいて、そのような屋内領域の少なくとも一部に関して符号化されたメタデータを確立し得る。ディレクトリ・デバイスは、次いで、適用可能な貯蔵デバイスに対して、結果として生じる符号化されたメタデータを送信し得る。とある事例では、符号化されたメタデータは、例えば、ディレクトリ・デバイス、マップ推論デバイスなどにおいて、暗号化され得る。
【００３６】
また、ディレクトリ・デバイスは、例えば、移動局から貯蔵デバイス識別子に関する要求を受信し得、移動局の少なくとも第１推定位置を、何らかの方法で示す。ディレクトリ・デバイスは、次いで、例えば、第１推定位置が、少なくとも１つの屋内領域の少なくとも一部に相当することを決定し得、移動局に対して適用可能な貯蔵デバイスに関する貯蔵デバイス識別子を送信し得る。
【００３７】
とある例のインプリメンテーションでは、ディレクトリ・デバイスは、また、移動局に対して、適用可能な貯蔵デバイスを経由して格納され得るか、さもなければ利用可能となり得る、適用可能な電子マップ、適用可能なアクセス・ポイント・ロケータに関する１つまたは複数の識別子、符号化されたメタデータなど、を送信し得る。とある事例では、ディレクトリ・デバイスは、移動局に対して、そのような暗号化鍵に相当する、解読鍵を送信し得る。
【００３８】
とある例のインプリメンテーションでは、ディレクトリ・デバイスは、例えば、群衆ソーシング・デバイスなどから、屋内領域に関連して追加メタデータを取得し得、あるいは、さらに、少なくとも一部では、追加メタデータの少なくとも一部に基づいて、符号化されたメタデータを確立し得る。
【００３９】
とある例のインプリメンテーションでは、符号化されたメタデータの少なくとも一部は、移動局から貯蔵デバイス識別子に関する要求を受信するよりも前に、少なくとも一部では、確立され得る。とある例の事例では、符号化されたメタデータの少なくとも一部は、移動局からの貯蔵デバイス識別子に関する要求、および／または、あるいは、貯蔵デバイスなどから受信された要求、に応じて、少なくとも一部では、確立され得る。もちろん、その他の事例では、ディレクトリ・デバイスは、例えば、マップ内の変化、改良された分析技法、時間の経過、新しい暗号化スキーム、新しいデータ圧縮技法、などのその他の理由のために、符号化されたメタデータを、活発に、洗練（refine）し、更新（update）し、あるいはさもなければ復旧（re-establish）し得る。
【００４０】
上記の例を記憶にとめつつ、別の態様に基づいて、方法は、貯蔵デバイスにおいて、インプリメントされ得る。例えば、貯蔵デバイスは、少なくとも１つの屋内領域の少なくとも一部に関して、符号化されたメタデータを取得し得る。したがって、例えば、符号化されたメタデータは、ディレクトリ・デバイスなどから受信され得、かつ／または、あるいは、貯蔵デバイスにおいて確立され得る。
【００４１】
貯蔵デバイスは、例えば、移動局から、少なくとも１つの屋内領域に関するポジション・アシスタンス・データに関する要求を受信し得る。貯蔵デバイスは、次いで、移動局に対して、適用可能なポジション・アシスタンス・データの少なくとも一部を送信し得る。ここで、例えば、そのような送信されたポジション・アシスタンス・データは、適用可能な符号化されたメタデータ、および、相当する電子マップおよび／またはアクセス・ポイント・ロケータを備え得る。
【００４２】
とある例の事例では、貯蔵デバイスは、群衆ソーシング・デバイスなどから、屋内領域に関する追加メタデータを取得し得、少なくとも一部では、追加メタデータの少なくとも一部に基づいて、適用可能な符号化されたメタデータの少なくとも一部を確立し得る。
【００４３】
とある例の事例では、貯蔵デバイスは、少なくとも一部では、屋内領域に関する少なくとも１つの現場（venue）図に基づいて、電子マップの全てもしくは一部、および／または、アクセス・ポイント・ロケータの全てもしくは一部を確立し得る。例えば、コンピュータ・エイデッド・デザイン（ＣＡＤ：computer aided design）図、および／または、その他の類似のファイルは、マップ抽出段階を経由して処理され得、電子マップの全てもしくは一部、および／または、アクセス・ポイント・ロケータの全てもしくは一部を確立し得る。
【００４４】
十分理解され得るとおり、１つまたは複数の貯蔵デバイス、および、１つまたは複数のディレクトリ・デバイスがあり得るが、しかしながら、とある例のインプリメンテーションでは、貯蔵デバイスよりも、十分に少ない、あるいはより「集中化された」もしくは計算上に力強いディレクトリ・デバイスを提供するのが、役立ち得る。そのような場合には、１つまたは複数のデバイス（例えば、ディレクトリ・デバイス１０６、貯蔵デバイス１０８、推論デバイス１４０、など）が、同一の物理デバイスもしくはサーバ内でインプリメントされ得る。もちろん、いくつかの例のインプリメンテーションでは、多様なサーバ・ファームおよび／またはクラウド・コンピューティング配置（cloud computing arrangement）が、そのようなデバイスとして役立つために、必要に応じて適応するように構成され得る。
【００４５】
ここで用いられたとおり、用語「構造体（structure）」は、例えば、物体の、１つまたは複数の自然なかつ／または人工（man-made）の物理配置（のすべてもしくは一部）に対して適用され得、それらの知識は、移動局のユーザに対して有用であり得る。例えば、構造体は、移動局のユーザが、そこに入るか、そこから出るか、および／または、さもなければ、その中を動き回るかし得る、ビルディングの全てもしくは一部を備え得る。いくつかの例の構造体は、屋内空間および屋外空間の混合を備え得る。
【００４６】
ここで用いられたとおり、用語「領域」は、例えば、何らかの方法で区別され得る構造体の全てもしくは一部に関連し得る。とある事例では、例えば、２つ以上の異なる領域は、少なくとも一部では、床、天井、デッキ、壁、階段部屋、エレベータ、歩道、などの、物体の多様な物理配置に基づいて、お互いを区別し得る。したがって、例えば、構造体の２以上の領域は、建物の２つ以上の異なるレベル（例えば、床）、建物内の２以上の事務所の一続きの部屋（office suite）、ショッピング・モール内の店、などに関連し得る。
【００４７】
図１は、１つのインプリメンテーションに基づいて、複数の異なる屋内領域１５２の少なくとも１つに関して、移動局１０２に対してポジション・アシスタンス・データ１２８などを提供する際に使用するための、移動局１０２および複数のデバイスを含む例の環境１００を示す、概略ブロック図である。
【００４８】
一例として、移動局１０２は、構造体の中をユーザによって動き回られ得かつ送信器１３０（例えば、アクセス・ポイント、セル・タワー、など）によって送信される信号を受信するためのネットワーク・インターフェース１１４を備える任意の電子デバイス、および／または、ネットワーク１０４内のその他のリソース、などを備え得る。したがって、いくつかの例として、移動局１０２は、携帯電話、スマート・フォン、コンピュータ（例えば、ラップトップ・コンピュータなどのパーソナル・コンピュータ、タブレット・コンピュータ、装着型のコンピュータ、など）、航行補助装置（navigation aid）、電子書籍リーダ、ゲーム機、音楽プレイヤー・デバイスおよび／またはビデオ・プレイヤー・デバイス、カメラ、などを備え得る。
【００４９】
装置（apparatus）１１６は、ポジション・アシスタンス・データ１２８を取得する際に使用するために、移動局１０２内で提供され得る、例えば、ハードウェア、ファームウェア、ハードウェアとソフトウェアとの組み合わせ、および／または、ファームウェアとソフトウェアとの組み合わせ、もしくは、その他の類似のロジックなど、回路の代表である。
【００５０】
とある例のインプリメンテーションでは、移動局１０２は、スタンド・アローン型のデバイス（stand-alone device）として独占的にあるいは選択的に機能し得、かつ、ユーザに対して当該の／有用な１つまたは複数の能力／サービスを提供し得る。とある例のインプリメンテーションでは、移動局１０２は、例えばネットワーク１０４とラベルを付けられたクラウド（cloud）に対する無線通信リンクによって示されるように、１つまたは複数のその他のデバイスと何らかの方法で通信し得る。ネットワーク１０４は、移動局１０２が、例えば、１つまたは複数の有線もしくは無線通信リンクを使用して、ネットワーク・インターフェース１１４を経由して、それらと通信し得るか、それらの中を通って通信し得る１つまたは複数の通信および／またはコンピューティング・リソース（例えば、デバイスおよび／またはサービス）の代表であり得る。したがって、とある事例では、移動局１０２は、ネットワーク１０４を経由して、データおよび／または命令を受信（もしくは送信）し得る。とある事例では、移動局１０２は、例えば、送信器１３０から信号を受信し得るだけではなく、そのような送信器（例えば、受信機を有する）に対して信号を送信し得る。
【００５１】
とある例のインプリメンテーションでは、移動局１０２は、１つまたは複数の無線通信ネットワーク、位置サービス、あるいは、１つ又は複数の送信器１３０および／またはネットワーク１０４に関連し得るそれらの任意の組み合わせ、などに関連した信号を受信することが可能となり得る。
【００５２】
移動局１０２は、例えば、ワイヤレス広域ネットワーク（ＷＷＡＮ：Wireless Wide Area Network）、ワイヤレス・ローカル・エリア・ネットワーク（ＷＬＡＮ：Wireless Local Area Network）、ワイヤレス・パーソナル・エリア・ネットワーク（ＷＰＡＮ：Wireless Personal Area Network）、などの、多様な無線通信ネットワークとともに使用するために、（例えば、ネットワーク・インターフェース１１４を経由して、）可能（enable）となり得る。用語「ネットワーク」および「システム」は、ここで交換可能に用いられ得る。ＷＷＡＮは、符号分割多元接続（ＣＤＭＡ：Code Division Multiple Access）ネットワーク、時分割多元接続（ＴＤＭＡ：Time Division Multiple Access）ネットワーク、周波数分割多元接続（ＦＤＭＡ：Frequency Division Multiple Access）ネットワーク、直行周波数分割多元接続（ＯＦＤＭＡ：Orthogonal Frequency Division Multiple Access）ネットワーク、単一キャリア周波数分割多元接続（ＳＣ−ＦＤＭＡ：Single-Carrier Frequency Division Multiple Access）ネットワーク、などであり得る。ＣＤＭＡネットワークは、少しだけ無線技術を指定する（name）ために、cdma2000、広帯域ＣＤＭＡ（Ｗ−ＣＤＭＡ：Wideband-CDMA）、時分割同期符号分割多元接続（ＴＤ−ＳＣＤＭＡ：Time Division Synchronous Code Division Multiple Access）、などの、１つまたは複数の無線接続技術（ＲＡＴ：Radio Access Technology）をインプリメントし得る。ここで、cdma2000は、ＩＳ−９５、ＩＳ−２０００、および、ＩＳ−８５６標準に従ってインプリメントされる技術を含み得る。ＴＤＭＡネットワークは、汎欧州デジタル・セルラー・システム（ＧＳＭ（登録商標）：Global System for Mobile Communication）、デジタル・アドバンスド携帯電話システム（Ｄ−ＡＭＰＳ：Digital Advanced Mobile Phone System）、もしくは、何か他のＲＡＴをインプリメントし得る。ＧＳＭおよびＷ−ＣＤＭＡは、「第三世代パートナーシップ・プロジェクト」（３ＧＰＰ：3rd Generation Partnership Project）と名付けられた共同体（consortium）からのドキュメントに記述されている。cdma2000は、「第３世代パートナーシップ・プロジェクト２」（３GPP2：3rd Generation Partnership Project 2）と名付けられた共同体からのドキュメントに記述されている。３ＧＰＰおよび３ＧＰＰ２のドキュメントは、公に利用可能である。例えば、ＷＬＡＮは、ＩＥＥＥ８０２．１１ｘネットワークを含み得、ＷＰＡＮは、ブルートゥース（商標登録）・ネットワーク、ＩＥＥＥ８０２．１５ｘを含み得る。無線通信ネットワークは、例えば、ロング・ターム・エボリューション（ＬＴＥ：Long Term Evolution）、アドバンスドＬＴＥ、ＷｉＭＡＸ、ウルトラ・モバイル・ブロードバンド（ＵＭＢ：Ultra Mobile Broadband）、など、いわゆる次世代技術（例えば、「４Ｇ」）を含み得る。
【００５３】
とある例のインプリメンテーションでは、移動局１０２は、全世界的衛星航法システム（ＧＮＳＳ）などの多様な位置サービス、もしくは、その他の類似の衛星および／または地上のロケーティング・サービス、位置ベースのサービス（例えば、セルラー・ネットワーク、ＷｉＦｉネットワークなどを経由して）、とともに使用するために、（例えば、ネットワーク・インターフェース１１４、もしくはその他の位置受信機を経由して、）利用可能となり得る。
【００５４】
図１に示されたとおり、移動局１０２は、構造体１５０の領域１５２内の位置１５４に位置付けされ得る。一例として、ポジション・アシスタンス・データ１２８は、取得され得、これは、ユーザが移動局と共に近くの構造体１５０および／または領域１５２の中へ、外へ、もしくは中に、動き回るときに、例えば、ポジショニング（positioning）機能もしくはナビゲーション機能などの１つまたは複数の機能をサポートする際にアシストするために、移動局１０２によって、何らかの方法で、処理され、かつ／または、さもなければ提示されるか、使用され得る情報を含んでいる。
【００５５】
例のディレクトリ・デバイス１０６は、とあるインプリメンテーションではネットワーク・インターフェース１１４に類似し得る、ネットワーク・インターフェース１１８を経由してネットワーク１０４に接続されていると示されている。例えば、ディレクトリ・デバイス１０６は、例えば、サーバなどの１つまたは複数のコンピューティング・プラットホームを備え得、これは、装置１２０を提供し得る。装置１２０は、例えば、符号化されたメタデータ１２４の全てもしくは一部を確立し得る、分析器能力１２２を備え得る。ディレクトリ・デバイス１０６は、例えば、ネットワーク・インターフェース１１８、ネットワーク１０４、および、貯蔵デバイス１０８内のネットワーク・インターフェース１１８を経由して、貯蔵デバイス１０８に対して、符号化されたメタデータ１２４を送信し得る。前に述べ、さらに以下の例でさらに示されるように、装置１２０は、また、ネットワーク・インターフェース１１８を経由して受信された情報に関する要求を処理し、かつ、それに対して、応答の送信を開始し得る。
【００５６】
例の貯蔵デバイス１０８は、とあるインプリメンテーションではネットワーク・インターフェース１１４に類似し得る、そのネットワーク・インターフェース１１８を経由してネットワーク１０４に接続されているように示されている。例えば、貯蔵デバイス１０８は、例えば、サーバなどの、１つまたは複数のコンピューティング・プラットホームを備え得、これは、装置１２６を提供し得る。貯蔵デバイス１０８は、例えば、ネットワーク・インターフェース１１８、ネットワーク１０４、および、ディレクトリ・デバイス１０６内のネットワーク・インターフェース１１８を経由して、ディレクトリ・デバイス１０６から符号化されたメタデータを受信し得る。とある事例では、装置１２６は、例えば、符号化されたメタデータ１２４の全てもしくは一部を確立し得る分析器能力１２２を備え得る。前に述べ、以下の例でさらに示されるように、装置１２６は、また、ネットワーク・インターフェース１１８を経由して、受信された情報に関する要求を処理し、それに対して、応答の送信を開始し得る。示されたとおり、装置１２６は、例えば、ポジション・アシスタンス・データ１２８を、確立し、維持し、もしくは格納し得、これは、符号化されたメタデータ１２４の全てもしくは一部を含み得る。
【００５７】
例のマップ推論デバイス１４０が、とあるインプリメンテーションではネットワーク・インターフェース１１４に類似し得る、ネットワーク・インターフェース１１８を経由して、ネットワーク１０４に対して接続されているように示されている。例えば、マップ推論デバイス１４０は、例えば、サーバなどの、１つまたは複数のコンピューティング・プラットホームを備え得、これは、装置１４２を提供し得る。装置１４２は、例えば、符号化されたメタデータ１２４の全てもしくは一部を確立し得る、分析器能力１２２を備え得る。マップ推論デバイス１４０は、ネットワーク・インターフェース１１８、ネットワーク１０４、および、貯蔵デバイス１０８内のネットワーク・インターフェース１１８、を経由して、貯蔵デバイス１０８に対して、符号化されたメタデータ１２４を送信し得る。
【００５８】
また、図１に示されたとおり、これは１つの例であるが、群衆ソーシング・デバイス１１０は、例えば、サーバなどの１つまたは複数のコンピューティング・プラットホームを備え得、かつ、追加メタデータ１１１を確立し、維持し、もしくは格納し得、かつ／または、例えば、ネットワーク１０４を経由して、その他のデバイスおよび／または移動局１０２に対して、そのように提供し得る。
【００５９】
同様に、局所デバイス１１２は、例えば、サーバなどの１つまたは複数のコンピューティング・プラットホームを備え得、局所メタデータ１１３を、確立し、維持し、格納し、かつ／または、例えば、ネットワーク１０４を経由して、あるいは、直接無線リンク（これは、ネットワーク１０４の外側が示されている間、ネットワーク１０４の中にも提供され得る）を経由して、その他のデバイスおよび／または移動局１０２に対して、提供することができるように提供され得る。
【００６０】
図１が、分析器能力１２２の全てもしくは一部は、符号化されたメタデータ１２４の全てもしくは一部を確立するために、とあるデバイスにおいてインプリメントされ得る例のインプリメンテーションを示している間、とある事例では、そのような分析器能力１２２の全てもしくは一部、および／または、符号化されたメタデータ１２４の全てもしくは一部は、多様な異なるデバイスにおいて、異なり得る、ことは理解されたい。さらに、とあるその他の例のインプリメンテーションでは、２つ以上のデバイス（例えば、ディレクトリ・デバイス１０６、貯蔵デバイス１０８、推論デバイス１４０、または類似のもの）の全てもしくは一部は、特定のデバイスの中で共に配置（co-locate）され得る。
【００６１】
図２は、１つのインプリメンテーションに基づいて、ポジション・アシスタンス・データ１２８を取得し使用する際に、使用するための、例の移動局１０２のとある特徴を示す概略ブロック図である。
【００６２】
示されたとおり、移動局１０２は、１つまたは複数の接続２０６を経由して、メモリ２０４に結合され、（例えば、ここに提供された技法に基づいて、）データ処理を実行するために、１つまたは複数の処理ユニット２０２を備え得る。処理ユニット２０２は、例えば、ハードウェア、もしくは、ハードウェアとソフトウェアとの組み合わせにおいて、インプリメントされ得る。処理ユニット２０２は、データ・コンピューティング手順もしくはプロセスの少なくとも一部を実行するために構成可能な１つまたは複数の回路の代表であり得る。例として、限定するわけではないが、処理ユニットは、１つまたは複数の、プロセッサ、コントローラ、マイクロプロセッサ、マイクロコントローラ、特定用途向け集積回路、デジタル信号プロセッサ、プログラム可能ロジック・デバイス、フィールド・プログラム可能ゲート・アレイ、など、もしくは、それらの任意の組み合わせを含み得る。
【００６３】
メモリ２０４は、任意のデータ記憶機構の代表であり得る。メモリ２０４は、例えば、一次メモリ２０４−１、および／または、二次メモリ２０４−２を含み得る。一次メモリ２０４−１は、例えば、ランダム・アクセス・メモリ、読み取り専用メモリ、などを備え得る。処理ユニットから分かれているとこの例で示されている間は、一次メモリの全てもしくは一部は、移動局１０２の中に備えられているか、さもなければ、処理ユニット２０２、あるいは移動局１０２の中の他の類似の回路と同じ場所に配置／結合されている、ということは理解されたい。二次メモリ２０４−２は、例えば、ディスク駆動、光学ディスク駆動、テープ駆動（tape drive）、固体メモリ駆動（solid state memory drive）、などの、例えば、一次メモリと同一もしくは類似のタイプ、および／または、データ記憶デバイス、もしくはデータ記憶システムを備え得る。とあるインプリメンテーションでは、二次メモリは、コンピュータ可読媒体２６０に対して、動作可能なように受容的であり得るか、さもなければ、結合するように構成可能であり得る。メモリ２０４および／またはコンピュータ可読媒体２６０は、ここに提供されたように、例えば、該技法および／または装置１１６（図１）に基づいて、データ処理に関連した命令２６２を備え得る。
【００６４】
移動局１０２は、例えば、１つまたは複数のユーザ入力デバイス２０８、１つまたは複数の出力デバイス２１０、１つまたは複数のネットワーク・インターフェース１１４、および／または、１つまたは複数の位置受信機２１６、をさらに備え得る。
【００６５】
入力デバイス２０８は、例えば、多様なボタン、スイッチ、タッチ・パッド、トラックボール（trackball）、ジョイスティック、タッチ・スクリーン、マイクロフォン、カメラ、などを備え得、これは、１つまたは複数のユーザ入力を受信するために用いられ得る。出力デバイス２１０は、例えば、ユーザに向けて、画像出力、音声出力、および／または、接触（tactile）出力を生成する際に用いられ得る多様なデバイスを備え得る。
【００６６】
ネットワーク・インターフェース１１４は、例えば、１つまたは複数の有線および／または無線通信リンクを経由して、例えば、１つまたは複数の送信機１３０および／またはネットワーク１０４（図１）に対して、接続性を提供し得る。位置受信機２１６は、例えば、１つまたは複数の位置サービスから信号を取得し得、これは、メモリ内に格納されている１つまたは複数の信号、に対して提供され得るか、さもなければそれらと関連し得る、位置を推定する際に用いられ得る。例えば、位置受信機は、移動局１０２が、特定の構造体／領域にいるか、もしくはそこの近くにいるか、あるいはそこに近づいているかを（あるいは大まかに）示し得る第１の位置を推定するために用いられ得る。
【００６７】
処理ユニット２０２および／または命令２６２は、例えば、ここに多様な例の技法に記載されたように、貯蔵デバイス識別子に関する１つまたは複数の要求２２０、アシスタンス・データに関する１つまたは複数の要求２２２、１つまたは複数の貯蔵デバイス識別子２２４、第１推定位置２２６、第２推定位置２２８、ポジション・アシスタンス・データ１２８、符号化されたメタデータ１２４、復号されたメタデータ２３８、１つまたは複数の電子マップ２３４、１つまたは複数のアクセス・ポイント・ロケータ２３６、１つまたは複数の解読鍵２４２、収集されたデータ２４４、追加メタデータ１１１、局所メタデータ１１３、１つまたは複数の機能２４０に関する、もしくは補助的な命令および／またはデータ、など、もしくは、任意のそれらの組み合わせ、などの、メモリ２０４内に格納された１つまたは複数の信号を提供し得るか、さもなければ、それらと関連し得る。符号化されたメタデータ１２４に加えて、ポジション・アシスタンス・データ１２８は、例えば、１つまたは複数の電子マップ２３４の全てもしくは一部、１つまたは複数のアクセス・ポイント・ロケータ２３６の全てもしくは一部、および／または、多様なポジショニング機能、ナビゲーション機能、位置ベースのサービス機能、および／または、移動局内で、全体もしくは一部で、インプリメントされ得る類似のもの、に対して役立ち得る、符号化された情報を表す他の類似のデータ、をさらに備え得る。その上、とある例の事例では、追加メタデータ１１１および／または局所メタデータ１１３は、多様なポジショニング機能、ナビゲーション機能、位置ベースのサービス機能、および／または、移動局内の、全体もしくは一部で、インプリメントされ得る、類似のもの、に対しても、役立ちうる、符号化された情報を表すデータを、少なくとも一部では備え得る。
【００６８】
したがって、機能２４０は、例えば、ポジショニング機能、ナビゲーション機能、位置ベースのサービス機能、など、もしくは、それらの任意の組み合わせ、の全てもしくは一部を備え得る。例えば、１つまたは複数の機能は、少なくとも１つの屋内領域の、もしくはそれに関する、移動局１０２の位置を推定するために、少なくとも一部では、用いられ得る。例えば、１つまたは複数の機能は、１つまたは複数の送信された無線信号の測定された特性を考慮し得る。例えば、移動局１０２の位置を推定することは、いくつかの座標系に関して、移動局１０２の推定位置に関する座標を決定することを、少なくとも一部では、備え得る。例えば、移動局１０２の位置を推定することは、屋内領域、構造体、および／または、いくつかの物体、サービス、関心のある点、などを、それらに、もしくはそれらに関して、移動局１０２のポジションを決定することを、少なくとも一部では、備え得る。例えば、移動局１０２の位置を推定することは、例えば、座標系に関して、少なくとも１つの屋内領域の中へ、外へ、もしくはそれらの範囲内に、移動局１０２の動作（例えば、向き、速度など）、もしくはそれらの欠如、および／または、類似のもの、もしくはそれらの任意の組み合わせを、決定することを、少なくとも一部では、備え得る。
【００６９】
図３は、１つのインプリメンテーションに基づいて、ポジション・アシスタンス・データ１２８などを確立し、かつ／または、移動局１０２に対して、提供するために用いられ得る１つまたは複数のデバイスを使用するための例のコンピューティング・プラットホーム３００のとある特徴を示す概略ブロック図である。例えば、ディレクトリ・デバイス１０６、貯蔵デバイス１０８、もしくは、マップ推論デバイス１４０は、１つまたは複数のコンピューティング・プラットホーム３００を備え得る。
【００７０】
示されたように、コンピューティング・プラットホーム３００は、１つまたは複数の接続３０６を経由して、メモリ３０４に結合された（例えば、ここに提供された技法に基づいて、）データ処理を実行するように、１つまたは複数の処理ユニット３０２を備え得る。処理ユニット３０２は、例えば、ハードウェアもしくはハードウェアとソフトウェアとの組み合わせにおいて、インプリメントされ得る。処理ユニット３０２は、データ・コンピューティング手順もしくはプロセスの少なくとも一部を実行するように構成可能である１つまたは複数の回路の代表であり得る。例として、限定するわけではないが、処理ユニットは、１つまたは複数のプロセッサ、コントローラ、マイクロプロセッサ、マイクロコントローラ、特定用途向け集積回路（ＡＳＩＣ）、デジタル信号プロセッサ（ＤＳＰ）、プログラム可能ロジック・デバイス、フィールド・プログラム可能ゲート・アレイなど、もしくは、それらの任意の組み合わせを含み得る。
【００７１】
メモリ３０４は、任意のデータ記憶機構の代表であり得る。メモリ３０４は、例えば、一次メモリ３０４−１、および／または、二次メモリ３０４−２を含み得る。一次メモリ３０４−１は、例えば、ランダム・アクセス・メモリ、読み取り専用メモリ、などを備え得る。処理ユニットから分かれていると、この例で示されている間は、一次メモリの全てもしくは一部は、処理ユニット３０２、もしくは、コンピューティング・プラットホーム３００の中のその他の類似の回路、の中に提供され得るか、さもなければ、それらと同じ場所に配置／結合され得る、ということは理解されたい。二次メモリ３０４−２は、例えば、一次メモリと同一もしくは類似のタイプのメモリ、および／または、例えば、ディスク駆動、光学ディスク駆動、テープ駆動、固体メモリ駆動、など、１つまたは複数のデータ記憶デバイスもしくはデータ記憶システム、を備え得る。とあるインプリメンテーションでは、二次メモリは、コンピュータ可読媒体３６０の動作可能なように受容的であり得るか、さもなければ、それに結合するように構成可能であり得る。メモリ３０４、および／または、コンピュータ可読媒体３６０は、ここに提供されたように、例えば、当該技法および／または装置１２０もしくは装置１２６（図１）に基づいて、データ処理に関連した命令３６２を備え得る。
【００７２】
コンピューティング・プラットホーム３００は、例えば、１つまたは複数のネットワーク・インターフェース１１８を、さらに備え得る。ネットワーク・インターフェース１１８は、例えば、１つまたは複数の有線および／または無線通信リンクを経由して、ネットワーク１０４、移動局１０２、および／または、その他のデバイス（図１）に対して、結合性を提供し得る。
【００７３】
処理ユニット３０２および／または命令３６２は、例えば、貯蔵デバイス識別子に関する１つまたは複数の要求２２０、アシスタンス・データに関する１つまたは複数の要求２２２、１つまたは複数の貯蔵デバイス識別子２２４、第１推定位置２２６、第２推定位置２２８、ポジション・アシスタンス・データ１２８、符号化されたメタデータ１２４、分析器能力１２２、１つまたは複数の電子マップ２３４、１つまたは複数のアクセス・ポイント・ロケータ２３６、１つまたは複数の解読鍵２４２、１つまたは複数の暗号化鍵３１０、追加メタデータ１１１、局所メタデータ１１３など、もしくはそれらの任意の組み合わせ、などの、メモリ３０４内に格納された１つまたは複数の信号を提供し得るか、さもなければ、それらに関連し得る。
【００７４】
図４は、１つのインプリメンテーションに基づいて、複数の異なる屋内領域の少なくとも１つに関して、ポジション・アシスタンス・データ１２８などを取得し、かつ使用するための、移動局１０２に関する例のプロセスもしくは方法４００のとある特徴を示すフロー図である。例のブロック４０２で、移動局１０２は、ディレクトリ・デバイス１０６に対して貯蔵デバイス識別子に関する要求２２０を送信し得る。ブロック４０４で、移動局１０２は、貯蔵デバイス１０８と移動局１０２の第１推定位置２２６に相当する少なくとも１つの屋内領域とを識別する貯蔵デバイス識別子２２４を受信する。例のブロック４０６で、移動局１０２は、貯蔵デバイス１０８に対して屋内領域に関するポジション・アシスタンス・データに関する要求２２２を送信し得る。例のブロック４０８で、移動局１０２は、貯蔵デバイス１０８からポジション・アシスタンス・データ１２８を受信し得、ここで、ポジション・アシスタンス・データ１２８は屋内領域に関する符号化されたメタデータ１２４を備え、これは、電子マップ２３４および／またはアクセス・ポイント・ロケータ２３６に相当する。例のブロック４１０で、移動局１０２は、（例えば、必要であれば／必要に応じて）符号化されたメタデータ１２４を復号し得る。例のブロック４１２で、移動局１０２は、少なくとも１つの機能２４０に対して、もしくはそれによって使用するために、（例えば、あるいは復号されたメタデータ２３８の形式で）符号化されたメタデータ１２４を提供し得る。
【００７５】
図５は、１つのインプリメンテーションに基づいて、複数の異なる屋内領域の少なくとも１つに関して、移動局１０２によって使用するために、ポジション・アシスタンス・データ１２８などを確立し、かつ／または提供するための、ディレクトリ・デバイス１０６における、もしくは、少なくとも一部では、マップ推論デバイス１４０における、コンピューティング・プラットホーム３００に関する例のプロセスもしくは方法５００のとある特徴を示すフロー図である。例のブロック５０２で、ディレクトリ・デバイス１０６もしくはマップ推論デバイス１４０は、例えば貯蔵デバイス１０８などから電子マップ２３４および／またはアクセス・ポイント・ロケータ２３６を取得し得る。例のブロック５０４で、ディレクトリ・デバイス１０６もしくはマップ推論デバイス１４０は、少なくとも一部では、電子マップ２３４および／またはアクセス・ポイント・ロケータ２３６に基づいて、屋内領域に関する符号化されたメタデータ１２４を確立し得る。例のブロック５０６で、ディレクトリ・デバイス１０６もしくはマップ推論デバイス１４０は、貯蔵デバイス１０８に対して符号化されたメタデータ１２４を送信し得る。
【００７６】
また、例のブロック５０８で、ディレクトリ・デバイス１０６は、移動局１０２から貯蔵デバイス識別子に関する要求２２０を受信し得る。例のブロック５１０で、ディレクトリ・デバイス１０６は、移動局１０２の第１推定位置２２６が特定の屋内領域に相当するという決定に応答して、移動局１０２に対して少なくとも１つの貯蔵デバイス識別子を送信し得る。
【００７７】
図６は、１つのインプリメンテーションに基づいて、複数の異なる屋内領域の少なくとも１つに関して、移動局１０２によって使用するために、ポジション・アシスタンス・データ１２８などを確立し、かつ／または提供するための、推論デバイス１４０におけるコンピューティング・プラットホーム３００に関する例のプロセスもしくは方法６００のとある特徴を示すフロー図である。例のブロック６０２で、マップ推論デバイス１４０は、例えば貯蔵デバイス１０８などから電子マップ２３４および／またはアクセス・ポイント・ロケータ２３６を取得し得る。例のブロック６０４で、マップ推論デバイス１４０は、少なくとも一部では、電子マップ２３４および／またはアクセス・ポイント・ロケータ２３６に基づいて、屋内領域に関する符号化されたメタデータ１２４を確立し得る。例のブロック６０６で、ディレクトリ・デバイス１０６もしくはマップ推論デバイス１４０は、貯蔵デバイス１０８に対して符号化されたメタデータ１２４を送信し得る。
【００７８】
図７は、１つのインプリメンテーションに基づいて、複数の異なる屋内領域の少なくとも１つに関して、移動局１０２に対して、ポジション・アシスタンス・データ１２８などを確立し、かつ／または提供するために、貯蔵デバイス１０８におけるコンピューティング・プラットホーム３００に関する例のプロセスもしくは方法７００のとある特徴を示すフロー図である。例のブロック７０２で、貯蔵デバイス１０８は、電子マップ２３４および／またはアクセス・ポイント・ロケータ２３６に相当する、屋内領域に関する符号化されたメタデータ１２４を取得し得る。例のブロック７０４で、貯蔵デバイス１０８は、移動局１０２から屋内領域に関するポジション・アシスタンス・データに関する要求２２２を受信し得る。例のブロック７０６で、貯蔵デバイス１０８は、移動局１０２に対して、ポジション・アシスタンス・データ１２８を送信し得、ここでポジション・アシスタンス・データ１２８は、符号化されたメタデータ１２４、および、符号化されたメタデータ１２４に相当する電子マップ２３４および／またはアクセス・ポイント・ロケータ２３６の少なくとも一部を備える。
【００７９】
図８は、１つのインプリメンテーションに基づいて、移動局１０２に対して、ポジション・アシスタンス・データなどを提供するために、例の環境内でインプリメントされ得る、例の通信セッション８００を示す概略ブロック図である。図８は、図１に似ており、また、その他のデバイス８０２を含んでおり、これは、１つまたは複数の構造体および／または領域に関して、いくらか知識を有する現場（venue）に関連し得る。例えば、その他のデバイス８０２は、ネットワーク１０４に接続されたコンピューティング・プラットホーム３００などを備え得、これは、多様な形式のマップ、図など、および／または、アクセス・ポイント（ＡＰ）位置、無線ヒートマップ、など、を生成し、さもなければ提供し得、かつ／または、次いで、電子マップ２３４および／またはアクセス・ポイント・ロケータ２３６を確立するために、例えば、貯蔵デバイス１０８もしくはその他の類似のデバイスによって、用いられ得る（例えば、図２および図３を参照）。マップ推論デバイス１４０は、次いで、例えば、貯蔵デバイス１０８などから、特定の領域に関する電子マップ２３４および／またはアクセス・ポイント・ロケータ２３６を取得し得、例えば、分析器能力１２２を用いて、相当する符号化されたメタデータ１２４を確立し得る。また、文字を持つ矢印が、図８には示されており、これは、例えば、例の通信セッション８００に基づいて、多様なデバイス間で通信され得るメッセージ／情報のいくつかの例を提供する。
【００８０】
示されたとおり、例の通信セッション８００は、その他のデバイス８０２と貯蔵デバイス１０８（ここでは、「マップ／ＡＰサーバ」と示されている）の間の１つまたは複数のメッセージ＃０を経由して、現場から情報を取得することを含み得る。貯蔵デバイス１０８は、次いで、１つまたは複数の適用可能な電子マップ２３４および／またはアクセス・ポイント・ロケータ２３６を確立し得る。また、貯蔵デバイス１０８は、マップ推論デバイスに対してマップ／ＡＰ情報を届け得、かつ、マップ推論デバイス１４０から符号化されたメタデータ１２４を取得し得る。それ故に、貯蔵デバイス１０８は、ポジション・アシスタンス・データ１２８を、取得し、格納し、さもなければ、維持し得る。
【００８１】
移動局１０２とディレクトリ・デバイス１０６（ここでは、「マップ・サーバ・ディレクトリ」と示されている）との間の１つまたは複数のメッセージ＃１Ａ、＃１Ｂと共に、移動局１０２は、ポジション・アシスタンス・データ１２８を要求するために、マップ／ＡＰサーバが通信するマップ・サーバ・ディレクトリから学ぶべく、その大まかな位置（例えば、第１推定位置２２６）を用い得る。移動局１０２と適用可能な貯蔵デバイス１０８（マップ／ＡＰサーバ）との間の１つまたは複数のメッセージ＃２Ａ、＃２Ｂと共に、移動局１０２は、紹介（query）サーバーズ貯蔵デバイス１０８に対して、ディレクトリ・サーバ１０６から、その大まかな位置および／またはその他の情報を使用し得る。
【００８２】
移動局１０２と群衆ソーシング・デバイス１１０（ここでは、「群衆ソーシング・サーバ（Crowdsourcing Server）」と示されている）との間の、１つまたは複数のメッセージ＃３Ａ、＃３Ｃと共に、移動局は、収集されたデータ２４４を提供し得、かつ／または、追加メタデータ１１１を受信し得る（図２を参照）。ここで、例えば、収集されたデータは、例えば、１つまたは複数の回路、アプリケーション、ユーザ・インターフェース、などを経由して、移動局１０２によって集められ得るか、さもなければ、収集され得る、群衆ソーシングされた情報および／または測定値を含み得る。追加メタデータ１１１は、例えば、少なくとも一部では、群衆ソーシング・デバイス１１０によって得られた情報か、あるいはその中で生成されたその他に基づいて、導出され（derived）、更新され、さもなければ、変更されている、符号化されたデータに類似しているメタデータを備え得る。例えば、群衆ソーシング・デバイス１１０は、既存のＡＰ位置、無線モデル、ヒートマップ、などを更新／収集するために、１つまたは複数の移動局からの収集されたデータを活用し得る。さらに示されるように、群衆ソーシング・デバイス１１０と貯蔵デバイス１０８との間の１つまたは複数のメッセージ＃３Ｂは、例えば、類似の目的、もしくはその他の似た目的のために提供され得る。
【００８３】
さらに、この例では、移動局１０２と局所デバイス１１２（ここでは、「ＰＯＩサーバ」と示されている）との間の、１つまたは複数のメッセージ＃４は、移動局１０２に対して、局所メタデータ１１３などを提供するために用いられ得、例えば、移動局の屋内ポジションは、適用可能なＰＯＩ情報およびサービス（例えば、位置ベースのサービス、など）をトリガーするか、さもなければ、取得するために用いられ得る。
【００８４】
図９は、１つのインプリメンテーションに基づいて、マップ抽出段階９０２を経由して電子マップを確立し、（例えば、分析器能力１２２の）マップ推論段階９０４を経由して符号化されたメタデータを確立し、マップ変換段階９０６を経由して移動局１０２に対して、変換し、かつ／または使用するためにポジション・アシスタンス・データ１２８を構成するための、いくつかの例のプロセスもしくは方法９００のとある特徴を示すフロー図である。
【００８５】
構造体および／または領域図は、特定の現場に関連したいくつかのエンティティもしくは人によって、しばしば所有（own）され、制御され、さもなければ維持される。現場に提供され得るいくつかの構造体および／または領域図は、領域内のとある特徴および／または物体に関して、埋め込まれた情報を含み得る。例として、いくつかの図は、ＣＡＤ図などの中で利用可能であり得るあるレベルの正確さ及び詳細を提供し得る。したがって、図（マップ）が（例えば、交換を描くフォーマット（ＤＸＦ：drawing exchange format）、など）しかるべきＣＡＤフォーマットで利用可能なことを想定すると、それらは、好適な電子フォーマットへ、必要に応じて、貯蔵デバイス１０８によって処理され得る。とある例のインプリメンテーションでは、いくつかのマップは、使用を簡単にするために、あるいは複数のデバイスを横切って共通点を確実にするために、拡張可能マークアップ言語（ＸＭＬ：Extensible Markup Language）か、もしくはその他の類似の言語（例えば、ＧＭＬ、もしくはＫＭＬ、もしくはＣｉｔｙＧＭＬ、など）で表わされ得る。
【００８６】
貯蔵デバイス１０８は、マップ・サーバのように、例えば、１つまたは複数のＬＣＩ領域の１つまたは複数のマップ、領域、構造体、現場、などをホストし得る。貯蔵デバイス１０８は、例えば、多くの異なるＬＣＩのマップを統合し得る。それ故、そのようなマップ・サーバのスケールおよびあるいは所有権は、著しく変化し得る。一方で、（例えば、オフィス・ビルディングや、モールと関連する）単一エンティティは、貯蔵デバイス１０８をホストし得る。その他の例では、全キャンパスもしくは企業は、単一の貯蔵デバイス１０８上で、それら全ての多様なマップをホストし得る。またその他の例のインプリメンテーションでは、第三者（third party）は、広範囲の数の現場に関する、中央貯蔵デバイス１０８に関して提供し得る。ここに提供された多様な技法は、マップ・サーバのスケールに対して本質的に寛容であり得る建築物を含んで、多様な方法でインプリメントされ得ることに留意されたい。
【００８７】
マップ抽出段階９０２は、例えば、貯蔵デバイス１０８、および／またはその他の類似のデバイスにおいて実行され得る。例のマップ抽出段階９０２では、ＣＡＤファイルは、その多くの層内に存在する関連情報を決定するために分析され得る。抽出された情報の必要なピースは、例えば、壁、ドア、および、入り口／出口ポイントを含み得る。この分析は、また、ポータルのような特別の領域（例えば、エレベータ、エスカレータ、階段）を識別し得る。また、ＣＡＤファイル内で利用可能ないくつかのＰＯＩ情報（例えば、トイレ（restroom））が、抽出され得る。そのような抽出技法、および、その他は、公知であり、この記載の範囲をこえている。その上、ここにクレームされた技術主題は、必ずしも、任意の特定の抽出技法に限定されるわけではない。
【００８８】
マップ推論段階９０４は、例えば、１つまたは複数のディレクトリ・デバイス１０６、貯蔵デバイス１０８、マップ推論デバイス１４０、および／または、その他の類似のデバイスの全体もしくは一部で実行され得る。マップ推論段階９０４とともに、マップのとある特徴は、マップの役立つメタデータを決定するために、例えば、一組のアルゴリズムによって分析され得る。例えば、マップ推論段階９０４の一部として、分析は、マップの多様な部分（例えば、およびそれによって表される領域内の物体）について、ユーザの動作／アクセス実現可能性および／またはインフィジビリティとして実行され得る。とある例の事例では、密集した接続性グラフは、例えば、正確なポジショニングのためのポジショニング機能によって利用され得る、など、によって決定され得る。とある例の事例では、接続性グラフは、ナビゲーション機能で使用するため、および／または、その他の類似の目的のために、経路グラフを形成するために、決定され得、かつ／または、もしくは減少され得る。とある例の事例では、領域の確率マップは、例えば、経路（route）などに基づいて、決定され得る。とある例の事例では、領域に関連した、無線ヒートマップもしくはその他の類似のＲＦ信号関連情報は、例えば、既知の送信機位置のマップ分析および利用可能性を通して、決定され得る。とある例の事例では、多様な関心のある点は、例えば、決定された関係などに基づいて、リンクされ得るか、さもなければ識別され得る。
【００８９】
とある例のインプリメンテーションでは、マップ推論段階９０４中で利用可能な、マップ情報およびアクセス・ポイントの両方、もしくはその他の送信機情報を有することは、有益であり得る。多様な類似マップ推論技法及びその他は、公知であり、この記載の範囲を超えている。その上、ここにクレームされた技術主題は、必ずしも任意の特定のマップ推論技法に限定されるわけではない。
【００９０】
とある例のインプリメンテーションでは、アクセス・ポイント・ロケータは、無線モデル、無線ヒートマップ、および／または、領域に関連したその他の類似のＲＦ信号関連情報を含み得る。とある事例では、アクセス・ポイント・ロケータ内に完全なＡＰもしくは送信機位置を含まないことは、有益であり得る。無線ヒートマップ（例えば、ＲＳＳＩヒートマップ）は、例えば、領域内の多様な点において、信号強度として表され得る。したがって、完全なＡＰ／送信機位置は、とあるインプリメンテーション内の移動局に対して中継されなければいけないわけではなく、例えば、特定の一度符号化されたメタデータは、確立されている。
【００９１】
とある例のインプリメンテーションでは、第１推定位置は、少なくとも一部では、最後に既知のＧＰＳ調整を使用して、聞かれているＷｉＦｉアクセス・ポイントを識別し、あるいは、大まかな現在位置で指示もしくはヒントし得る、ユーザからのいくつかのテキスト入力もしくはその他の検知された情報（例えば、カメラ、スキャナ、マイクロフォン）を経由して、提供され得る。
【００９２】
とある例のインプリメンテーションでは、ディレクトリ・デバイス１０６は、例えば、１つまたは複数の近くのＬＣＩを決定することによって、例えば、データベース内でそのように調べることなどによって、移動局に対していくつかのアシスタンス・データを提供し得る。
【００９３】
とある例のインプリメンテーションでは、マップ変換段階９０６は、ＸＭＬライクのフォーマットでの符号化されたメタデータ１２８、などを確立し得る。とある例の事例では、マップ変換段階９０６の全てもしくは一部は、ディレクトリ・デバイス１０６において実行され得、かつ、特別の符号化、データ圧縮の多様な形式、および／または、データ暗号化技法をうまく利用し得る。とあるその他の例の事例では、マップ変換段階９０６の全てもしくは一部は、貯蔵デバイス１０８などにおいて実行され得る。まだその他の事例では、マップ変換段階９０６の全てもしくは一部は、ポジション・アシスタンス・データ１２８内に含まれ得るその他のデータに関して、類似の動作に沿って実行され得る。多様なデータ変換、処理、変換、技法およびその他は、公知であり、この記載の範囲を超えている。その上、ここにクレームされた技術主題は、必ずしも、任意の特定のデータ・フォーマッティング技法に限定されるわけではない。
【００９４】
図１０は、また別のインプリメンテーションに基づいて、移動局１０２に対して、ポジション・アシスタンス・データなどを提供するために、例の環境内でインプリメントされ得る、例の通信セッション１０００を示す概略ブロック図である。図１０は、図８に似ているが、マップ推論デバイス１４０を備えないか、もしくは使用しない。その代わりに、この例では、装置１２０が、例えばここに提供されたような例の技法を用いて、符号化されたメタデータ１２４を確立するために、分析器能力を備える、マップ／ＡＰサーバ１０８において、提供され得る。
【００９５】
図１１は、また別のインプリメンテーションに基づいて、移動局１０２に対して、ポジション・アシスタンス・データなどを提供するために、例の環境内でインプリメントされ得る例の通信セッション１１００を示す概略ブロック図である。図１１は、図１０に似ており、また、貯蔵デバイス１０８から分けられた、マップ・サーバ１１０２およびＡＰサーバ１１０４を含んでおり、これは、「屋内ポジショニング・アシスタンス・サーバ（ＩＰＡＳ：Indoor Positioning Assistance Server）」とここでは示されている。マップ・サーバ１１０２およびＡＰサーバ１１０４は、例えば、図のように、その他のデバイス８０２とオフライン通信し得る。また、図１０とは異なり、このインプリメンテーションでは、貯蔵デバイス１０８において円形の矢印によって示されたように（メッセージ＃２Ｆ）、貯蔵デバイス１０８は、マップ推論を実行する分析器能力を備え得る。そういうものとして、とある例の事例では、全てもしくはいくつかのマップ推論は、進行中（on-the-fly）に実行され得る。
【００９６】
これを記憶にとめつつ、メッセージ＃０を経由して示されたように、現場は、それぞれマップ・サーバ１１０２およびＡＰサーバ１１０４において、前処理され、保たれ得る、マップおよびＡＰ情報を提供し得る。その代わり、現場は、貯蔵デバイス１０８に対して、直接、とあるマップおよび／またはＡＰ情報を提供し得る。メッセージ＃１Ａ、＃１Ｂを経由して示されたように、移動局１０２は、通信するために移動局に関して適用可能なＩＰＡＳをＩＰＡＳ−Ｄに決定させるために大まかな位置をふたたび使用して、例えば、屋内ポジショニング・アシスタンス・サーバ・ディレクトリ（ＩＰＡＳ−Ｄ：Indoor Positioning Assistance Server Directory）としてここに示された、ディレクトリ・デバイスと通信し得る。したがって、メッセージ＃２Ａ−＃２Ｇを経由して、移動局１０２は、貯蔵デバイス１０８から、ポジション・アシスタンス・データ１２８を取得し得る。ここで、例えば、ＩＰＡＳが適用可能な電子マップ２３４及びアクセス・ポイント・ロケータ２３６の貯蔵されたバージョン（cached version）を有する場合、貯蔵デバイス１０８は、（符号化されたメタデータ１２４を含んで）ポジション・アシスタンス・データ１２８を持つ移動局１０２に対して、直接応答し得る。しかしながら、ＩＰＡＳが適用可能な電子マップ２３４およびアクセス・ポイント・ロケータ２３６の貯蔵されたバージョンを有しない場合、貯蔵デバイス１０８は、そのような情報を取得するために、マップ・サーバ１１０２およびＡＰサーバ１１０４とさらに通信し得る。
【００９７】
移動局１０２と群衆ソーシング・デバイス１１０（「群衆ソーシング・サーバ」とここでは示されている）との間の１つまたは複数のメッセージ＃３Ａ、＃３Ｃとともに、移動局は、収集されたデータ２４４を提供し、かつ／または、追加メタデータ１１１を受信し得る（図２を参照）。追加メタデータ１１１は、例えば、少なくとも一部では、群衆ソーシング・デバイス１１０によって取得された情報、もしくは、群衆ソーシング・デバイス１１０の中で生成されたその他、に基づいて、導出され、更新され、さもなければ変更される、符号化されたデータに似ているメタデータを備え得る。さらに示されたように、群衆ソーシング・デバイス１１０と貯蔵デバイス１０８との間の１つまたは複数のメッセージ＃３Ｂは、例えば、類似の、もしくはその他の似た目的のために、提供され得る。さらに、この例では、移動局１０２と局所デバイス１１２（「ＰＯＩサーバ」とここでは示されている）との間の１つまたは複数のメッセージ＃４は、移動局１０２に対して、局所メタデータ１１３などを提供するために用いられ得、例えば、移動局の屋内ポジションは、適用可能なＰＯＩ情報およびサービス（例えば、位置ベースのサービス、など）を、トリガーするか、さもなければ取得するために用いられ得る。
【００９８】
図１２は、また別のインプリメンテーションに基づいて、移動局１０２に対して、ポジション・アシスタンス・データなどを提供するために例の環境内でインプリメントされ得る例の通信セッション１２００を示す概略ブロック図である。図１２は、図１０および図１０に似ており、貯蔵デバイス１０８において円形の矢印で示されているように（メッセージ＃０）、貯蔵デバイス１０８は、（例えば、要求よりも前に、）マップ推論を実行する分析器能力を備え得る。ここでは、しかしながら、図１０とは異なり、かつどちらかというと図１０に近く、マップおよびＡＰ位置情報は、その他のデバイス８０２から、ＩＰＡＳにおいて、メッセージ＃０を経由して、取得され（かつ貯蔵され）得る。
【００９９】
追加の例のインプリメンテーションは提供され得、クレームされた技術主題は、必ずしも、示されかつ記載されたインプリメンテーションには限定されない、ということは、留意されたい。例えば、とあるその他のインプリメンテーションでは、ここに記載されたような多様な能力は、とあるデバイスにおいて、１つまたは複数のコンピューティング・プラットホームを用いて、全体で、もしくは一部で、動作可能なように組み合わせられ得る。例えば、デバイスは、ディレクトリ・デバイス１０６、貯蔵デバイス１０８、マップ推論デバイス１４０、その他のデバイス８０２、マップ・サーバ１００２、ＡＰサーバ１００４、群衆ソーシング・デバイス１１０、局所デバイス１１２、などを用いて提供され得る、能力のハイブリッド混合物を備え得る。例として、ここにとある例のインプリメンテーションで示されたように、符号化されたメタデータ１２４を確立し得る分析器能力１２２は、１つまたは複数の異なるデバイスにおいて、提供され得る。
【０１００】
「１つの例（one example）」、「一例（an example）」、「とある例（certain examples）」、もしくは「典型的なインプリメンテーション」に対する、本明細書を通しての参照は、特徴および／または例と関連して記載された特定の特徴、構造、特性が、クレームされた技術主題の少なくとも１つの特徴および／または例に含まれ得る、ということを意味している。したがって、本明細書を通して、多様な場所の、「１つの例では」、「一例」、「とある例では」、もしくは「とあるインプリメンテーションでは」などの語句、もしくはその他の似た語句の出現は、必ずしも、全てが同じ特徴、例、および／または限定を参照するとは限らない。さらに、特定の特徴、構造、もしくは特性が、１つまたは複数の例および／または特徴に組み合わされ得る。
【０１０１】
ここに記載された方法論は、特定の特徴および／または例に従う応用次第で、多様な手段によってインプリメントされ得る。例えば、そのような方法論は、ソフトウェアに沿って、ハードウェア、ファームウェア、および／または、それらの組み合わせにおいて、インプリメントされ得る。ハードウェア・インプリメンテーションでは、例えば、処理ユニットは、１つまたは複数の、特定用途向け集積回路（ＡＳＩＣ）、デジタル信号プロセッサ（ＤＳＰ）、デジタル信号処理デバイス（ＤＳＰＤ）、プログラム可能ロジック・デバイス（ＰＬＤ）、フィールド・プログラム可能ゲート・アレイ（ＦＰＧＡ）、プロセッサ、コントローラ、マイクロ・コントローラ、マイクロプロセッサ、電子デバイス、ここに記載された機能を実行するように設計されたその他のデバイス・ユニット、および／または、それらの組み合わせの中にインプリメントされ得る。
【０１０２】
前の詳細な説明では、多くの特定の詳細が、クレームされた技術主題の完全な理解を提供するために示されている。しかしながら、クレームされた技術主題がこれらの特定の詳細無しでも実行（practice）され得る、ということは、当業者であれば、理解されるだろう。その他の例では、当業者によって知られているだろう方法および装置は、クレームされた技術主題をわかりにくく（obscure）しないように、詳細には説明されていない。
【０１０３】
前の詳細な説明のいくつかの部分は、特定の装置、もしくは特定の目的のコンピューティング・デバイスもしくはプラットホームのメモリの中に格納された、バイナリ・デジタル電子信号上の、動作のアルゴリズムもしくは象徴に関して、表されている。この特定の明細書のコンテキストでは、特定の装置などの用語は、いったんプログラムされると、プログラム・ソフトウェアからの命令に従って特定の機能を実行する、汎用目的のコンピュータを含んでいる。アルゴリズムの記述（algorithmic description）もしくは象徴は、信号処理もしくは関連技術の当業者によって、その他の当業者に対して、その仕事の内容を伝えるために、用いられる技法の例である。アルゴリズムとは、ここでは、そして一般的には、動作の自己一致シーケンス、もしくは、所望の結果につながる類似の信号処理、であると考えられる。このコンテキストでは、動作もしくは処理とは、物理量の物理操作を含んでいる。概して、必ずというわけではないが、そのような量は、情報を表す電子信号として格納され、転送され、組み合わされ、比較され、さもなければ、操作されることができる、電気信号または磁気信号の形式を取り得る。時間で、主に共通使用の理由で、そのような信号を、ビット、データ、値、要素、シンボル、キャラクタ、用語、番号、数字、情報、などと参照するのは、簡便だと証明されている。しかしながら、これらの全てもしくは類似の用語は、しかるべき物理量に関連されており、かつ、ただの簡便なラベルにすぎない、ということは理解されたい。特別に述べられない限りは、以下の検討とは離れて、本明細書を通して、「処理する（processing）」、「計算する（computing）」、「計算する（calculating）」、「決定する（determining）」、「確立する（establishing）」、「取得する（obtaining）」、「識別する（identifying）」、などの用語を利用する検討は、特殊目的コンピュータ、もしくは類似の特殊目的電子コンピューティング・デバイスなどの、特定の装置のアクションもしくは処理を参照する、ということは、十分理解されたい。本明細書のコンテキストでは、それ故、特殊目的コンピュータ、もしくは、類似の特殊目的電子コンピューティング・デバイスは、特殊目的コンピ
ュータ、もしくは特殊目的電子コンピューティング・デバイスの、メモリ、レジスタ、もしくはその他の情報記憶デバイス、送信デバイス、もしくは表示デバイスの中の物理電子量または磁気量として、概して表される、信号を操作すること、もしくは変換することができる。この特定の特許出願のコンテキストでは、用語「特定の装置」は、いったんプログラムされると、プログラム・ソフトウェアからの命令に従う特定の機能を実行する、一般目的コンピュータを含み得る。
【０１０４】
ここに用いられた用語「および（and）」、「もしくは（or）」、および「および／または（and/or）」は、また、そのような用語が用いられるコンテキストに少なくとも一部が依存するように期待される、多種の意味を含み得る。概して、「もしくは」は、Ａ、Ｂ、もしくはＣなどのリストを関連付けるために用いられる場合、排他的なセンス（exclusive sense）でここで用いられるＡ、Ｂ、もしくはＣと同様に、包括的なセンス（inclusive sense）でここで用いられるＡ、Ｂ、およびＣを意味するように意図される。加えて、ここに用いられた用語「１つまたは複数（one or more）」は、単数（singular）の任意の特徴、構造、もしくは特性を説明するために用いられ得るか、もしくは、複数の、またはいくつか他の、特徴、構造、もしくは特性の組み合わせを説明するために用いられ得る。けれども、これはただの例示の例にすぎなく、クレームされた技術主題はこの例に限定されない、ということは留意されたい。
【０１０５】
例の特徴として現在何が考えられているかが図示され、説明されている間は、当業者によって、クレームされた技術主題から離れることなく、多様なその他の変形例が行われ得、同等物が代用され得る、ということは理解されたい。また、多くの変更が、ここに記載された中心的な概念（central concept）から離れることなく、クレームされた技術主題の教示に対して、特定の状況に適応するために、行われ得る。
【０１０６】
それ故、クレームされた技術主題は、開示された特定の例に限定されるわけではないが、そのようなクレームされた技術主題は、また、添付されたクレーム、およびそれらに対応するものの範囲内に入る全ての態様を含み得る、ということが意図されている。
【図１】
2013540375.tif 000003
【図２】
2013540375.tif 000004
【図３】
2013540375.tif 000005
【図４】
2013540375.tif 000006
【図５】
2013540375.tif 000007
【図６】
2013540375.tif 000008
【図７】
2013540375.tif 000009
【図８】
2013540375.tif 000010
【図９】
2013540375.tif 000011
【図１０】
2013540375.tif 000012
【図１１】
2013540375.tif 000013
【図１２】
2013540375.tif 000014
【手続補正書】
【提出日】平成25年4月26日(2013.4.26)
【手続補正１】
【補正対象書類名】特許請求の範囲
【補正対象項目名】全文
【補正方法】変更
【補正の内容】
【特許請求の範囲】
【請求項１】
移動局において、
貯蔵（repository）デバイスに対して少なくとも１つの屋内領域に関するポジション・アシスタンス・データ（position assistance data）に関する要求を送信することと、
前記貯蔵デバイスから前記ポジション・アシスタンス・データを受信することであって、前記ポジション・アシスタンス・データは、少なくとも一部では、前記少なくとも１つの屋内領域の少なくとも一部に関する符号化されたメタデータ、および、電子マップもしくはアクセス・ポイント・ロケータの少なくとも１つに相当するものを備える、受信することと、
前記移動局の位置を推定する際に使用するための少なくとも１つの機能に対して、前記符号化されたメタデータの少なくとも一部を提供することと、
を備える方法。
【請求項２】
ポジション・アシスタンス・データに関する前記要求は貯蔵デバイス識別子を備える、請求項１に記載の方法。
【請求項３】
前記移動局において、
ディレクトリ・デバイスに対して貯蔵デバイス識別子に関する要求を送信することであって、貯蔵デバイス識別子に関する前記要求が前記移動局の少なくとも第１推定位置を示している、送信することと、
前記ディレクトリ・デバイスから前記貯蔵デバイスに関する前記貯蔵デバイス識別子を受信することであって、前記貯蔵デバイス識別子は、前記貯蔵デバイスと前記第１推定位置に相当する前記少なくとも１つの屋内領域とを識別する、受信することと、
をさらに備える、請求項１に記載の方法。
【請求項４】
前記移動局において、
解読鍵を受信すること、をさらに備え、
前記符号化されたメタデータを復号することは、前記解読鍵を用いて前記符号化されたメタデータの少なくとも一部を解読することをさらに備える、
請求項１に記載の方法。
【請求項５】
前記符号化されたメタデータの少なくとも一部は、ディレクトリ・デバイス、前記貯蔵デバイス、もしくはマップ推論デバイス、の少なくとも１つを経由して提供される分析器能力によって、少なくとも一部では、確立される、請求項１に記載の方法。
【請求項６】
前記符号化されたメタデータの少なくとも一部は、前記移動局がポジション・アシスタンス・データに関する前記要求を送信するよりも前に、少なくとも一部では確立され、前記貯蔵デバイスにおいて格納される、請求項1に記載の方法。
【請求項７】
前記符号化されたメタデータの少なくとも一部は、ポジション・アシスタンス・データに関する前記要求に応じて、少なくとも一部では、確立される、請求項１に記載の方法。
【請求項８】
前記移動局において、
前記群衆ソーシング・デバイスに対して前記少なくとも１つの屋内領域に関する収集されたデータを集める（gather）こと、および、送信すること、もしくは、
前記群衆ソーシング・デバイスから前記少なくとも１つの屋内領域に関する追加メタデータを受信すること、および、前記少なくとも１つの機能に対して前記追加メタデータの少なくとも一部を提供すること、
のうち少なくとも１つによって、群衆ソーシング・デバイスとインターフェースをとることを、さらに備える、請求項１に記載の方法。
【請求項９】
前記移動局において、
局所デバイスから前記少なくとも１つの屋内領域に関する局所メタデータを受信することと、
前記少なくとも１つの機能に対して前記局所メタデータの少なくとも一部を提供することと、
をさらに備える、請求項１に記載の方法。
【請求項１０】
前記少なくとも１つの機能は、ポジショニング機能、ナビゲーション機能、もしくは、位置ベースのサービス機能、のうち少なくとも１つを備える、請求項１に記載の方法。
【請求項１１】
移動局内で使用するための装置であって、
貯蔵デバイスに対して少なくとも１つの屋内領域に関するポジション・アシスタンス・データに関する要求を送信するための手段と、
前記貯蔵デバイスから前記ポジション・アシスタンス・データを受信するための手段であって、前記ポジション・アシスタンス・データは、少なくとも一部では、前記少なくとも１つの屋内領域の少なくとも一部に関する符号化されたメタデータ、および、電子マップもしくはアクセス・ポイント・ロケータの少なくとも１つに相当するものを備える、受信するための手段と、
前記移動局の位置を推定する際に、使用するための少なくとも１つの機能に対して、前記符号化されたメタデータの少なくとも一部を提供するための手段と、
を備える装置。
【請求項１２】
ディレクトリ・デバイスに対して貯蔵デバイス識別子に関する要求を送信するための手段であって、前記貯蔵デバイス識別子に関する前記要求が前記移動局の少なくとも第１推定位置を示している、送信するための手段と、
前記ディレクトリ・デバイスから前記貯蔵デバイスに関する前記貯蔵デバイス識別子を受信するための手段であって、前記貯蔵デバイス識別子は、前記貯蔵デバイスと前記第１推定位置に相当する前記少なくとも１つの屋内領域とを識別し、かつ、ポジション・アシスタンス・データに関する前記要求は前記貯蔵デバイス識別子を備える、受信するための手段と、
をさらに備える、請求項１１に記載の装置。
【請求項１３】
解読鍵を取得するための手段と、
前記解読鍵を用いて、前記符号化されたメタデータの少なくとも一部を解読するための手段と、
をさらに備える、請求項１１に記載の装置。
【請求項１４】
前記符号化されたメタデータは、分析器能力によって、少なくとも一部では、確立されている、請求項１１に記載の装置。
【請求項１５】
前記群衆ソーシング・デバイスに対して前記少なくとも１つの屋内領域に関する収集されたデータを送信するための手段、もしくは、
前記群衆ソーシング・デバイスから前記少なくとも１つの屋内領域に関する追加メタデータを受信するための手段、および、前記少なくとも１つの機能をサポートするために前記追加メタデータの少なくとも一部を提供するための手段、
のうちの少なくとも１つ、をさらに備える、請求項１１に記載の装置。
【請求項１６】
局所デバイスから前記少なくとも１つの屋内領域に関する局所メタデータを受信するための手段と、
前記少なくとも１つの機能に対して前記局所メタデータの少なくとも一部を提供するための手段と、
をさらに備える、請求項１１に記載の装置。
【請求項１７】
移動局であって、
ネットワーク・インターフェースと、
貯蔵デバイスに対して少なくとも１つの屋内領域に関するポジション・アシスタンス・データに関する要求の送信を開始し、
前記ネットワーク・インターフェースを経由して前記貯蔵デバイスから前記ポジション・アシスタンス・データを取得することであって、前記ポジション・アシスタンス・データは、少なくとも一部では、前記少なくとも１つの屋内領域の少なくとも一部に関する符号化されたメタデータ、および、電子マップもしくはアクセス・ポイント・ロケータの少なくとも１つに相当するもの、を備える、取得し、
前記移動局の位置を推定する際に使用するための少なくとも１つの機能に対して前記符号化されたメタデータの少なくとも一部を提供する、
処理ユニットと、
を備える移動局。
【請求項１８】
前記処理ユニットは、さらに、
前記ネットワーク・インターフェースを経由してディレクトリ・デバイスに対して貯蔵デバイス識別子に関する要求の送信を開始することであって、前記貯蔵デバイス識別子に関する前記要求は前記移動局の少なくとも第１推定位置を示す、開始し、
前記ネットワーク・インターフェースを経由して前記ディレクトリ・デバイスから前記貯蔵デバイスに関する前記貯蔵デバイス識別子を取得することであって、前記貯蔵デバイス識別子は、前記貯蔵デバイス、および、前記第１推定位置に相当する前記少なくとも１つの屋内領域を識別し、かつ、ポジション・アシスタンス・データに関する前記要求は前記貯蔵デバイス識別子を備える、取得する、
請求項１７に記載の移動局。
【請求項１９】
前記処理ユニットはさらに、
解読鍵を取得し、
前記解読鍵を使用して前記符号化されたメタデータの少なくとも一部を解読する、
請求項１７に記載の移動局。
【請求項２０】
前記解読鍵は、前記ネットワーク・インターフェースを経由して、ディレクトリ・デバイスから取得される、請求項１９に記載の移動局。 
【請求項２１】
前記符号化されたメタデータは、分析器能力によって、少なくとも一部では、確立されている、請求項１７に記載の移動局。
【請求項２２】
前記符号化されたメタデータは、ポジション・アシスタンス・データに関する前記要求の送信よりも前に、少なくとも一部では、確立されている、請求項１７に記載の移動局。
【請求項２３】
前記符号化されたメタデータは、ポジション・アシスタンス・データに関する前記要求に応じて、少なくとも一部では、確立されている、請求項１７に記載の移動局。
【請求項２４】
前記処理ユニットは、さらに、
前記群衆ソーシング・デバイスに対して前記少なくとも１つの屋内領域に関する収集されたデータの送信を開始すること、もしくは、
前記群衆ソーシング・デバイスから前記少なくとも１つの屋内領域に関する追加メタデータを取得すること、および、前記少なくとも１つの機能に対して前記追加メタデータの少なくとも一部を提供すること、
のうちの少なくとも１つによって、群衆ソーシング・デバイスと、前記ネットワーク・インターフェースを経由してインターフェースをとる、請求項１７に記載の移動局。
【請求項２５】
前記処理ユニットは、さらに、
前記ネットワーク・インターフェースを経由して、局所デバイスから前記少なくとも１つの屋内領域に関する局所メタデータを取得し、
前記少なくとも１つの機能をサポートするために前記局所メタデータの少なくとも一部を使用する、
請求項１７に記載の移動局。
【請求項２６】
前記少なくとも１つの機能は、ポジショニング機能、ナビゲーション機能、もしくは、位置ベースのサービス機能、のうち少なくとも１つを備える、請求項１７に記載の移動局。
【請求項２７】
貯蔵デバイスに対して少なくとも１つの屋内領域に関するポジション・アシスタンス・データに関する要求の送信を開始し、
前記貯蔵デバイスから前記ポジション・アシスタンス・データを取得することであって、前記ポジション・アシスタンス・データは、少なくとも一部では、前記少なくとも１つの屋内領域の少なくとも一部に関する符号化されたメタデータ、および、電子マップもしくはアクセス・ポイント・ロケータの少なくとも１つに相当するもの、を備える、取得し、
前記移動局の位置を推定する際に使用するための少なくとも１つの機能に対して前記符号化されたメタデータの少なくとも一部を提供する、
ように移動局内で処理ユニットによって実行可能な、そこに格納されたコンピュータ・インプリメント可能命令を有する非一時的な（non-transitory）コンピュータ可読媒体を備える、アーティクル。
【請求項２８】
前記コンピュータ・インプリメント可能命令は、
ディレクトリ・デバイスに対して貯蔵デバイス識別子に関する要求の送信を開始することであって、前記貯蔵デバイス識別子に関する前記要求は前記移動局の少なくとも１つの第１推定位置を示す、開始し、
前記ディレクトリ・デバイスから前記貯蔵デバイスに関する前記貯蔵デバイス識別子を取得することであって、前記貯蔵デバイス識別子は、前記貯蔵デバイスと前記第１推定位置に相当する前記少なくとも１つの屋内領域とを識別し、かつ、ポジション・アシスタンス・データに関する前記要求は前記貯蔵デバイス識別子を備える、取得する、
ように前記処理ユニットによってさらに実行可能である、請求項２７に記載のアーティクル。
【請求項２９】
前記コンピュータ・インプリメント可能命令は、
解読鍵を取得し、
前記解読鍵を用いて前記符号化されたメタデータの少なくとも一部を解読する、
ように、前記処理ユニットによってさらに実行可能である、請求項２７に記載のアーティクル。
【請求項３０】
前記符号化されたメタデータは、分析器能力によって、少なくとも一部では、確立されている、請求項２７に記載のアーティクル。
【請求項３１】
前記コンピュータ・インプリメント可能命令は、
群衆ソーシング・デバイスから前記少なくとも１つの屋内領域に関する追加メタデータを取得し、
前記少なくとも１つの機能をサポートするために前記追加メタデータの少なくとも一部を提供する、
ように前記処理ユニットによってさらに実行可能である、請求項２７に記載のアーティクル。
【請求項３２】
前記コンピュータ・インプリメント可能命令は、
局所デバイスから前記少なくとも１つの屋内領域に関する局所メタデータを取得し、
前記少なくとも１つの機能に対して前記局所メタデータの少なくとも一部を提供する、
ように前記処理ユニットによってさらに実行可能である、請求項２７に記載のアーティクル。
【請求項３３】
マップ推論デバイスのコンピューティング・プラットホームにおいて、
少なくとも１つの屋内領域の少なくとも一部に関して、電子マップもしくはアクセス・ポイント・ロケータの少なくとも１つを取得することと、
少なくとも一部では、前記電子マップもしくは前記アクセス・ポイント・ロケータの少なくとも１つに基づいて、前記少なくとも１つの屋内領域の少なくとも前記一部に関する符号化されたメタデータを確立することと、
貯蔵デバイスに対して前記符号化されたメタデータを送信することであって、前記貯蔵デバイスは、移動局から受信されたポジション・アシスタンス・データに関する要求に応じて、前記移動局に対して前記符号化されたメタデータの少なくとも一部を提供する、送信することと、
を備えた方法。
【請求項３４】
前記マップ推論デバイスにおいて、
暗号化鍵を用いて前記符号化されたメタデータを暗号化することと、
前記移動局に対して前記暗号化鍵に相当する解読鍵を送信することと、
をさらに備える、請求項３３に記載の方法。
【請求項３５】
前記符号化されたメタデータの少なくとも一部は、前記貯蔵デバイスから受信された要求に応じて、少なくとも一部では、確立される、請求項３３に記載の方法。
【請求項３６】
前記符号化されたメタデータの少なくとも一部は、ポジショニング機能、ナビゲーション機能、もしくは、位置ベースのサービス機能、のうちの少なくとも１つで、前記移動局内で使用するためである、請求項３３に記載の方法。
【請求項３７】
マップ推論デバイスにおいて使用するための装置であって、
少なくとも１つの屋内領域の少なくとも一部に関して、電子マップもしくはアクセス・ポイント・ロケータの少なくとも１つを取得するための手段と、
少なくとも一部では、前記電子マップもしくは前記アクセス・ポイント・ロケータの少なくとも１つに基づいて、前記少なくとも１つの屋内領域の少なくとも前記一部に関する符号化されたメタデータを確立するための手段と、
貯蔵デバイスに対して前記符号化されたメタデータを送信するための手段であって、前記貯蔵デバイスは、移動局から受信されたポジション・アシスタンス・データに関する要求に応じて、前記移動局に対して前記符号化されたメタデータの少なくとも一部を提供する、送信するための手段と、
を備えた装置。
【請求項３８】
前記マップ推論デバイスにおいて、
暗号化鍵を用いて前記符号化されたメタデータを暗号化するための手段と、
前記移動局に対して前記暗号化鍵に相当する解読鍵を送信するための手段と、
をさらに備える、請求項３７に記載の装置。
【請求項３９】
符号化されたメタデータを確立するための前記手段は、前記貯蔵デバイスから受信された要求に応じて、前記符号化されたメタデータの少なくとも一部を確立する、請求項３７に記載の装置。
【請求項４０】
符号化されたメタデータを確立するための前記手段は、ポジショニング機能、ナビゲーション機能、もしくは、位置ベースのサービス機能、のうちの少なくとも１つで、前記移動局によって使用するための前記符号化されたメタデータを確立する、請求項３７に記載の装置。
【請求項４１】
マップ推論デバイスにおいて使用するためのコンピューティング・プラットホームであって、
ネットワーク・インターフェースと、
前記ネットワーク・インターフェースを経由して、少なくとも１つの屋内領域の少なくとも一部に関して、電子マップもしくはアクセス・ポイント・ロケータの少なくとも１つを取得し、
少なくとも一部では、前記電子マップもしくは前記アクセス・ポイント・ロケータの少なくとも１つに基づいて、前記少なくとも１つの屋内領域の少なくとも前記一部に関する符号化されたメタデータを確立し、
貯蔵デバイスに対して前記符号化されたメタデータの送信を開始することであって、前記貯蔵デバイスは、移動局から受信されたポジション・アシスタンス・データに関する要求に応じて、前記移動局に対して前記符号化されたメタデータの少なくとも一部を提供する、開始する、
処理ユニットと、
を備えたコンピューティング・プラットホーム。
【請求項４２】
前記処理ユニットはさらに、
暗号化鍵を用いて前記符号化されたメタデータを暗号化し、
前記移動局に対して前記暗号化鍵に相当する解読鍵の送信を開始する、
請求項４１に記載のコンピューティング・プラットホーム。
【請求項４３】
前記処理ユニットは、前記ネットワーク・インターフェースを経由して前記貯蔵デバイスから受信された要求に応じて、前記符号化されたメタデータを確立する、請求項４１に記載のコンピューティング・プラットホーム。
【請求項４４】
前記処理ユニットは、ポジショニング機能、ナビゲーション機能、もしくは、ロケーション・ベースのサービス機能、のうちの少なくとも１つで前記移動局によって使用するための前記符号化されたメタデータを確立する、請求項４１に記載のコンピューティング・プラットホーム。
【請求項４５】
少なくとも１つの屋内領域の少なくとも一部に関して、電子マップもしくはアクセス・ポイント・ロケータの少なくとも１つを取得し、
少なくとも一部では、前記電子マップもしくは前記アクセス・ポイント・ロケータの少なくとも１つに基づいて、前記少なくとも１つの屋内領域の少なくとも前記一部に関する符号化されたメタデータを確立し、
貯蔵デバイスに対して前記符号化されたメタデータの送信を開始することであって、前記貯蔵デバイスは、移動局から受信されたポジション・アシスタンス・データに関する要求に応じて、前記移動局に対して前記符号化されたメタデータの少なくとも一部を提供する、開始する、
ように、ディレクトリ・デバイス内の処理ユニットによって実行可能であるコンピュータ・インプリメント可能命令をそこに格納している非一時的なコンピュータ可読媒体、
を備えるアーティクル。
【請求項４６】
前記コンピュータ・インプリメント可能命令は、
暗号化鍵を用いて前記符号化されたメタデータを暗号化し、
前記移動局に対して前記暗号化鍵に相当する解読鍵の送信を開始する、
ように前記処理ユニットによってさらに実行可能である、請求項４５に記載のアーティクル。
【請求項４７】
前記コンピュータ・インプリメント可能命令は、
前記貯蔵デバイスから受信された要求に応じて、前記符号化されたメタデータを確立する、
ように前記処理ユニットによってさらに実行可能である、請求項４５に記載のアーティクル。
【請求項４８】
前記コンピュータ・インプリメント可能命令は、
ポジショニング機能、ナビゲーション機能、もしくは位置ベースのサービス機能、のうち少なくとも１つで前記移動局によって使用するための前記符号化されたメタデータを確立する、
ように前記処理ユニットによってさらに実行可能である、請求項４５に記載のアーティクル。
【請求項４９】
ディレクトリ・デバイスにおいて、
少なくとも１つの屋内領域の少なくとも一部に関して、電子マップもしくはアクセス・ポイント・ロケータの少なくとも１つを取得することと、
少なくとも一部では、前記電子マップもしくは前記アクセス・ポイント・ロケータの少なくとも１つに基づいて、前記少なくとも１つの屋内領域の少なくとも前記一部に関して符号化されたメタデータを確立することと、
貯蔵デバイスに対して前記符号化されたメタデータを送信することと、
移動局から貯蔵デバイス識別子に関する要求を受信することであって、前記貯蔵デバイス識別子に関する前記要求は、前記移動局の少なくとも第１推定位置を示す、受信することと、
前記第１推定位置が前記少なくとも１つの屋内領域の前記少なくとも前記一部に相当する決定することに応答して、前記移動局に対して前記貯蔵デバイスに関する貯蔵デバイス識別子を送信することと、
を備えた方法。
【請求項５０】
前記ディレクトリ・デバイスにおいて、
前記第１推定位置が、前記少なくとも１つの屋内領域の前記少なくとも前記部分に相当するという決定に応答して、前記移動局に対して、前記電子マップ、前記アクセス・ポイント・ロケータ、もしくは前記符号化されたメタデータのうちの、少なくとも１つに関する少なくとも１つの識別子、をさらに送信すること、
をさらに備える、請求項４９に記載の方法。
【請求項５１】
前記ディレクトリ・デバイスにおいて、
暗号化鍵を用いて前記符号化されたメタデータを暗号化することと、
前記移動局に対して、前記暗号化鍵に相当する解読鍵を送信することと、
をさらに備える、請求項４９に記載の方法。
【請求項５２】
前記ディレクトリ・デバイスにおいて、
群衆ソーシング・デバイスから前記少なくとも１つの屋内領域に関する追加メタデータを取得することをさらに備え、
前記符号化されたメタデータを確立することは、前記追加メタデータの少なくとも一部に、少なくとも一部では、基づいて前記符号化されたメタデータを確立することをさらに備える、
請求項４９に記載の方法。
【請求項５３】
前記符号化されたメタデータの少なくとも一部は、少なくとも一部では、前記移動局から前記貯蔵デバイス識別子に関する前記要求を受信するよりも前に確立される、請求項４９に記載の方法。
【請求項５４】
前記符号化されたメタデータの少なくとも一部は、少なくとも一部では、前記移動局からの前記貯蔵デバイス識別子に関する前記要求もしくは前記貯蔵デバイスから受信された要求のうちの少なくとも１つに応じて確立される、請求項４９に記載の方法。
【請求項５５】
前記符号化されたメタデータの少なくとも一部は、ポジショニング機能、ナビゲーション機能、もしくは位置ベースのサービス機能、のうちの少なくとも１つで前記移動局によって使用するためである、請求項４９に記載の方法。
【請求項５６】
ディレクトリ・デバイス内で使用するための装置であって、
少なくとも１つの屋内領域の少なくとも一部に関して、電子マップもしくはアクセス・ポイント・ロケータの少なくとも１つを取得するための手段と、
少なくとも一部では、前記電子マップもしくは前記アクセス・ポイント・ロケータの少なくとも１つに基づいて、前記少なくとも１つの屋内領域の少なくとも前記一部に関して符号化されたメタデータを確立するための手段と、
貯蔵デバイスに対して前記符号化されたメタデータを送信するための手段と、
移動局から貯蔵デバイス識別子に関する要求を受信するための手段であって、前記貯蔵デバイス識別子に関する前記要求は、前記移動局の少なくとも第１推定位置を示す、受信するための手段と、
前記第１推定位置が前記少なくとも１つの屋内領域の前記少なくとも前記一部に相当するという決定に応答して、前記移動局に対して前記貯蔵デバイスに関する貯蔵デバイス識別子を送信するための手段と、
を備えた装置。
【請求項５７】
前記第１推定位置が前記少なくとも１つの屋内領域の前記少なくとも前記一部に相当するという決定に応答して、前記電子マップ、前記アクセス・ポイント・ロケータ、もしくは前記符号化されたメタデータのうちの少なくとも１つに関する少なくとも１つの識別子を前記移動局に対して送信するための手段、をさらに備える、請求項５６に記載の装置。
【請求項５８】
暗号化鍵を用いて前記符号化されたメタデータを暗号化するための手段と、
前記移動局に対して前記暗号化鍵に相当する解読鍵を送信するための手段と、
をさらに備える、請求項５６に記載の装置。
【請求項５９】
群衆ソーシング・デバイスから前記少なくとも１つの屋内領域に関する追加メタデータを取得するための手段と、
さらに、少なくとも一部では、前記追加メタデータの少なくとも一部に基づいて、前記符号化されたメタデータを確立するための手段と、
をさらに備える、請求項５６に記載の装置。
【請求項６０】
前記符号化されたメタデータを確立するための前記手段は、前記貯蔵デバイス識別子に関する前記要求が前記移動局から受信されているよりも前に、前記符号化されたメタデータを確立する、請求項５６に記載の装置。
【請求項６１】
前記符号化されたメタデータを確立するための前記手段は、前記移動局からの前記貯蔵デバイス識別子に関する前記要求か、あるいは前記貯蔵デバイスから受信される要求、のうちの少なくとも１つを受信することに応答して、少なくとも一部では、前記符号化されたメタデータを確立する、請求項５６に記載の装置。
【請求項６２】
ディレクトリ・デバイスにおいて、
ネットワーク・インターフェースと、
前記ネットワーク・インターフェースを経由して、少なくとも１つの屋内領域の少なくとも一部に関して、電子マップもしくはアクセス・ポイント・ロケータの少なくとも１つを、取得し、
少なくとも一部では、前記電子マップもしくは前記アクセス・ポイント・ロケータの少なくとも１つに基づいて、前記少なくとも１つの屋内領域の少なくとも前記一部に関する符号化されたメタデータを確立し、
前記ネットワーク・インターフェースを経由して貯蔵デバイスに対して前記符号化されたメタデータの送信を開始し、
前記ネットワーク・インターフェースを経由して移動局から貯蔵デバイス識別子に関する要求を取得することであって、前記貯蔵デバイス識別子に関する前記要求は、前記移動局の少なくとも第１推定位置を示す、取得し、
前記第１推定位置は前記少なくとも１つの屋内領域の前記少なくとも前記一部に相当するという決定に応答して、前記ネットワーク・インターフェースを経由して、前記移動局に対して前記貯蔵デバイスに関する貯蔵デバイス識別子の送信を開始するための、
処理ユニットと、
を備えるコンピューティング・プラットホーム。
【請求項６３】
前記処理ユニットは、さらに、前記第１推定位置が前記少なくとも１つの屋内領域の前記少なくとも前記一部に相当するという決定に応答して、前記ネットワーク・インターフェースを経由して前記移動局に対して、前記電子マップ、前記アクセス・ポイント・ロケータ、もしくは前記符号化されたメタデータのうちの少なくとも１つに関する少なくとも１つの識別子の送信を開始する、請求項６２に記載のコンピューティング・プラットホーム。
【請求項６４】
前記処理ユニットは、さらに、
暗号化鍵を用いて前記符号化されたメタデータを暗号化し、
前記ネットワーク・インターフェースを経由して前記移動局に対して前記暗号化鍵に相当する解読鍵の送信を開始する、
請求項６２に記載のコンピューティング・プラットホーム。
【請求項６５】
前記処理ユニットは、さらに、
前記ネットワーク・インターフェースを経由して群衆ソーシング・デバイスから前記少なくとも１つの屋内領域に関する追加メタデータを取得し、
少なくとも一部では、さらに、前記追加メタデータの少なくとも一部に基づいて前記符号化されたメタデータを確立する、
請求項６２に記載のコンピューティング・プラットホーム。
【請求項６６】
前記処理ユニットは、さらに、前記移動局から受信されている前記貯蔵デバイス識別子に関する前記要求よりも前に、前記符号化されたメタデータを確立する、請求項６２に記載のコンピューティング・プラットホーム。
【請求項６７】
前記処理ユニットは、さらに、少なくとも一部では、前記移動局からの前記貯蔵デバイス識別子に関する前記要求、もしくは、前記ネットワーク・インターフェースを経由して前記貯蔵デバイスからの要求、のうちの少なくとも１つを受信することに応答して、前記符号化されたメタデータを確立する、請求項６２に記載のコンピューティング・プラットホーム。
【請求項６８】
前記符号化されたメタデータの少なくとも一部をさらに確立するための前記処理ユニットは、ポジショニング機能、ナビゲーション機能、もしくは、位置ベースのサービス機能、のうちの少なくとも１つで、前記移動局によって使用するためである、請求項６２に記載のコンピューティング・プラットホーム。
【請求項６９】
少なくとも１つの屋内領域の少なくとも一部に関して、電子マップもしくはアクセス・ポイント・ロケータの少なくとも１つを取得し、
少なくとも一部では、前記電子マップもしくは前記アクセス・ポイント・ロケータの少なくとも１つに基づいて、前記少なくとも１つの屋内領域の少なくとも前記一部に関して符号化されたメタデータを確立し、
貯蔵デバイスに対して前記符号化されたメタデータの送信を開始し、
移動局から貯蔵デバイス識別子に関する要求を取得することであって、前記貯蔵デバイス識別子に関する前記要求は、前記移動局の少なくとも第１推定位置を示す、取得し、
前記第１推定位置は前記少なくとも１つの屋内領域の前記少なくとも前記一部に相当するという決定に応答して、前記移動局に対して前記貯蔵デバイスに関する貯蔵デバイス識別子の送信を開始する、
ように、ディレクトリ・デバイス内で処理ユニットによって実行可能であるコンピュータ・インプリメント可能命令がそこに格納されている非一時的なコンピュータ可読媒体、
を備えるアーティクル。
【請求項７０】
前記コンピュータ・インプリメント可能命令は、
前記第１推定位置が前記少なくとも１つの屋内領域の前記少なくとも前記一部に相当するという決定に応答して、前記電子マップ、前記アクセス・ポイント・ロケータ、もしくは前記符号化されたメタデータのうちの少なくとも１つに関する少なくとも１つの識別子の送信を、前記移動局に対して、開始する、
ように前記処理ユニットによってさらに実行可能である、請求項６９に記載のアーティクル。
【請求項７１】
前記コンピュータ・インプリメント可能命令は、
暗号化鍵を使用して前記符号化されたメタデータを暗号化し、
前記移動局に対して前記暗号化鍵に相当する解読鍵の送信を開始する、
ように前記処理ユニットによってさらに実行可能である、請求項６９に記載のアーティクル。
【請求項７２】
前記コンピュータ・インプリメント可能命令は、
群衆ソーシング・デバイスから前記少なくとも１つの屋内領域に関する追加メタデータを取得し、
少なくとも一部では、前記追加メタデータの少なくとも一部にさらに基づいて、前記符号化されたメタデータを確立する、
ように前記処理ユニットによってさらに実行可能である、請求項６９に記載のアーティクル。
【請求項７３】
前記コンピュータ・インプリメント可能命令は、
前記移動局から前記貯蔵デバイス識別子に関する前記要求を取得するよりも前に、前記符号化されたメタデータを確立する、
ように前記処理ユニットによってさらに実行可能である、請求項６９に記載のアーティクル。
【請求項７４】
前記コンピュータ・インプリメント可能命令は、前記移動局からの前記貯蔵デバイス識別子に関する前記要求か、あるいは、前記貯蔵デバイスから受信された要求、のうちの少なくとも１つに応じて、前記符号化されたメタデータの少なくとも一部を確立する、
ように前記処理ユニットによってさらに実行可能である、請求項６９に記載のアーティクル。
【請求項７５】
貯蔵デバイスにおいて、
電子マップもしくはアクセス・ポイント・ロケータの少なくとも１つに相当する少なくとも１つの屋内領域の少なくとも一部に関する符号化されたメタデータを取得することと、
移動局から、少なくとも１つの屋内領域に関するポジション・アシスタンス・データに関する要求を受信することと、
前記移動局に対して、前記ポジション・アシスタンス・データの少なくとも一部を送信することであって、前記ポジション・アシスタンス・データは、少なくとも一部では、前記符号化されたメタデータ、および、前記符号化されたメタデータに相当する前記電子マップもしくは前記アクセス・ポイント・ロケータの少なくとも１つの少なくとも一部を備える、送信することと、
を備える方法。
【請求項７６】
前記符号化されたメタデータを取得することは、前記貯蔵デバイスにおいて、
少なくとも一部では、前記電子マップもしくは前記アクセス・ポイント・ロケータのうちの少なくとも１つに基づいて、前記少なくとも１つの屋内領域の少なくとも前記一部に関して前記符号化されたメタデータの少なくとも一部を確立すること、
をさらに備える、請求項７５に記載の方法。
【請求項７７】
前記貯蔵デバイスにおいて、
群衆ソーシング・デバイスから前記少なくとも１つの屋内領域に関する追加メタデータを取得すること、
をさらに備え、ここで前記符号化されたメタデータの前記少なくとも前記一部を確立することは、少なくとも一部では、前記追加メタデータの少なくとも一部に基づいて前記符号化されたメタデータの前記少なくとも前記一部を確立することをさらに備える、
請求項７６に記載の方法。
【請求項７８】
前記符号化されたメタデータを取得することは、前記貯蔵デバイスにおいて、
ディレクトリ・デバイスから前記符号化されたメタデータの少なくとも一部を受信すること、
をさらに備える、請求項７５に記載の方法。
【請求項７９】
前記符号化されたメタデータの少なくとも一部は、前記ディレクトリ・デバイスによって暗号化されている、請求項７５に記載の方法。
【請求項８０】
前記符号化されたメタデータの少なくとも一部は、ポジション・アシスタンス・データに関する前記要求を受信するよりも前に、少なくとも一部では、確立される、請求項７５に記載の方法。
【請求項８１】
前記符号化されたメタデータの少なくとも一部は、ポジション・アシスタンス・データに関する前記要求に応じて、少なくとも一部では、確立される、請求項７５に記載の方法。
【請求項８２】
前記貯蔵デバイスにおいて、
少なくとも一部では、前記少なくとも１つの屋内領域に関する少なくとも１つの現場図に基づいて、前記電子マップもしくは前記アクセス・ポイント・ロケータのうちの少なくとも１つを確立すること、
をさらに備える、請求項７５に記載の方法。
【請求項８３】
前記符号化されたメタデータの少なくとも一部は、ポジショニング機能、ナビゲーション機能、もしくは位置ベースのサービス機能、のうちの少なくとも１つで、前記移動局内で使用するためである、請求項７５に記載の方法。
【請求項８４】
貯蔵デバイス内で使用するための装置であって、
電子マップもしくはアクセス・ポイント・ロケータの少なくとも１つに相当する少なくとも１つの屋内領域の少なくとも一部に関する符号化されたメタデータを取得するための手段と、
移動局から、少なくとも１つの屋内領域に関するポジション・アシスタンス・データに関する要求を受信するための手段と、
前記移動局に対して、前記ポジション・アシスタンス・データの少なくとも一部を送信するための手段であって、前記ポジション・アシスタンス・データは、少なくとも一部では、前記符号化されたメタデータ、および、前記符号化されたメタデータに相当する前記電子マップもしくは前記アクセス・ポイント・ロケータの少なくとも１つの少なくとも一部を備える、送信するための手段と、
を備える装置。
【請求項８５】
前記符号化されたメタデータを取得するための前記手段は、
少なくとも一部では、前記電子マップもしくは前記アクセス・ポイント・ロケータのうちの少なくとも１つに基づいて前記少なくとも１つの屋内領域の少なくとも前記一部に関する前記符号化されたメタデータの少なくとも一部を確立するための手段、
をさらに備える、請求項８４に記載の装置。
【請求項８６】
群衆ソーシング・デバイスから前記少なくとも１つの屋内領域に関する追加メタデータを取得するための手段、
をさらに備え、ここで前記符号化されたメタデータの前記少なくとも前記一部を確立するための前記手段は、少なくとも一部では、前記追加メタデータの少なくとも一部に基づいて前記符号化されたメタデータの前記少なくとも前記一部を確立するための手段、をさらに備える、
請求項８５に記載の装置。
【請求項８７】
前記符号化されたメタデータの少なくとも前記部分を確立するための前記手段は、少なくとも一部では、ポジション・アシスタンス・データに関する前記要求に応じて、前記符号化されたメタデータの少なくとも前記一部を確立する、請求項８５に記載の装置。
【請求項８８】
少なくとも一部では、前記少なくとも１つの屋内領域に関する少なくとも１つの現場図に基づいて、前記電子マップもしくは前記アクセス・ポイント・ロケータ、のうちの少なくとも１つを確立するための手段、
をさらに備える、請求項８４に記載の装置。
【請求項８９】
貯蔵デバイスにおいて、
ネットワーク・インターフェースと、
電子マップもしくはアクセス・ポイント・ロケータの少なくとも１つに相当する少なくとも１つの屋内領域の少なくとも一部に関する符号化されたメタデータを取得し、
前記ネットワーク・インターフェースを経由して、移動局から、少なくとも１つの屋内領域に関するポジション・アシスタンス・データに関する要求を取得し、
前記ネットワーク・インターフェースを経由して、前記移動局に対して、前記ポジション・アシスタンス・データの少なくとも一部の送信を開始することであって、前記ポジション・アシスタンス・データは、少なくとも一部では、前記符号化されたメタデータ、および、前記符号化されたメタデータに相当する前記電子マップもしくは前記アクセス・ポイント・ロケータの少なくとも１つの少なくとも一部を備え、開始する、
ための処理ユニットと、
を備えるコンピューティング・プラットホーム。
【請求項９０】
前記処理ユニットは、さらに、
少なくとも一部では、前記電子マップもしくは前記アクセス・ポイント・ロケータのうちの少なくとも１つに基づいて、前記少なくとも１つの屋内領域の少なくとも前記一部に関する前記符号化されたメタデータの少なくとも一部を確立する、
請求項８９に記載のコンピューティング・プラットホーム。
【請求項９１】
前記処理ユニットは、さらに、
前記ネットワーク・インターフェースを経由して群衆ソーシング・デバイスから前記少なくとも１つの屋内領域に関する追加メタデータを取得し、
さらに、少なくとも一部では、前記追加メタデータの少なくとも一部に基づいて前記符号化されたメタデータの前記少なくとも前記一部を確立する、
請求項９０に記載のコンピューティング・プラットホーム。
【請求項９２】
前記処理ユニットは、さらに、
少なくとも一部では、ポジション・アシスタンス・データに関する前記要求に応じて、前記符号化されたメタデータの少なくとも前記一部を確立する、
請求項９０に記載のコンピューティング・プラットホーム。
【請求項９３】
前記処理ユニットは、さらに、
少なくとも一部では、前記少なくとも１つの屋内領域に関する少なくとも１つの現場図に基づいて、前記電子マップもしくは前記アクセス・ポイント・ロケータ、のうちの少なくとも１つを確立する、
請求項９０に記載のコンピューティング・プラットホーム。
【請求項９４】
電子マップもしくはアクセス・ポイント・ロケータの少なくとも１つに相当する少なくとも１つの屋内領域の少なくとも一部に関する符号化されたメタデータを取得し、
移動局から、少なくとも１つの屋内領域に関するポジション・アシスタンス・データに関する要求を取得し、
前記移動局に対して、前記ポジション・アシスタンス・データの少なくとも一部の送信を開始することであって、前記ポジション・アシスタンス・データは、少なくとも一部では、前記符号化されたメタデータ、および、前記符号化されたメタデータに相当する前記電子マップもしくは前記アクセス・ポイント・ロケータの少なくとも１つの少なくとも一部を備え、開始する、
ように、貯蔵デバイス内で処理ユニットによって実行可能である、コンピュータ・インプリメント可能命令をそこに格納している、非一時的なコンピュータ可読媒体、
を備えるアーティクル。
【請求項９５】
前記コンピュータ・インプリメント可能命令は、
少なくとも一部では、前記電子マップもしくは前記アクセス・ポイント・ロケータのうちの少なくとも１つに基づいて前記少なくとも１つの屋内領域の少なくとも前記一部に関する前記符号化されたメタデータの少なくとも一部を確立する、
ように前記処理ユニットによってさらに実行可能である、請求項９４に記載のアーティクル。
【請求項９６】
前記コンピュータ・インプリメント可能命令は、
群衆ソーシング・デバイスから前記少なくとも１つの屋内領域に関する追加メタデータを取得し、
少なくとも一部では、さらに前記追加メタデータの少なくとも一部に基づいて前記符号化されたメタデータの前記少なくとも前記一部を確立する、
ように前記処理ユニットによってさらに実行可能である、請求項９５に記載のアーティクル。
【請求項９７】
前記コンピュータ・インプリメント可能命令は、
少なくとも一部では、ポジション・アシスタンス・データに関する前記要求に応じて、前記符号化されたメタデータの少なくとも前記一部を確立する、
ように前記処理ユニットによってさらに実行可能である、請求項９５に記載のアーティクル。
【請求項９８】
前記コンピュータ・インプリメント可能命令は、
少なくとも一部では、前記少なくとも１つの屋内領域に関する少なくとも１つの現場図に基づいて、前記電子マップもしくは前記アクセス・ポイント・ロケータのうちの少なくとも１つを確立する、
ように前記処理ユニットによってさらに実行可能である、請求項９５に記載のアーティクル。
【手続補正２】
【補正対象書類名】明細書
【補正対象項目名】０００９
【補正方法】変更
【補正の内容】
【０００９】
別の例のインプリメンテーションに基づいて、装置は、移動局内で使用するためにインプリメントされ得、貯蔵デバイスに対して少なくとも１つの屋内領域に関するポジション・アシスタンス・データに関する要求を送信するための手段と、前記貯蔵デバイスから前記ポジション・アシスタンス・データを受信するための手段であって、前記ポジション・アシスタンス・データは、少なくとも一部では、前記少なくとも１つの屋内領域の少なくとも一部に関する符号化されたメタデータ、および、電子マップもしくはアクセス・ポイント・ロケータの少なくとも１つに相当するものを備える、受信するための手段と、前記移動局の位置を推定する際に使用するための少なくとも１つの機能に対して前記符号化されたメタデータの少なくとも一部を提供するための手段と、を備える。とあるさらなる例のインプリメンテーションでは、そのような装置は、ディレクトリ・デバイスに対して貯蔵デバイス識別子に関する要求を送信するための手段であって、前記貯蔵デバイス識別子に関する前記要求が、前記移動局の少なくとも第１推定位置を示している、送信するための手段と、前記ディレクトリ・デバイスから前記貯蔵デバイスに関する前記貯蔵デバイス識別子を受信するための手段であって、前記貯蔵デバイス識別子は、前記貯蔵デバイスと前記第１推定位置に相当する前記少なくとも１つの屋内領域とを識別する、受信するための手段と、をさらに備える。
【手続補正３】
【補正対象書類名】明細書
【補正対象項目名】００１０
【補正方法】変更
【補正の内容】
【００１０】
まだ別の例のインプリメンテーションに基づいて、移動局は、少なくとも１つのネットワーク・インターフェースと、貯蔵デバイスに対して少なくとも１つの屋内領域に関するポジション・アシスタンス・データに関する要求の送信を開始し、前記ネットワーク・インターフェースを経由して前記貯蔵デバイスから前記ポジション・アシスタンス・データを取得することであって、前記ポジション・アシスタンス・データは、少なくとも一部では、前記少なくとも１つの屋内領域の少なくとも一部に関する符号化されたメタデータ、および、電子マップもしくはアクセス・ポイント・ロケータの少なくとも１つに相当するもの、を備える、取得し、前記移動局の位置を推定する際に使用するための少なくとも１つの機能に対して前記符号化されたメタデータの少なくとも一部を提供する、処理ユニットと、を備え得る。とあるさらなる例のインプリメンテーションでは、１つまたは複数の処理ユニットは、さらに、前記ネットワーク・インターフェースを経由してディレクトリ・デバイスに対して貯蔵デバイス識別子に関する要求の送信を開始することであって、前記貯蔵デバイス識別子に関する前記要求は前記移動局の少なくとも第１推定位置を示す、開始し、前記ネットワーク・インターフェースを経由して前記ディレクトリ・デバイスから前記貯蔵デバイスに関する前記貯蔵デバイス識別子を取得することであって、前記貯蔵デバイス識別子は、前記貯蔵デバイス、および、前記第１推定位置に相当する前記少なくとも１つの屋内領域を識別する、取得する。
【手続補正４】
【補正対象書類名】明細書
【補正対象項目名】００９８
【補正方法】変更
【補正の内容】
【００９８】
図１２は、また別のインプリメンテーションに基づいて、移動局１０２に対して、ポジション・アシスタンス・データなどを提供するために例の環境内でインプリメントされ得る例の通信セッション１２００を示す概略ブロック図である。図１２は、図１０および図１１に似ており、貯蔵デバイス１０８において円形の矢印で示されているように（メッセージ＃０）、貯蔵デバイス１０８は、（例えば、要求よりも前に、）マップ推論を実行する分析器能力を備え得る。ここでは、しかしながら、図１０とは異なり、かつどちらかというと図１０に近く、マップおよびＡＰ位置情報は、その他のデバイス８０２から、ＩＰＡＳにおいて、メッセージ＃０を経由して、取得され（かつ貯蔵され）得る。
【手続補正５】
【補正対象書類名】明細書
【補正対象項目名】０１０６
【補正方法】変更
【補正の内容】
【０１０６】
それ故、クレームされた技術主題は、開示された特定の例に限定されるわけではないが、そのようなクレームされた技術主題は、また、添付されたクレーム、およびそれらに対応するものの範囲内に入る全ての態様を含み得る、ということが意図されている。
以下に本件出願当初の特許請求の範囲に記載された発明を付記する。
［１］移動局において、
貯蔵（repository）デバイスに対して少なくとも１つの屋内領域に関するポジション・アシスタンス・データ（position assistance data）に関する要求を送信することと、
前記貯蔵デバイスから前記ポジション・アシスタンス・データを受信することであって、前記ポジション・アシスタンス・データは、少なくとも一部では、前記少なくとも１つの屋内領域の少なくとも一部に関する符号化されたメタデータ、および、電子マップもしくはアクセス・ポイント・ロケータの少なくとも１つに相当するものを備える、受信することと、
前記移動局の位置を推定する際に使用するための少なくとも１つの機能に対して、前記符号化されたメタデータの少なくとも一部を提供することと、
を備える方法。
［２］ポジション・アシスタンス・データに関する前記要求は貯蔵デバイス識別子を備える、［１］に記載の方法。
［３］前記移動局において、
ディレクトリ・デバイスに対して貯蔵デバイス識別子に関する要求を送信することであって、貯蔵デバイス識別子に関する前記要求が前記移動局の少なくとも第１推定位置を示している、送信することと、
前記ディレクトリ・デバイスから前記貯蔵デバイスに関する前記貯蔵デバイス識別子を受信することであって、前記貯蔵デバイス識別子は、前記貯蔵デバイスと前記第１推定位置に相当する前記少なくとも１つの屋内領域とを識別する、受信することと、
をさらに備える、［１］に記載の方法。
［４］前記移動局において、
解読鍵を受信すること、をさらに備え、
前記符号化されたメタデータを復号することは、前記解読鍵を用いて前記符号化されたメタデータの少なくとも一部を解読することをさらに備える、
［１］に記載の方法。
［５］前記符号化されたメタデータの少なくとも一部は、ディレクトリ・デバイス、前記貯蔵デバイス、もしくはマップ推論デバイス、の少なくとも１つを経由して提供される分析器能力によって、少なくとも一部では、確立される、［１］に記載の方法。
［６］前記符号化されたメタデータの少なくとも一部は、前記移動局がポジション・アシスタンス・データに関する前記要求を送信するよりも前に、少なくとも一部では確立され、前記貯蔵デバイスにおいて格納される、［１］に記載の方法。
［７］前記符号化されたメタデータの少なくとも一部は、ポジション・アシスタンス・データに関する前記要求に応じて、少なくとも一部では、確立される、［１］に記載の方法。
［８］前記移動局において、
前記群衆ソーシング・デバイスに対して前記少なくとも１つの屋内領域に関する収集されたデータを集める（gather）こと、および、送信すること、もしくは、
前記群衆ソーシング・デバイスから前記少なくとも１つの屋内領域に関する追加メタデータを受信すること、および、前記少なくとも１つの機能に対して前記追加メタデータの少なくとも一部を提供すること、
のうち少なくとも１つによって、群衆ソーシング・デバイスとインターフェースをとることを、さらに備える、［１］に記載の方法。
［９］前記移動局において、
局所デバイスから前記少なくとも１つの屋内領域に関する局所メタデータを受信することと、
前記少なくとも１つの機能に対して前記局所メタデータの少なくとも一部を提供することと、
をさらに備える、［１］に記載の方法。
［１０］前記少なくとも１つの機能は、ポジショニング機能、ナビゲーション機能、もしくは、位置ベースのサービス機能、のうち少なくとも１つを備える、［１］に記載の方法。
［１１］移動局内で使用するための装置であって、
貯蔵デバイスに対して少なくとも１つの屋内領域に関するポジション・アシスタンス・データに関する要求を送信するための手段と、
前記貯蔵デバイスから前記ポジション・アシスタンス・データを受信するための手段であって、前記ポジション・アシスタンス・データは、少なくとも一部では、前記少なくとも１つの屋内領域の少なくとも一部に関する符号化されたメタデータ、および、電子マップもしくはアクセス・ポイント・ロケータの少なくとも１つに相当するものを備える、受信するための手段と、
前記移動局の位置を推定する際に、使用するための少なくとも１つの機能に対して、前記符号化されたメタデータの少なくとも一部を提供するための手段と、
を備える装置。
［１２］ディレクトリ・デバイスに対して貯蔵デバイス識別子に関する要求を送信するための手段であって、前記貯蔵デバイス識別子に関する前記要求が前記移動局の少なくとも第１推定位置を示している、送信するための手段と、
前記ディレクトリ・デバイスから前記貯蔵デバイスに関する前記貯蔵デバイス識別子を受信するための手段であって、前記貯蔵デバイス識別子は、前記貯蔵デバイスと前記第１推定位置に相当する前記少なくとも１つの屋内領域とを識別し、かつ、ポジション・アシスタンス・データに関する前記要求は前記貯蔵デバイス識別子を備える、受信するための手段と、
をさらに備える、［１１］に記載の装置。
［１３］解読鍵を取得するための手段と、
前記解読鍵を用いて、前記符号化されたメタデータの少なくとも一部を解読するための手段と、
をさらに備える、［１１］に記載の装置。
［１４］前記符号化されたメタデータは、分析器能力によって、少なくとも一部では、確立されている、［１１］に記載の装置。
［１５］前記群衆ソーシング・デバイスに対して前記少なくとも１つの屋内領域に関する収集されたデータを送信するための手段、もしくは、
前記群衆ソーシング・デバイスから前記少なくとも１つの屋内領域に関する追加メタデータを受信するための手段、および、前記少なくとも１つの機能をサポートするために前記追加メタデータの少なくとも一部を提供するための手段、
のうちの少なくとも１つ、をさらに備える、［１１］に記載の装置。
［１６］局所デバイスから前記少なくとも１つの屋内領域に関する局所メタデータを受信するための手段と、
前記少なくとも１つの機能に対して前記局所メタデータの少なくとも一部を提供するための手段と、
をさらに備える、［１］に記載の装置。
［１７］移動局であって、
ネットワーク・インターフェースと、
貯蔵デバイスに対して少なくとも１つの屋内領域に関するポジション・アシスタンス・データに関する要求の送信を開始し、
前記ネットワーク・インターフェースを経由して前記貯蔵デバイスから前記ポジション・アシスタンス・データを取得することであって、前記ポジション・アシスタンス・データは、少なくとも一部では、前記少なくとも１つの屋内領域の少なくとも一部に関する符号化されたメタデータ、および、電子マップもしくはアクセス・ポイント・ロケータの少なくとも１つに相当するもの、を備える、取得し、
前記移動局の位置を推定する際に使用するための少なくとも１つの機能に対して前記符号化されたメタデータの少なくとも一部を提供する、
処理ユニットと、
を備える移動局。
［１８］前記処理ユニットは、さらに、
前記ネットワーク・インターフェースを経由してディレクトリ・デバイスに対して貯蔵デバイス識別子に関する要求の送信を開始することであって、前記貯蔵デバイス識別子に関する前記要求は前記移動局の少なくとも第１推定位置を示す、開始し、
前記ネットワーク・インターフェースを経由して前記ディレクトリ・デバイスから前記貯蔵デバイスに関する前記貯蔵デバイス識別子を取得することであって、前記貯蔵デバイス識別子は、前記貯蔵デバイス、および、前記第１推定位置に相当する前記少なくとも１つの屋内領域を識別し、かつ、ポジション・アシスタンス・データに関する前記要求は前記貯蔵デバイス識別子を備える、取得する、
［１７］に記載の移動局。
［１９］前記処理ユニットはさらに、
解読鍵を取得し、
前記解読鍵を使用して前記符号化されたメタデータの少なくとも一部を解読する、
［１７］に記載の移動局。
［２０］前記解読鍵は、前記ネットワーク・インターフェースを経由して、ディレクトリ・デバイスから取得される、［１９］に記載の移動局。 
［２１］前記符号化されたメタデータは、分析器能力によって、少なくとも一部では、確立されている、［１７］に記載の移動局。
［２２］前記符号化されたメタデータは、ポジション・アシスタンス・データに関する前記要求の送信よりも前に、少なくとも一部では、確立されている、［１７］に記載の移動局。
［２３］前記符号化されたメタデータは、ポジション・アシスタンス・データに関する前記要求に応じて、少なくとも一部では、確立されている、［１７］に記載の移動局。
［２４］前記処理ユニットは、さらに、
前記群衆ソーシング・デバイスに対して前記少なくとも１つの屋内領域に関する収集されたデータの送信を開始すること、もしくは、
前記群衆ソーシング・デバイスから前記少なくとも１つの屋内領域に関する追加メタデータを取得すること、および、前記少なくとも１つの機能に対して前記追加メタデータの少なくとも一部を提供すること、
のうちの少なくとも１つによって、群衆ソーシング・デバイスと、前記ネットワーク・インターフェースを経由してインターフェースをとる、［１７］に記載の移動局。
［２５］前記処理ユニットは、さらに、
前記ネットワーク・インターフェースを経由して、局所デバイスから前記少なくとも１つの屋内領域に関する局所メタデータを取得し、
前記少なくとも１つの機能をサポートするために前記局所メタデータの少なくとも一部を使用する、
［１７］に記載の移動局。
［２６］前記少なくとも１つの機能は、ポジショニング機能、ナビゲーション機能、もしくは、位置ベースのサービス機能、のうち少なくとも１つを備える、［１７］に記載の移動局。
［２７］貯蔵デバイスに対して少なくとも１つの屋内領域に関するポジション・アシスタンス・データに関する要求の送信を開始し、
前記貯蔵デバイスから前記ポジション・アシスタンス・データを取得することであって、前記ポジション・アシスタンス・データは、少なくとも一部では、前記少なくとも１つの屋内領域の少なくとも一部に関する符号化されたメタデータ、および、電子マップもしくはアクセス・ポイント・ロケータの少なくとも１つに相当するもの、を備える、取得し、
前記移動局の位置を推定する際に使用するための少なくとも１つの機能に対して前記符号化されたメタデータの少なくとも一部を提供する、
ように移動局内で処理ユニットによって実行可能な、そこに格納されたコンピュータ・インプリメント可能命令を有する非一時的な（non-transitory）コンピュータ可読媒体を備える、アーティクル。
［２８］前記コンピュータ・インプリメント可能命令は、
ディレクトリ・デバイスに対して貯蔵デバイス識別子に関する要求の送信を開始することであって、前記貯蔵デバイス識別子に関する前記要求は前記移動局の少なくとも１つの第１推定位置を示す、開始し、
前記ディレクトリ・デバイスから前記貯蔵デバイスに関する前記貯蔵デバイス識別子を取得することであって、前記貯蔵デバイス識別子は、前記貯蔵デバイスと前記第１推定位置に相当する前記少なくとも１つの屋内領域とを識別し、かつ、ポジション・アシスタンス・データに関する前記要求は前記貯蔵デバイス識別子を備える、取得する、
ように前記処理ユニットによってさらに実行可能である、［２７］に記載のアーティクル。
［２９］前記コンピュータ・インプリメント可能命令は、
解読鍵を取得し、
前記解読鍵を用いて前記符号化されたメタデータの少なくとも一部を解読する、
ように、前記処理ユニットによってさらに実行可能である、［２７］に記載のアーティクル。
［３０］前記符号化されたメタデータは、分析器能力によって、少なくとも一部では、確立されている、［２７］に記載のアーティクル。
［３１］前記コンピュータ・インプリメント可能命令は、
群衆ソーシング・デバイスから前記少なくとも１つの屋内領域に関する追加メタデータを取得し、
前記少なくとも１つの機能をサポートするために前記追加メタデータの少なくとも一部を提供する、
ように前記処理ユニットによってさらに実行可能である、［２７］に記載のアーティクル。
［３２］前記コンピュータ・インプリメント可能命令は、
局所デバイスから前記少なくとも１つの屋内領域に関する局所メタデータを取得し、
前記少なくとも１つの機能に対して前記局所メタデータの少なくとも一部を提供する、
ように前記処理ユニットによってさらに実行可能である、［２７］に記載のアーティクル。
［３３］マップ推論デバイスのコンピューティング・プラットホームにおいて、
少なくとも１つの屋内領域の少なくとも一部に関して、電子マップもしくはアクセス・ポイント・ロケータの少なくとも１つを取得することと、
少なくとも一部では、前記電子マップもしくは前記アクセス・ポイント・ロケータの少なくとも１つに基づいて、前記少なくとも１つの屋内領域の少なくとも前記一部に関する符号化されたメタデータを確立することと、
貯蔵デバイスに対して前記符号化されたメタデータを送信することであって、前記貯蔵デバイスは、移動局から受信されたポジション・アシスタンス・データに関する要求に応じて、前記移動局に対して前記符号化されたメタデータの少なくとも一部を提供する、送信することと、
を備えた方法。
［３４］前記マップ推論デバイスにおいて、
暗号化鍵を用いて前記符号化されたメタデータを暗号化することと、
前記移動局に対して前記暗号化鍵に相当する解読鍵を送信することと、
をさらに備える、［３３］に記載の方法。
［３５］前記符号化されたメタデータの少なくとも一部は、前記貯蔵デバイスから受信された要求に応じて、少なくとも一部では、確立される、［３３］に記載の方法。
［３６］前記符号化されたメタデータの少なくとも一部は、ポジショニング機能、ナビゲーション機能、もしくは、位置ベースのサービス機能、のうちの少なくとも１つで、前記移動局内で使用するためである、［３３］に記載の方法。
［３７］マップ推論デバイスにおいて使用するための装置であって、
少なくとも１つの屋内領域の少なくとも一部に関して、電子マップもしくはアクセス・ポイント・ロケータの少なくとも１つを取得するための手段と、
少なくとも一部では、前記電子マップもしくは前記アクセス・ポイント・ロケータの少なくとも１つに基づいて、前記少なくとも１つの屋内領域の少なくとも前記一部に関する符号化されたメタデータを確立するための手段と、
貯蔵デバイスに対して前記符号化されたメタデータを送信するための手段であって、前記貯蔵デバイスは、移動局から受信されたポジション・アシスタンス・データに関する要求に応じて、前記移動局に対して前記符号化されたメタデータの少なくとも一部を提供する、送信するための手段と、
を備えた装置。
［３８］前記マップ推論デバイスにおいて、
暗号化鍵を用いて前記符号化されたメタデータを暗号化するための手段と、
前記移動局に対して前記暗号化鍵に相当する解読鍵を送信するための手段と、
をさらに備える、［３７］に記載の装置。
［３９］符号化されたメタデータを確立するための前記手段は、前記貯蔵デバイスから受信された要求に応じて、前記符号化されたメタデータの少なくとも一部を確立する、［３７］に記載の装置。
［４０］符号化されたメタデータを確立するための前記手段は、ポジショニング機能、ナビゲーション機能、もしくは、位置ベースのサービス機能、のうちの少なくとも１つで、前記移動局によって使用するための前記符号化されたメタデータを確立する、［３７］に記載の装置。
［４１］マップ推論デバイスにおいて使用するためのコンピューティング・プラットホームであって、
ネットワーク・インターフェースと、
前記ネットワーク・インターフェースを経由して、少なくとも１つの屋内領域の少なくとも一部に関して、電子マップもしくはアクセス・ポイント・ロケータの少なくとも１つを取得し、
少なくとも一部では、前記電子マップもしくは前記アクセス・ポイント・ロケータの少なくとも１つに基づいて、前記少なくとも１つの屋内領域の少なくとも前記一部に関する符号化されたメタデータを確立し、
貯蔵デバイスに対して前記符号化されたメタデータの送信を開始することであって、前記貯蔵デバイスは、移動局から受信されたポジション・アシスタンス・データに関する要求に応じて、前記移動局に対して前記符号化されたメタデータの少なくとも一部を提供する、開始する、
処理ユニットと、
を備えたコンピューティング・プラットホーム。
［４２］前記処理ユニットはさらに、
暗号化鍵を用いて前記符号化されたメタデータを暗号化し、
前記移動局に対して前記暗号化鍵に相当する解読鍵の送信を開始する、
［４１］に記載のコンピューティング・プラットホーム。
［４３］前記処理ユニットは、前記ネットワーク・インターフェースを経由して前記貯蔵デバイスから受信された要求に応じて、前記符号化されたメタデータを確立する、［４１］に記載のコンピューティング・プラットホーム。
［４４］前記処理ユニットは、ポジショニング機能、ナビゲーション機能、もしくは、ロケーション・ベースのサービス機能、のうちの少なくとも１つで前記移動局によって使用するための前記符号化されたメタデータを確立する、［４１］に記載のコンピューティング・プラットホーム。
［４５］少なくとも１つの屋内領域の少なくとも一部に関して、電子マップもしくはアクセス・ポイント・ロケータの少なくとも１つを取得し、
少なくとも一部では、前記電子マップもしくは前記アクセス・ポイント・ロケータの少なくとも１つに基づいて、前記少なくとも１つの屋内領域の少なくとも前記一部に関する符号化されたメタデータを確立し、
貯蔵デバイスに対して前記符号化されたメタデータの送信を開始することであって、前記貯蔵デバイスは、移動局から受信されたポジション・アシスタンス・データに関する要求に応じて、前記移動局に対して前記符号化されたメタデータの少なくとも一部を提供する、開始する、
ように、ディレクトリ・デバイス内の処理ユニットによって実行可能であるコンピュータ・インプリメント可能命令をそこに格納している非一時的なコンピュータ可読媒体、
を備えるアーティクル。
［４６］前記コンピュータ・インプリメント可能命令は、
暗号化鍵を用いて前記符号化されたメタデータを暗号化し、
前記移動局に対して前記暗号化鍵に相当する解読鍵の送信を開始する、
ように前記処理ユニットによってさらに実行可能である、［４５］に記載のアーティクル。
［４７］前記コンピュータ・インプリメント可能命令は、
前記貯蔵デバイスから受信された要求に応じて、前記符号化されたメタデータを確立する、
ように前記処理ユニットによってさらに実行可能である、［４５］に記載のアーティクル。
［４８］前記コンピュータ・インプリメント可能命令は、
ポジショニング機能、ナビゲーション機能、もしくは位置ベースのサービス機能、のうち少なくとも１つで前記移動局によって使用するための前記符号化されたメタデータを確立する、
ように前記処理ユニットによってさらに実行可能である、［４５］に記載のアーティクル。
［４９］ディレクトリ・デバイスにおいて、
少なくとも１つの屋内領域の少なくとも一部に関して、電子マップもしくはアクセス・ポイント・ロケータの少なくとも１つを取得することと、
少なくとも一部では、前記電子マップもしくは前記アクセス・ポイント・ロケータの少なくとも１つに基づいて、前記少なくとも１つの屋内領域の少なくとも前記一部に関して符号化されたメタデータを確立することと、
貯蔵デバイスに対して前記符号化されたメタデータを送信することと、
移動局から貯蔵デバイス識別子に関する要求を受信することであって、前記貯蔵デバイス識別子に関する前記要求は、前記移動局の少なくとも第１推定位置を示す、受信することと、
前記第１推定位置が前記少なくとも１つの屋内領域の前記少なくとも前記一部に相当する決定することに応答して、前記移動局に対して前記貯蔵デバイスに関する貯蔵デバイス識別子を送信することと、
を備えた方法。
［５０］前記ディレクトリ・デバイスにおいて、
前記第１推定位置が、前記少なくとも１つの屋内領域の前記少なくとも前記部分に相当するという決定に応答して、前記移動局に対して、前記電子マップ、前記アクセス・ポイント・ロケータ、もしくは前記符号化されたメタデータのうちの、少なくとも１つに関する少なくとも１つの識別子、をさらに送信すること、
をさらに備える、［４９］に記載の方法。
［５１］前記ディレクトリ・デバイスにおいて、
暗号化鍵を用いて前記符号化されたメタデータを暗号化することと、
前記移動局に対して、前記暗号化鍵に相当する解読鍵を送信することと、
をさらに備える、［４９］に記載の方法。
［５２］前記ディレクトリ・デバイスにおいて、
群衆ソーシング・デバイスから前記少なくとも１つの屋内領域に関する追加メタデータを取得することをさらに備え、
前記符号化されたメタデータを確立することは、前記追加メタデータの少なくとも一部に、少なくとも一部では、基づいて前記符号化されたメタデータを確立することをさらに備える、
［４９］に記載の方法。
［５３］前記符号化されたメタデータの少なくとも一部は、少なくとも一部では、前記移動局から前記貯蔵デバイス識別子に関する前記要求を受信するよりも前に確立される、［４９］に記載の方法。
［５４］前記符号化されたメタデータの少なくとも一部は、少なくとも一部では、前記移動局からの前記貯蔵デバイス識別子に関する前記要求もしくは前記貯蔵デバイスから受信された要求のうちの少なくとも１つに応じて確立される、［４９］に記載の方法。
［５５］前記符号化されたメタデータの少なくとも一部は、ポジショニング機能、ナビゲーション機能、もしくは位置ベースのサービス機能、のうちの少なくとも１つで前記移動局によって使用するためである、［４９］に記載の方法。
［５６］ディレクトリ・デバイス内で使用するための装置であって、
少なくとも１つの屋内領域の少なくとも一部に関して、電子マップもしくはアクセス・ポイント・ロケータの少なくとも１つを取得するための手段と、
少なくとも一部では、前記電子マップもしくは前記アクセス・ポイント・ロケータの少なくとも１つに基づいて、前記少なくとも１つの屋内領域の少なくとも前記一部に関して符号化されたメタデータを確立するための手段と、
貯蔵デバイスに対して前記符号化されたメタデータを送信するための手段と、
移動局から貯蔵デバイス識別子に関する要求を受信するための手段であって、前記貯蔵デバイス識別子に関する前記要求は、前記移動局の少なくとも第１推定位置を示す、受信するための手段と、
前記第１推定位置が前記少なくとも１つの屋内領域の前記少なくとも前記一部に相当するという決定に応答して、前記移動局に対して前記貯蔵デバイスに関する貯蔵デバイス識別子を送信するための手段と、
を備えた装置。
［５７］前記第１推定位置が前記少なくとも１つの屋内領域の前記少なくとも前記一部に相当するという決定に応答して、前記電子マップ、前記アクセス・ポイント・ロケータ、もしくは前記符号化されたメタデータのうちの少なくとも１つに関する少なくとも１つの識別子を前記移動局に対して送信するための手段、をさらに備える、［５６］に記載の装置。
［５８］暗号化鍵を用いて前記符号化されたメタデータを暗号化するための手段と、
前記移動局に対して前記暗号化鍵に相当する解読鍵を送信するための手段と、
をさらに備える、［５６］に記載の装置。
［５９］群衆ソーシング・デバイスから前記少なくとも１つの屋内領域に関する追加メタデータを取得するための手段と、
さらに、少なくとも一部では、前記追加メタデータの少なくとも一部に基づいて、前記符号化されたメタデータを確立するための手段と、
をさらに備える、［５６］に記載の装置。
［６０］前記符号化されたメタデータを確立するための前記手段は、前記貯蔵デバイス識別子に関する前記要求が前記移動局から受信されているよりも前に、前記符号化されたメタデータを確立する、［５６］に記載の装置。
［６１］前記符号化されたメタデータを確立するための前記手段は、前記移動局からの前記貯蔵デバイス識別子に関する前記要求か、あるいは前記貯蔵デバイスから受信される要求、のうちの少なくとも１つを受信することに応答して、少なくとも一部では、前記符号化されたメタデータを確立する、［５６］に記載の装置。
［６２］ディレクトリ・デバイスにおいて、
ネットワーク・インターフェースと、
前記ネットワーク・インターフェースを経由して、少なくとも１つの屋内領域の少なくとも一部に関して、電子マップもしくはアクセス・ポイント・ロケータの少なくとも１つを、取得し、
少なくとも一部では、前記電子マップもしくは前記アクセス・ポイント・ロケータの少なくとも１つに基づいて、前記少なくとも１つの屋内領域の少なくとも前記一部に関する符号化されたメタデータを確立し、
前記ネットワーク・インターフェースを経由して貯蔵デバイスに対して前記符号化されたメタデータの送信を開始し、
前記ネットワーク・インターフェースを経由して移動局から貯蔵デバイス識別子に関する要求を取得することであって、前記貯蔵デバイス識別子に関する前記要求は、前記移動局の少なくとも第１推定位置を示す、取得し、
前記第１推定位置は前記少なくとも１つの屋内領域の前記少なくとも前記一部に相当するという決定に応答して、前記ネットワーク・インターフェースを経由して、前記移動局に対して前記貯蔵デバイスに関する貯蔵デバイス識別子の送信を開始するための、
処理ユニットと、
を備えるコンピューティング・プラットホーム。
［６３］前記処理ユニットは、さらに、前記第１推定位置が前記少なくとも１つの屋内領域の前記少なくとも前記一部に相当するという決定に応答して、前記ネットワーク・インターフェースを経由して前記移動局に対して、前記電子マップ、前記アクセス・ポイント・ロケータ、もしくは前記符号化されたメタデータのうちの少なくとも１つに関する少なくとも１つの識別子の送信を開始する、［６２］に記載のコンピューティング・プラットホーム。
［６４］前記処理ユニットは、さらに、
暗号化鍵を用いて前記符号化されたメタデータを暗号化し、
前記ネットワーク・インターフェースを経由して前記移動局に対して前記暗号化鍵に相当する解読鍵の送信を開始する、
［６２］に記載のコンピューティング・プラットホーム。
［６５］前記処理ユニットは、さらに、
前記ネットワーク・インターフェースを経由して群衆ソーシング・デバイスから前記少なくとも１つの屋内領域に関する追加メタデータを取得し、
少なくとも一部では、さらに、前記追加メタデータの少なくとも一部に基づいて前記符号化されたメタデータを確立する、
［６２］に記載のコンピューティング・プラットホーム。
［６６］前記処理ユニットは、さらに、前記移動局から受信されている前記貯蔵デバイス識別子に関する前記要求よりも前に、前記符号化されたメタデータを確立する、［６２］に記載のコンピューティング・プラットホーム。
［６７］前記処理ユニットは、さらに、少なくとも一部では、前記移動局からの前記貯蔵デバイス識別子に関する前記要求、もしくは、前記ネットワーク・インターフェースを経由して前記貯蔵デバイスからの要求、のうちの少なくとも１つを受信することに応答して、前記符号化されたメタデータを確立する、［６２］に記載のコンピューティング・プラットホーム。
［６８］前記符号化されたメタデータの少なくとも一部をさらに確立するための前記処理ユニットは、ポジショニング機能、ナビゲーション機能、もしくは、位置ベースのサービス機能、のうちの少なくとも１つで、前記移動局によって使用するためである、［６２］に記載のコンピューティング・プラットホーム。
［６９］少なくとも１つの屋内領域の少なくとも一部に関して、電子マップもしくはアクセス・ポイント・ロケータの少なくとも１つを取得し、
少なくとも一部では、前記電子マップもしくは前記アクセス・ポイント・ロケータの少なくとも１つに基づいて、前記少なくとも１つの屋内領域の少なくとも前記一部に関して符号化されたメタデータを確立し、
貯蔵デバイスに対して前記符号化されたメタデータの送信を開始し、
移動局から貯蔵デバイス識別子に関する要求を取得することであって、前記貯蔵デバイス識別子に関する前記要求は、前記移動局の少なくとも第１推定位置を示す、取得し、
前記第１推定位置は前記少なくとも１つの屋内領域の前記少なくとも前記一部に相当するという決定に応答して、前記移動局に対して前記貯蔵デバイスに関する貯蔵デバイス識別子の送信を開始する、
ように、ディレクトリ・デバイス内で処理ユニットによって実行可能であるコンピュータ・インプリメント可能命令がそこに格納されている非一時的なコンピュータ可読媒体、
を備えるアーティクル。
［７０］前記コンピュータ・インプリメント可能命令は、
前記第１推定位置が前記少なくとも１つの屋内領域の前記少なくとも前記一部に相当するという決定に応答して、前記電子マップ、前記アクセス・ポイント・ロケータ、もしくは前記符号化されたメタデータのうちの少なくとも１つに関する少なくとも１つの識別子の送信を、前記移動局に対して、開始する、
ように前記処理ユニットによってさらに実行可能である、［６９］に記載のアーティクル。
［７１］前記コンピュータ・インプリメント可能命令は、
暗号化鍵を使用して前記符号化されたメタデータを暗号化し、
前記移動局に対して前記暗号化鍵に相当する解読鍵の送信を開始する、
ように前記処理ユニットによってさらに実行可能である、［６９］に記載のアーティクル。
［７２］前記コンピュータ・インプリメント可能命令は、
群衆ソーシング・デバイスから前記少なくとも１つの屋内領域に関する追加メタデータを取得し、
少なくとも一部では、前記追加メタデータの少なくとも一部にさらに基づいて、前記符号化されたメタデータを確立する、
ように前記処理ユニットによってさらに実行可能である、［６９］に記載のアーティクル。
［７３］前記コンピュータ・インプリメント可能命令は、
前記移動局から前記貯蔵デバイス識別子に関する前記要求を取得するよりも前に、前記符号化されたメタデータを確立する、
ように前記処理ユニットによってさらに実行可能である、［６９］に記載のアーティクル。
［７４］前記コンピュータ・インプリメント可能命令は、前記移動局からの前記貯蔵デバイス識別子に関する前記要求か、あるいは、前記貯蔵デバイスから受信された要求、のうちの少なくとも１つに応じて、前記符号化されたメタデータの少なくとも一部を確立する、
ように前記処理ユニットによってさらに実行可能である、［６９］に記載のアーティクル。
［７５］貯蔵デバイスにおいて、
電子マップもしくはアクセス・ポイント・ロケータの少なくとも１つに相当する少なくとも１つの屋内領域の少なくとも一部に関する符号化されたメタデータを取得することと、
移動局から、少なくとも１つの屋内領域に関するポジション・アシスタンス・データに関する要求を受信することと、
前記移動局に対して、前記ポジション・アシスタンス・データの少なくとも一部を送信することであって、前記ポジション・アシスタンス・データは、少なくとも一部では、前記符号化されたメタデータ、および、前記符号化されたメタデータに相当する前記電子マップもしくは前記アクセス・ポイント・ロケータの少なくとも１つの少なくとも一部を備える、送信することと、
を備える方法。
［７６］前記符号化されたメタデータを取得することは、前記貯蔵デバイスにおいて、
少なくとも一部では、前記電子マップもしくは前記アクセス・ポイント・ロケータのうちの少なくとも１つに基づいて、前記少なくとも１つの屋内領域の少なくとも前記一部に関して前記符号化されたメタデータの少なくとも一部を確立すること、
をさらに備える、［７５］に記載の方法。
［７７］前記貯蔵デバイスにおいて、
群衆ソーシング・デバイスから前記少なくとも１つの屋内領域に関する追加メタデータを取得すること、
をさらに備え、ここで前記符号化されたメタデータの前記少なくとも前記一部を確立することは、少なくとも一部では、前記追加メタデータの少なくとも一部に基づいて前記符号化されたメタデータの前記少なくとも前記一部を確立することをさらに備える、
［７６］に記載の方法。
［７８］前記符号化されたメタデータを取得することは、前記貯蔵デバイスにおいて、
ディレクトリ・デバイスから前記符号化されたメタデータの少なくとも一部を受信すること、
をさらに備える、［７５］請求項７５に記載の方法。
［７９］前記符号化されたメタデータの少なくとも一部は、前記ディレクトリ・デバイスによって暗号化されている、［７５］に記載の方法。
［８０］前記符号化されたメタデータの少なくとも一部は、ポジション・アシスタンス・データに関する前記要求を受信するよりも前に、少なくとも一部では、確立される、［７５］に記載の方法。
［８１］前記符号化されたメタデータの少なくとも一部は、ポジション・アシスタンス・データに関する前記要求に応じて、少なくとも一部では、確立される、［７５］に記載の方法。
［８２］前記貯蔵デバイスにおいて、
少なくとも一部では、前記少なくとも１つの屋内領域に関する少なくとも１つの現場図に基づいて、前記電子マップもしくは前記アクセス・ポイント・ロケータのうちの少なくとも１つを確立すること、
をさらに備える、［７５］に記載の方法。
［８３］前記符号化されたメタデータの少なくとも一部は、ポジショニング機能、ナビゲーション機能、もしくは位置ベースのサービス機能、のうちの少なくとも１つで、前記移動局内で使用するためである、［７５］に記載の方法。
［８４］貯蔵デバイス内で使用するための装置であって、
電子マップもしくはアクセス・ポイント・ロケータの少なくとも１つに相当する少なくとも１つの屋内領域の少なくとも一部に関する符号化されたメタデータを取得するための手段と、
移動局から、少なくとも１つの屋内領域に関するポジション・アシスタンス・データに関する要求を受信するための手段と、
前記移動局に対して、前記ポジション・アシスタンス・データの少なくとも一部を送信するための手段であって、前記ポジション・アシスタンス・データは、少なくとも一部では、前記符号化されたメタデータ、および、前記符号化されたメタデータに相当する前記電子マップもしくは前記アクセス・ポイント・ロケータの少なくとも１つの少なくとも一部を備える、送信するための手段と、
を備える装置。
［８５］前記符号化されたメタデータを取得するための前記手段は、
少なくとも一部では、前記電子マップもしくは前記アクセス・ポイント・ロケータのうちの少なくとも１つに基づいて前記少なくとも１つの屋内領域の少なくとも前記一部に関する前記符号化されたメタデータの少なくとも一部を確立するための手段、
をさらに備える、［８４］に記載の装置。
［８６］群衆ソーシング・デバイスから前記少なくとも１つの屋内領域に関する追加メタデータを取得するための手段、
をさらに備え、ここで前記符号化されたメタデータの前記少なくとも前記一部を確立するための前記手段は、少なくとも一部では、前記追加メタデータの少なくとも一部に基づいて前記符号化されたメタデータの前記少なくとも前記一部を確立するための手段、をさらに備える、
［８５］に記載の装置。
［８７］前記符号化されたメタデータの少なくとも前記部分を確立するための前記手段は、少なくとも一部では、ポジション・アシスタンス・データに関する前記要求に応じて、前記符号化されたメタデータの少なくとも前記一部を確立する、［８５］に記載の装置。
［８８］少なくとも一部では、前記少なくとも１つの屋内領域に関する少なくとも１つの現場図に基づいて、前記電子マップもしくは前記アクセス・ポイント・ロケータ、のうちの少なくとも１つを確立するための手段、
をさらに備える、［８４］に記載の装置。
［８９］貯蔵デバイスにおいて、
ネットワーク・インターフェースと、
電子マップもしくはアクセス・ポイント・ロケータの少なくとも１つに相当する少なくとも１つの屋内領域の少なくとも一部に関する符号化されたメタデータを取得し、
前記ネットワーク・インターフェースを経由して、移動局から、少なくとも１つの屋内領域に関するポジション・アシスタンス・データに関する要求を取得し、
前記ネットワーク・インターフェースを経由して、前記移動局に対して、前記ポジション・アシスタンス・データの少なくとも一部の送信を開始することであって、前記ポジション・アシスタンス・データは、少なくとも一部では、前記符号化されたメタデータ、および、前記符号化されたメタデータに相当する前記電子マップもしくは前記アクセス・ポイント・ロケータの少なくとも１つの少なくとも一部を備え、開始する、
ための処理ユニットと、
を備えるコンピューティング・プラットホーム。
［９０］前記処理ユニットは、さらに、
少なくとも一部では、前記電子マップもしくは前記アクセス・ポイント・ロケータのうちの少なくとも１つに基づいて、前記少なくとも１つの屋内領域の少なくとも前記一部に関する前記符号化されたメタデータの少なくとも一部を確立する、
［８９］に記載のコンピューティング・プラットホーム。
［９１］前記処理ユニットは、さらに、
前記ネットワーク・インターフェースを経由して群衆ソーシング・デバイスから前記少なくとも１つの屋内領域に関する追加メタデータを取得し、
さらに、少なくとも一部では、前記追加メタデータの少なくとも一部に基づいて前記符号化されたメタデータの前記少なくとも前記一部を確立する、
［９０］に記載のコンピューティング・プラットホーム。
［９２］前記処理ユニットは、さらに、
少なくとも一部では、ポジション・アシスタンス・データに関する前記要求に応じて、前記符号化されたメタデータの少なくとも前記一部を確立する、
［９０］に記載のコンピューティング・プラットホーム。
［９３］前記処理ユニットは、さらに、
少なくとも一部では、前記少なくとも１つの屋内領域に関する少なくとも１つの現場図に基づいて、前記電子マップもしくは前記アクセス・ポイント・ロケータ、のうちの少なくとも１つを確立する、
［９０］に記載のコンピューティング・プラットホーム。
［９４］電子マップもしくはアクセス・ポイント・ロケータの少なくとも１つに相当する少なくとも１つの屋内領域の少なくとも一部に関する符号化されたメタデータを取得し、
移動局から、少なくとも１つの屋内領域に関するポジション・アシスタンス・データに関する要求を取得し、
前記移動局に対して、前記ポジション・アシスタンス・データの少なくとも一部の送信を開始することであって、前記ポジション・アシスタンス・データは、少なくとも一部では、前記符号化されたメタデータ、および、前記符号化されたメタデータに相当する前記電子マップもしくは前記アクセス・ポイント・ロケータの少なくとも１つの少なくとも一部を備え、開始する、
ように、貯蔵デバイス内で処理ユニットによって実行可能である、コンピュータ・インプリメント可能命令をそこに格納している、非一時的なコンピュータ可読媒体、
を備えるアーティクル。
［９５］前記コンピュータ・インプリメント可能命令は、
少なくとも一部では、前記電子マップもしくは前記アクセス・ポイント・ロケータのうちの少なくとも１つに基づいて前記少なくとも１つの屋内領域の少なくとも前記一部に関する前記符号化されたメタデータの少なくとも一部を確立する、
ように前記処理ユニットによってさらに実行可能である、［９４］に記載のアーティクル。
［９６］前記コンピュータ・インプリメント可能命令は、
群衆ソーシング・デバイスから前記少なくとも１つの屋内領域に関する追加メタデータを取得し、
少なくとも一部では、さらに前記追加メタデータの少なくとも一部に基づいて前記符号化されたメタデータの前記少なくとも前記一部を確立する、
ように前記処理ユニットによってさらに実行可能である、［９５］に記載のアーティクル。
［９７］前記コンピュータ・インプリメント可能命令は、
少なくとも一部では、ポジション・アシスタンス・データに関する前記要求に応じて、前記符号化されたメタデータの少なくとも前記一部を確立する、
ように前記処理ユニットによってさらに実行可能である、［９５］に記載のアーティクル。
［９８］前記コンピュータ・インプリメント可能命令は、
少なくとも一部では、前記少なくとも１つの屋内領域に関する少なくとも１つの現場図に基づいて、前記電子マップもしくは前記アクセス・ポイント・ロケータのうちの少なくとも１つを確立する、
ように前記処理ユニットによってさらに実行可能である、［９５］に記載のアーティクル。
【国際調査報告】
2013540375.tif 000015
2013540375.tif 000016